(57)【要約】  多様な応用分野での鉱物および非鉱物基体の永久耐油および耐水表面処理もしくは変性のための、改良された表面特性を有する新規のフッ素含有組成物であって、単一成分形態で存在する組成物を開示する。同時にフッ素含有量を抑えながら、前記組成物は、著しく向上した応用例に特化した特性を示し、また適切な安定化成分および親水性シラン成分と組み合わせて、疎水性、疎油性、および耐塵性に関して最適にすることも可能である。前記組成物は、全般的に優れた保存安定性を示す。【特許請求の範囲】
【請求項１】
多孔性および非多孔性基体の永久表面処理のための、固体樹脂に対するフッ素含有量５〜７５質量％を有する液状の、フッ素含有および単一成分の組成物であって、
第１に、
ａ）ポリマー結合フッ素含有量５〜９５質量％と、ポリマー結合シリコン含有量９５〜５質量％とを有するフルオロシラン成分（Ａ）（ｉ）を製造するステップであって、
ａ1）５〜９５質量％の、一般式
ＣＦ3−（ＣＦ2）x−（ＣＨ2）y−Ｏ−Ａz−Ｈ
または
ＣＲ3−（ＣＲ2）x−（ＣＨ2）y−Ｏ−Ａz−Ｈ
［式中、
ｘ＝３〜２０であり、ｙ＝１〜６であり、ｚ＝０〜１００であり、Ｒは、互いに独立して、Ｈ、Ｆ、ＣＦ3であり、Ａは、ＣＲiＲii−ＣＲiiiＲiv−Ｏまたは（ＣＲiＲii）a−ＯもしくはＣＯ−（ＣＲiＲii）b−Ｏ（式中、Ｒi、Ｒii、Ｒiii、Ｒivは、互いに独立して、Ｈ、アルキル、シクロアルキル、アリール、またはいずれの場合も１〜２５個の炭素原子を有する任意の有機基であり、ａ、ｂ＝３〜５である）であり、ポリアルキレンオキシド構造単位Ａzは、任意のアルキレンオキシドのホモポリマー、コポリマー、もしくはブロックコポリマー、あるいはポリオキシアルキレングリコールまたはポリラクトンである］の末端メチレン基（炭化水素スペーサ）を有するペルフルオロアルキルアルコールを含む、（ペル）フルオロアルキルアルコール成分（Ｂ）（ｉ）および／または（ペル）フルオロアルキルアルキレンアミン成分（Ｂ）（ｉｉ）、
および／または
一般式
ＣＦ3−ＣＦ2−ＣＦ2−［Ｏ−ＣＦ（ＣＦ3）−ＣＦ2］x−Ｏ−ＣＦ（ＣＦ3）−（ＣＨ2）y−Ｏ−Ａz−Ｈ
のヘキサフルオロプロペンオキシド（ＨＦＰＯ）オリゴマーアルコール、
および／または
ポリマー結合フッ素含有量が１〜９９質量％であり、分子量が１００〜１０，０００ダルトンであり、いずれの場合も１つまたは複数の反応性の（シクロ）脂肪族および／または芳香族ヒドロキシル基、および／または１級および／または２級アミノ基、および／またはメルカプト基を有し、主鎖および／または側鎖中で内部に、および／または側鎖に、および／または末端に配置された構造要素
−（ＣＦ2−ＣＦ2）x−
および／または
−（ＣＲ2−ＣＲ2）x−
および／または
−［ＣＦ2−ＣＦ（ＣＦ3）−Ｏ］x−
および／または
−（ＣＲ2−ＣＲ2−Ｏ）x−
を含有する、フッ素変性マクロモノマーまたはテレケリックポリマー（Ｂ）（ｉｉｉ）、例えば成分（Ｆ）（ｉ）および（Ｆ）（ｉｉ）と成分（Ｑ）（ｉ）および（Ｑ）（ｉｉ）とのヒドロキシ官能性反応生成物と、
９５〜５質量％の、３−イソシアナトプロピルトリアルコキシシランおよび／または３−イソシアナトプロピルアルコキシアルキルシラン、および／または一般式
ＯＣＮ−（ＣＲ22）y−Ｓｉ（ＯＲ1）3-x’Ｒ2x’
［式中、
ｘ’＝０〜２であり、ｙ’＝１〜３であり、Ｒ1、Ｒ2は、互いに独立して、アルキル、シクロアルキル、アリール、いずれの場合も１〜２５個の炭素原子を有する任意の有機基である］のイソシアナトアルキルアルコキシシランを含むイソシアナトアルキルアルコキシシラン成分（Ｃ）（ｉ）、
および／または分子量が２００〜２０００ダルトンであり、いずれの場合も１つまたは複数の（シクロ）脂肪族および／または芳香族イソシアナト基と１つまたは複数のアルコキシシラン基とを有する別のイソシアナトシラン成分（Ｃ）（ｉｉ）とを反応させるステップであって、前記反応は、好ましくはモル比１：１で、任意の手段で実施されるステップによって、
および／または
ａ2.1）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、同じまたは異なる反応性を有する２個以上の（シクロ）脂肪族および／または芳香族イソシアネート基を有する少なくとも１種のジイソシアネート、ポリイソシアネート、ポリイソシアネート誘導体、またはポリイソシアネート同族体を含むポリイソシアネート成分（Ｄ）（ｉ）７５〜５質量％とを反応させるステップであって、反応条件および成分（Ｂ）および（Ｄ）の選択性が、成分（Ｄ）（ｉ）の１つのみのイソシアネート基が成分（Ｂ）と反応するように選択されるステップと、
ａ2.2）続いて、ステップａ2.1）から得られる前付加物を、７５〜５質量％の、３−アミノプロピルトリアルコキシシランおよび／または一般式
Ｒ32Ｎ−（ＣＲ32）y’−Ｓｉ（ＯＲ1）3-x’Ｒ2x’
［式中、ｘ’＝０〜２であり、ｙ’＝１〜６であり、Ｒ1、Ｒ2は、互いに独立して、アルキル、シクロアルキル、アリール、いずれの場合も１〜２５個の炭素原子を有する任意の有機基であり、Ｒ3は、互いに独立して、アルキル、シクロアルキル、アリール、１〜２５個の炭素原子を有する任意の有機基、（Ｒ1Ｏ）3-x’Ｒ2x’Ｓｉ（ＣＲ32）y’、Ｒ3’2Ｎ−（ＣＲ3’2）y’−［ＮＨ−（ＣＲ3’2）y’］n’（式中、ｎ’＝０〜１０であり、Ｒ3’は、互いに独立して、アルキル、シクロアルキル、アリール、いずれの場合も１〜２５個の炭素原子を有する任意の有機基である）である］の（置換）３−アミノプロピルアルコキシアルキルシランを含むアミノアルキルアルコキシシラン成分（Ｅ）（ｉ）、
および／または分子量が２００〜２０００ダルトンであり、いずれの場合も１つまたは複数の１級および／または２級および／または３級アミノ基と、１つまたは複数のアルコキシシラン基とを有する、（Ｅ）（ｉ）とは異なるアミノシラン成分（Ｅ）（ｉｉ）と反応させるステップであって、前記反応は、好ましくはモル比１：１：１で、任意の手段で実施されるステップによって、
および／または
ａ3）分子量が２００〜２０００ダルトンであり、１つまたは複数の（シクロ）脂肪族および／または芳香族イソシアナト基を有する、一般式
ＣＦ3−（ＣＦ2）x−（ＣＨ2）y−ＮＣＯ
または
ＣＲ3−（ＣＲ2）x−（ＣＨ2）y−ＮＣＯ
の（ペル）フルオロアルキルアルキレンイソシアネート成分（Ｂ）（ｉｖ）５〜９５質量％を、アミノシラン成分（Ｅ）（ｉ）および／または（Ｅ）（ｉｉ）９５〜５質量％と反応させて、一般式
（Ｂ）（ｉｖ）−（Ｅ）
［式中、（Ｂ）（ｉｖ）はプロトン化された成分（Ｂ）（ｉｖ）であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ4）分子量が２００〜２００ダルトンであり、１つまたは複数のカルボン酸（誘導体）基を有する、一般式
ＣＦ3−（ＣＦ2）x−（ＣＨ2）y−ＣＯＲ4
または
ＣＲ3−（ＣＲ2）x−（ＣＨ2）y−ＣＯＲ4
［式中、Ｒ4はＦ、Ｃｌ、Ｂｒ、Ｉ、ＯＨ、ＯＭｅ、ＯＥｔである］の（ペル）フルオロアルキルアルカンカルボン酸（誘導体）成分（Ｂ）（ｖ）５〜９５質量％と、アミノシラン成分（Ｅ）（ｉ）および／または（Ｅ）（ｉｉ）９５〜５質量％との、２個以上のヒドロキシル基を有する反応生成物であって、結果としてＨＲ4を除去して、一般式
（Ｂ）（ｖ）−（Ｅ）
［式中、（Ｂ）（ｖ）は成分（Ｂ）（ｖ）のカルボニル基であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ5）一般式
ＣＦ3−ＣＦ2−ＣＦ2−Ｏ−（ＣＦ（ＣＦ3）−ＣＦ2−Ｏ）n−ＣＦ（ＣＦ3）−ＣＯＲ4
［式中、ｍ＝１〜２０である］の単官能性ヘキサフルオロプロペンオキシドオリゴマーを含むヘキサフルオロプロペンオキシド成分（Ｆ）（ｉ）５〜９５質量％と、アミノシラン成分（Ｅ）（ｉ）および／または（Ｅ）（ｉｉ）９５〜５質量％とを反応させ、結果としてＨＲ4を除去して、一般式
（Ｆ）（ｉ）−（Ｅ）
［式中、（Ｆ）（ｉ）は成分（Ｆ）（ｉ）のカルボニル基であり、（Ｅ）は脱プロトン化された成分（Ｅ）（ｉ）および／または（Ｅ）（ｉｉ）である］の付加物を形成するステップであって、前記反応は、好ましくはモル比１：１で、任意の手段で実施されるステップによって、
および／または
ａ6）一般式
Ｒ4ＯＣ−ＣＦ（ＣＦ3）−（Ｏ−ＣＦ2−ＣＦ（ＣＦ3））n−Ｏ−（ＣＦ2）o−Ｏ−（ＣＦ（ＣＦ3）−ＣＦ2−Ｏ）n−ＣＦ（ＣＦ3）−ＣＯＲ4
［式中、ｎ＝１〜１０であり、ｏ＝２〜６である］の二官能性ヘキサフルオロプロペンオキシドオリゴマーを含むヘキサフルオロプロペンオキシド成分（Ｆ）（ｉｉ）５〜９５質量％と、アミノアルキルアルコキシシラン成分（Ｅ）（ｉ）および／または（Ｅ）（ｉｉ）９５〜５質量％とを反応させ、結果としてＨＲ4を除去して、一般式
（Ｅ）−（Ｆ）（ｉｉ）−（Ｅ）
［式中、（Ｆ）（ｉｉ）は成分（Ｆ）（ｉ）のカルボニル基であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ7）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、アミノアルキルアルコキシシラン成分（Ｅ）（ｉ）および／または（Ｅ）（ｉｉ）７５〜５質量％と、同じまたは異なる反応性を有する少なくとも３個の（シクロ）脂肪族および／または芳香族イソシアネート基を有するトリイソシアネート、ポリイソシアネート、ポリイソシアネート誘導体、またはポリイソシアネート同族体を含むポリイソシアネート成分（Ｄ）（ｉｉ）７５〜５質量％とを反応させるステップであって、三官能性イソシアネートの場合、前記反応は、好ましくはモル比２：１：１または１：２：１で、任意の手段で実施されるステップによって、
および／または
ａ8）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と；アミノアルキルアルコキシシラン成分（Ｅ）（ｉ）および／または（Ｅ）（ｉｉ）５０〜５質量％と；エチレンオキシド２５〜９９．９質量％と、一般式
Ｒ5−Ｏ−Ａz’−Ｈ
［式中、ｚ’＝５〜１５０であり、Ｒ5はアルキル、シクロアルキル、アリール、１〜２５個の炭素原子を有する任意の有機基である］の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはそれらの混合物を含む、３〜２０個の炭素原子を有する別のアルキレンオキシド０〜７５質量％とを含む、モノヒドロキシ官能性のアルキル／シクロアルキル／アリールポリエチレングリコール、および／またはアルキル／シクロアルキル／アリールポリ（エチレンオキシド−ｂｌｏｃｋ−アルキレンオキシド）、および／またはアルキル／シクロアルキル／アリールポリ（エチレンオキシド−ｃｏ−アルキレンオキシド）、および／またはアルキル／シクロアルキル／アリールポリ（エチレンオキシド−ｒａｎ−アルキレンオキシド）を含む、
および／または
エチレンオキシド２５〜９９．９質量％と、一般式
Ｒ5−Ｏ−（ＣＲiＲii−ＣＲiiiＲiv−Ｏ）z’-1−ＣＲiＲii−ＣＲiiiＲiv−ＮＨ2
の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、モノアミノ官能性のアルキル／シクロアルキル／アリールポリエチレングリコール、および／またはアルキル／シクロアルキル／アリールポリ（エチレンオキシド−ｂｌｏｃｋ−アルキレンオキシド）、および／またはアルキル／シクロアルキル／アリールポリ（エチレンオキシド−ｃｏ−アルキレンオキシド）、および／またはアルキル／シクロアルキル／アリールポリ（エチレンオキシド−ｒａｎ−アルキレンオキシド）を含む、単官能性ポリアルキレングリコール成分（Ｇ）（ｉ）および／または単官能性ポリオキシアルキレンアミン成分（Ｇ）（ｉｉ）５０〜５質量％と；ポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ9）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、アミノアルキルアルコキシシラン成分（Ｅ）（ｉ）および／または（Ｅ）（ｉｉ）７５〜５質量％と、塩化シアヌルまたは２，４，６−トリクロロ−１，３，５−トリアジンを含むトリアジン成分（Ｈ）７５〜５質量％とを反応させるステップであって、前記反応は、好ましくはモル比２：１：１または１：２：１で、任意の手段で実施されるステップによって、
および／または
ａ10）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、単官能性ポリアルキレングリコール成分（Ｇ）（ｉ）および／または単官能性ポリオキシアルキレンアミン成分（Ｇ）（ｉｉ）５０〜５質量％と、塩化シアヌルまたは２，４，６−トリクロロ−１，３，５−トリアジンを含むトリアジン成分（Ｈ）５０〜５質量％とを反応させるステップであって、前記反応は、好ましくはモル比１：１：１：１で、任意の手段で実施されるステップによって、
および／または
ａ11）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と；アミノアルキルアルコキシシラン成分（Ｅ）（ｉ）および／または（Ｅ）（ｉｉ）５０〜５質量％と；エチレンオキシド２５〜９９．９質量％と、一般式
Ｒ6（−Ｏ−Ａz’−Ｈ）z’’
［式中ｚ’’＝２〜６であり、Ｒ6はアルキル、シクロアルキル、アリール、１〜２５個の炭素原子を有する任意の有機基である］の、プロピレンオキシド、ブチレンオキシド、ドデシルオキシド、イソアミルオキシド、オキセタン、置換オキセタン、α−ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、ポリヒドロキシ官能性ポリエチレングリコール、および／またはポリ（エチレングリコール−ｂｌｏｃｋ−ポリアルキレングリコール）、および／またはポリ（エチレングリコール−ｃｏ−ポリアルキレングリコール）、および／またはポリ（エチレングリコール−ｒａｎ−ポリアルキレングリコール）を含む、
および／または
エチレンオキシド２５〜９９．９質量％と、一般式
Ｒ6（−Ｏ−Ａz’-1−ＣＲiＲii−ＣＲiiiＲiv−ＮＨ2）z’’
の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、ポリアミノ官能性ポリエチレングリコール、および／またはポリ（エチレングリコール−ｂｌｏｃｋ−ポリアルキレングリコール）、および／またはポリ（エチレングリコール−ｃｏ−ポリアルキレングリコール）、および／またはポリ（エチレングリコール−ｒａｎ−ポリアルキレングリコール）を含む、多官能性ポリアルキレングリコール成分（Ｇ）（ｉｉｉ）および／または多官能性ポリオキシアルキレンアミン成分（Ｇ）（ｉｖ）５０〜５質量％と；ポリイソシアネート成分（Ｄ）（ｉ）５０〜５質量％とを反応させるステップであって、ジヒドロキシ官能性グリコールの場合、前記反応は、好ましくはモル比１：１：１：２で、任意の手段で実施されるステップによって、
および／または
ａ12）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、イソシアネートに対して反応性の１個および／または２個のヒドロキシル基とポリイソシアネートに対して不活性のカルボキシル基とを有する、モノヒドロキシカルボン酸および／またはジヒドロキシカルボン酸を含むヒドロキシカルボン酸成分（Ｉ）５０〜５質量％と、同じまたは異なる反応性を有する少なくとも３個の（シクロ）脂肪族および／または芳香族イソシアネート基を有する、少なくとも１種のトリイソシアネート、ポリイソシアネート、ポリイソシアネート誘導体、またはポリイソシアネート同族体を含むポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ13）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、ポリイソシアネートに対して反応性のＮＨ−酸アミノ基を有するシアナミドを含むＮＣＮ成分（Ｊ）５０〜５質量％と、同じまたは異なる反応性を有する少なくとも３個の（シクロ）脂肪族および／または芳香族イソシアネート基を有する、少なくとも１種のトリイソシアネート、ポリイソシアネート、ポリイソシアネート誘導体、またはポリイソシアネート同族体を含むポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ14）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー成分（Ｂ）（ｉｉｉ）５〜９５質量％と、一般式
Ｘ−ＣＯ−Ｙ
［式中、Ｘ、Ｙは、互いに独立して、Ｆ、Ｃｌ、Ｂｒ、Ｉ、ＣＣｌ3、Ｒ7、ＯＲ7である（式中、Ｒ7は、アルキル、シクロアルキル、アリール、１〜２５個の炭素原子と０〜１０個のＮ原子と０〜１０個のＯ原子とを有する任意の有機基である）］のカルボニル成分（Ｋ）７５〜５質量％と、アミノアルキルアルコキシシラン成分（Ｅ）（ｉ）および／または（Ｅ）（ｉｉ）７５〜５質量％とを反応させ、結果として、第１段階において、ＨＸおよび／またはＨＹを除去して、一般式
（Ｂ）−ＣＯ−Ｙおよび／またはＸ−ＣＯ−（Ｂ）
または
（Ｅ）−ＣＯ−Ｙおよび／またはＸ−ＣＯ−（Ｅ）
［式中、（Ｂ）は脱プロトン化された成分（Ｂ）（ｉ）および／または（Ｂ）（ｉｉ）および／または（Ｂ）（ｉｉｉ）であり、（Ｅ）は脱プロトン化された成分（Ｅ）（ｉ）および／または（Ｅ）（ｉｉ）である］の付加物を得、
第２段階において、ＨＸおよび／またはＨＹを除去して、一般式
（Ｂ）−ＣＯ−（Ｅ）
の付加物を得るステップであって、前記反応は、好ましくはモル比１：１：１で、任意の手段で実施されるステップによって、
あるいは
一般式
（Ｂ）−ＣＯ−Ｙおよび／またはＸ−ＣＯ−（Ｂ）
の予備形成付加物５〜９５質量％と、アミノアルキルアルコキシシラン成分（Ｅ）（ｉ）および／または（Ｅ）（ｉｉ）９５〜５質量％とを反応させ、結果としてＨＸおよび／またはＨＹを除去して、一般式
（Ｂ）−ＣＯ−（Ｅ）
の付加物を得るステップであって、前記反応は、好ましくはモル比１：１で、任意の手段で実施されるステップによって、
あるいは
一般式
（Ｅ）−ＣＯ−Ｙおよび／またはＸ−ＣＯ−（Ｅ）
の予備形成付加物５〜９５質量％と、（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー成分（Ｂ）（ｉｉｉ）９５〜５質量％とを反応させ、結果としてＨＸおよび／またはＨＹを除去して、一般式
（Ｂ）−ＣＯ−（Ｅ）
の付加物を得るステップであって、前記反応は、好ましくはモル比１：１で、任意の手段で実施されるステップによって、
および／または
ａ15）反応生成物ａ2）〜ａ14）の場合に、アミノアルキルアルコキシシラン成分（Ｅ）（ｉ）および／またはアミノシラン成分（Ｅ）（ｉｉ）を、一般式
ＨＳ−（ＣＲ32）y’−Ｓｉ（ＯＲ1）3-x’Ｒ2x’
の３−メルカプトプロピルトリアルコキシシランを含むメルカプトアルキルアルコキシシラン成分（Ｌ）（ｉ）、および／または分子量が２００〜２０００ダルトンであり、１つまたは複数のメルカプト基と１つまたは複数のアルコキシシラン基とを有する別のメルカプトシラン成分（Ｌ）（ｉｉ）に置き換えるステップによって、
および／または
ａ16）分子量が２００〜２０００ダルトンであり、１つまたは複数のエポキシ基を有する、一般式
ＣＦ3−（ＣＦ2）x−（ＣＨ2）y−ＣＨＯＣＨ2
または
ＣＲ3−（ＣＲ2）x−（ＣＨ2）y−ＣＨＯＣＨ2
または
ＣＲ3−（ＣＲ2）x−（ＣＨ2）y−Ｏ−ＣＨ2−ＣＨＯＣＨ2
の（ペル）フルオロアルキルアルキレンオキシド成分（Ｍ）５〜９５質量と、アミノシラン成分（Ｅ）（ｉ）および／または（Ｅ）（ｉｉ）９５〜５質量％とを反応させるステップであって、前記反応は、好ましくはモル比１：１または１：２で、任意の手段で実施されるステップによって、
および／または
ａ17）（ペル）フルオロアルキルアルキレンオキシド成分（Ｍ）５〜９５質量％と、エポキシアルキロールアルコキシシラン成分（Ｎ）（ｉ）および／または分子量が２００〜２０００ダルトンであり、１つまたは複数のエポキシ基を有する、一般式
ＣＨ2ＯＣＨ−ＣＨ2−Ｏ−（ＣＲ32）y’−Ｓｉ（ＯＲ1）3-x’Ｒ2x’
の（置換）３−グリシジルオキシプロピルトリアルコキシシランを含む、（Ｎ）（ｉ）とは異なる成分（Ｎ）（ｉｉ）７５〜５質量％と、分子量が６０〜５０００ダルトンであり、エポキシド基に対して反応性の１つまたは複数の（シクロ）脂肪族および／または芳香族の一級および／または２級アミノ基と、さらに適切な場合には１つまたは複数のヒドロキシル基とを有するポリアミン成分（Ｏ）７５〜５質量％とを反応させるステップであって、前記反応は、好ましくはモル比１：１：１または２：２：１で、任意の手段で実施されるステップによって、
および／または
ａ18）一般式
（Ｒ8uＲ9vＲ10wＳｉＯ1.5）p
［式中、０＜ｕ＜１であり、０＜ｖ＜１であり、０＜ｗ＜１であり、ｕ＋ｖ＋ｗ＝１であり、ｐ＝４、６、８、１０、１２であり、Ｒ8、Ｒ9、Ｒ10は、互いに独立して、１〜２５０個の炭素原子と、０〜５０個のＮ原子および／または１〜５０個のＯ原子および／または３〜１００個のＦ原子および／または０〜５０個のＳｉ原子および／または０〜５０個のＳ原子を有する、任意の無機および／または有機でありかつ適切な場合にはポリマー性の基である］の、１つまたは複数のエポキシ基と１つまたは複数のペルフルオロアルキル基とを有するエポキシ官能性多面体オリゴマーポリシラセスキオキサン成分（ＰＯＳＳ）（Ｐ）（ｉ）５〜９５質量％と、アミノシラン成分（Ｅ）（ｉ）および／または（Ｅ）（ｉｉ）９５〜５質量％とを反応させるステップであって、前記反応は、好ましくはモル比１：（＞）１で、任意の手段で実施されるステップによって、
および／または
ａ19）一般式
（Ｒ8uＲ9vＲ10wＳｉＯ1.5）p
の、１つまたは複数のアミノ基と１つまたは複数のペルフルオロアルキル基とを有するアミノ官能性多面体オリゴマーポリシルセスキオキサン成分（ＰＯＳＳ）（Ｐ）（ｉｉ）５〜９５質量％と、イソシアナトアルキルアルコキシシラン成分（Ｃ）（ｉ）および／または（Ｃ）（ｉ）とは異なる成分（Ｃ）（ｉｉ）９５〜５質量％とを反応させるステップであって、前記反応は、好ましくはモル比１：（＞）１で、任意の手段で実施されるステップによって、
および／または
ａ20）一般式
（Ｒ8uＲ9vＲ10wＳｉＯ1.5）p
の、１つまたは複数の（メタ）アクリロイル基と１つまたは複数のペルフルオロアルキル基とを有する（メタ）アクリロイル官能性多面体オリゴマーポリシラセスキオキサン成分（ＰＯＳＳ）（Ｐ）（ｉｉｉ）５〜９５質量％と、分子量が６０〜５０００ダルトンであり、エポキシド基に対して反応性の１つまたは複数の（シクロ）脂肪族および／または芳香族の１級および／または２級アミノ基と、１つまたは複数のヒドロキシル基とを有するアミノアルコール成分（Ｑ）（ｉ）、および／または別のアミノアルコール成分（Ｑ）（ｉｉ）９５〜５質量％とを反応させるステップであって、前記反応は、好ましくはモル比１：（＞）１で、任意の手段で実施されるステップによって、
あるいは、予備形成フルオロシラン（Ａ）（ｉｉ）、例えば、
ａ21）一般式
ＣＦ3−（ＣＦ2）x−（ＣＨ2）y−Ｓｉ（ＯＲ1）3-x’Ｒ2x’
または
ＣＲ3−（ＣＲ2）x−（ＣＨ2）y−Ｓｉ（ＯＲ1）3-x’Ｒ2x’
の（ペル）フルオロアルキルアルコキシシラン、
および／または
ａ22）構造要素
−（ＣＦ2−ＣＦ2）x−
および／または
−（ＣＲ2−ＣＲ2）x−
および／または
−［ＣＦ2−ＣＦ（ＣＦ3）−Ｏ］x−
および／または
−（ＣＲ2−ＣＲ2−Ｏ）x−
および
−Ｓｉ（ＯＲ1）3-x’Ｒ2x’
を含有する別の反応生成物を用いるステップによって、
フルオロシラン成分（Ａ）（ｉ）を製造するステップと（このとき純粋なフルオロシラン成分（Ａ）２．５〜２５０質量部、ならびに触媒成分（Ｒ）０〜１０質量部、および溶媒成分（Ｓ）（ｉ）０〜２５０質量部が存在する）、
ｂ1）適切な場合には、ステップａ）の溶媒成分（Ｓ）（ｉ）を、前記反応の前、最中、または後に、蒸留によって部分的または完全に除去するステップと、
ｂ2）適切な場合には、ステップａ）の触媒成分（Ｒ）を、前記反応後に、適切な吸収剤または別の手段によって、部分的または完全に除去するステップと、
ｂ3）ステップａ）の混合物を、前記反応の前、最中、または後に、溶媒成分（Ｓ）（ｉｉ）０〜２５０質量部に溶解させるステップと、
ｃ1）アミノシラン成分（Ｅ）（ｉ）および／または（Ｅ）（ｉｉ）０〜１００質量部と、
ｃ1.1）アミノアルコール成分（Ｑ）（ｉ）および／または別のアミノアルコール成分（Ｑ）（ｉｉ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.2）アミノアルコール成分（Ｑ）（ｉ）および／または別のアミノアルコール成分（Ｑ）（ｉｉ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.3）ヒドロキシカルボン酸成分（Ｉ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.4）ヒドロキシカルボン酸成分（Ｉ）５〜７５質量％、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.5）ＮＣＮ成分（Ｊ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.6）ＮＣＮ成分（Ｊ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.7）アミノシラン成分（Ｅ）（ｉ）および／または（Ｅ）（ｉｉ）５〜９５質量％と、不飽和カルボン酸を含む酸成分（Ｕ）（ｉ）９５〜５質量％との反応生成物であって、好ましくはモル比１：＞１で、任意の手段で実施される反応による反応生成物、
および／または
ｃ1.8）アミノシラン成分（Ｅ）（ｉ）および／または（Ｅ）（ｉｉ）５〜９５質量％と、不飽和カルボン酸無水物を含む酸成分（Ｕ）（ｉｉ）９５〜５質量％との反応生成物であって、好ましくはモル比１：＞１で、任意の手段で実施される反応による反応生成物、
および／または
ｃ1.9）アミノシラン成分（Ｅ）（ｉ）および／または（Ｅ）（ｉｉ）５〜９５質量％と、オン酸または糖酸またはポリヒドロキシ（ジ）カルボン酸またはポリヒドロキシカルボン酸アルデヒドのγ−および／またはδ−ラクトンを含む酸成分（Ｕ）（ｉｉｉ）９５〜５質量％との反応生成物であって、任意の手段で、モノラクトンの場合は好ましくはモル比１：１で実施され、ジラクトンの場合は好ましくはモル比２：１で実施される、一般式
（Ｅ）−ＣＯ−［ＣＨ（ＯＨ）4］−ＣＨ2ＯＨ
および／または
（Ｅ）−ＣＯ−［ＣＨ（ＯＨ）4］−ＣＨＯ
および／または
（Ｅ）−ＣＯ−［ＣＨ（ＯＨ）4］−ＣＯ−（Ｅ）
の親水性シランを生じる反応による反応生成物（このとき、反応生成物ｃ1.1）〜ｃ1.9）は、触媒成分（Ｒ）０〜１０質量部と、溶媒成分（Ｓ）（ｉ）０〜２５０質量部と、溶媒成分（Ｓ）（ｉｉ）０〜２５０質量部とを含有する）を含む、安定化成分（Ｔ）０．１〜１００質量部と、
ｃ1.10）一般式
Ｒ11−Ｏ−Ａz’−（ＣＨ2）y’−Ｓｉ（ＯＲ1）3-x’Ｒ2x’
および／または
ＨＯ−Ａz’−（ＣＨ2）y’−Ｓｉ（ＯＲ1）3-x’Ｒ2x’
［式中、Ｒ11は、アルキル、シクロアルキル、アリール、いずれの場合も１〜２５個の炭素原子を有する任意の有機基である］の非イオン性シラン成分（Ｅ）（ｉｉｉ）、
および／または
ｃ1.11）単官能性ポリアルキレングリコール成分（Ｇ）（ｉ）および／または単官能性ポリオキシアルキレンアミン成分（Ｇ）（ｉｉ）および／または多官能性ポリアルキレングリコール成分（Ｇ）（ｉｉｉ）および／または多官能性ポリオキシアルキレンアミン成分（Ｇ）（ｉｖ）５〜９５質量％と、イソシアナトシラン成分（Ｃ）（ｉ）および／または（Ｃ）（ｉｉ）９５〜５質量％との反応生成物であって、モノヒドロキシ官能性グリコールまたはモノアミノ官能性グリコールの場合は、好ましくはモル比１：１で、任意の手段で実施される反応による反応生成物、
および／または
ｃ1.12）単官能性ポリアルキレングリコール成分（Ｇ）（ｉ）および／または単官能性ポリオキシアルキレンアミン成分（Ｇ）（ｉｉ）および／または多官能性ポリアルキレングリコール成分（Ｇ）（ｉｉｉ）および／または多官能性ポリオキシアルキレンアミン成分（Ｇ）（ｉｖ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、モノヒドロキシ官能性グリコールまたはモノアミノ官能性グリコールの場合は、好ましくはモル比１：１：１で、任意の手段で実施される反応による反応生成物、
および／または
ｃ1.13）ポリオキシアルキレンアミン成分（Ｇ）（ｉｉ）および／または多官能性ポリオキシアルキレンアミン成分（Ｇ）（ｉｖ）５〜９５質量％と、エポキシアルキロールアルコキシシラン成分（Ｎ）（ｉ）および／または（Ｎ）（ｉ）とは異なるエポキシシラン成分（Ｎ）（ｉｉ）９５〜５質量％との反応生成物であって、モノアミノ官能性グリコールの場合は、好ましくはモル比１：１または１：２で、任意の手段で実施される反応による反応生成物、
および／または
ｃ1.14）単官能性ポリアルキレングリコール成分（Ｇ）（ｉ）および／または単官能性ポリオキシアルキレンアミン成分（Ｇ）（ｉｉ）５〜７５質量％と、アミノシラン成分（Ｅ）（ｉ）および／または（Ｅ）（ｉｉ）５０〜５質量％と、ポリイソシアネート成分（Ｄ）（ｉｉ）５０〜５質量％との反応生成物であって、三官能性イソシアネートの場合は、好ましくはモル比１：２：１または２：１：１で、任意の手段で実施される反応による反応生成物、
および／または
ｃ1.15）単官能性ポリアルキレングリコール成分（Ｇ）（ｉ）および／または単官能性ポリオキシアルキレンアミン成分（Ｇ）（ｉｉ）５〜７５質量％と、アミノシラン成分（Ｅ）（ｉ）および／または（Ｅ）（ｉｉ）５０〜５質量％と、塩化シアヌルまたは２，４，６−トリクロロ−１，３，５−トリアジンを含むトリアジン成分（Ｈ）５０〜５質量％との反応生成物であって、好ましくはモル比１：２：１または２：１：１で、任意の手段で実施される反応による反応生成物（このとき、反応生成物ｃ1.10）〜ｃ1.15）は、触媒成分（Ｒ）０〜１０質量部と、溶媒成分（Ｓ）（ｉ）０〜２５０質量部と、溶媒成分（Ｓ）（ｉｉ）０〜２５０質量部とを含有する）を含む、親水性シラン成分（Ｖ）０．１〜１００質量部とを含むステップａ）またはｂ）の混合物を、水０．２５〜２５質量部によって（部分的に）加水分解またはシラン化するステップと、
ｃ2）酸成分（Ｕ）（ｉｖ）０〜７５質量部または別の中和成分（Ｗ）０〜７５質量部を用いて、前記（アミノ官能性）付加物を部分的または完全に中和するステップと、
ｃ3）適切な場合には、前記遊離したアルコールおよび／または溶媒成分（Ｓ）（ｉ）および／または（Ｓ）（ｉｉ）を、前記反応の前、最中、または後に、蒸留によって部分的または完全に除去するステップと、
ｄ1）その後あるいは同時に、ステップｃ）の反応生成物を水９９７．０５〜１２４質量部に溶解または分散させて、オリゴマー化するステップと、
ｄ2）適切な場合には、前記遊離したアルコールおよび／または溶媒成分（Ｓ）（ｉ）および／または（Ｓ）（ｉｉ）を、前記反応の前、最中、または後に、蒸留によって部分的または完全に除去することによって、また適切な場合には、前記反応の前、最中、または後に、適切な吸収剤または別の手段を用いて前記触媒成分（Ｒ）を部分的または完全に除去することによって、０〜１質量部を上回る触媒成分（Ｒ）、０〜２５質量部を上回る溶媒成分（Ｓ）（ｉ）、および０〜２５質量部を上回る溶媒成分（Ｓ）（ｉｉ）が存在しないようにするステップと、
ｅ）適切な場合には、ステップａ）および／またはｂ）および／またはｃ）および／またはｄ）の最中または後に、配合成分（Ｙ）（ｉ）０〜５０質量部または０〜６０質量部を任意の手段で添加する、および／または
ｅ1）一般式
ＨＯ−［Ｓｉ（ＣＨ3）2−Ｏ］c−Ｓｉ（ＣＨ3）［（ＣＨ2）3ＮＨ（ＣＨ2）2ＮＨ2］−Ｏ−［Ｓｉ（ＣＨ3）2−Ｏ］c−Ｈ
または
Ｒ’Ｏ−［Ｓｉ（ＣＨ3）2−Ｏ］c−Ｓｉ（ＣＨ3）［（ＣＨ2）3ＮＨ（ＣＨ2）2ＮＨ2］−Ｏ−［Ｓｉ（ＣＨ3）2−Ｏ］c−Ｒ’
または
（Ｈ3ＣＯ）2Ｓｉ［（ＣＨ2）3ＮＨ（ＣＨ2）2ＮＨ2］−［Ｓｉ（ＣＨ3）2−Ｏ］c−Ｓｉ［（ＣＨ2）3ＮＨ（ＣＨ2）2ＮＨ2］（ＯＣＨ3）2
［式中、ｃ＝１〜１００であり、Ｒ’は、Ｈ、Ｍｅ、Ｅｔである］のアミノシリコンオイル成分（Ｅ）（ｉｖ）、
および／または
ｅ2）一般式
Ｒ12−Ｓｉ（ＯＲ1）3-x’Ｒ2x’
［式中、Ｒ12はＯＲ1であり、Ｒ2は、互いに独立して、アルキル、シクロアルキル、アリール、１〜２５個の炭素原子を有する任意の有機基である］の低分子シラン成分（Ｅ）（ｖ）、
および／または
ｅ3）（アルコール非含有）アミノシラン加水分解物、および／または（ジ／トリ）アミノ／アルキル官能性シロキサンコオリゴマー、および／またはアミノ／ビニル官能性シロキサンコオリゴマー、および／またはエポキシ官能性シロキサンコオリゴマーを含む、親水性化された水性シラン成分（Ｅ）（ｖｉ）、
および／または
ｅ4）一次粒子および／または凝集物および／または集塊物の形態の無機および／または有機ナノ粒子またはナノコンポジットを含む（反応性）ナノ粒子成分（Ｙ）（ｉｉ）であって、前記ナノ粒子は、疎水性化および／またはドープおよび／または被覆されていてもよく、さらに一般式Ｒ12−Ｓｉ（ＯＲ1）3-x’Ｒ2x’の反応性のアミノ基および／またはヒドロキシル基および／またはメルカプト基および／またはイソシアナト基および／またはエポキシ基および／またはメタクリロイル基および／またはシラン基で表面変性されていてもよい（反応性）ナノ粒子成分（Ｙ）（ｉｉ）、
を含む、官能化成分（Ｚ）０〜５０質量部または０〜６０質量部を添加する、および／または共反応させるステップと、
によって得られる組成物。
【請求項２】
成分（Ｃ）（ｉ）として、３−イソシアナトプロピルトリメトキシシランおよび／または３−イソシアナトプロピルトリエトキシシランが使用されることを特徴とする、請求項１に記載の組成物。
【請求項３】
成分（Ｄ）（ｉ）として、イソホロンジイソシアネートおよび／またはトリレンジイソシアネートが使用されることを特徴とする、請求項１または２に記載の組成物。
【請求項４】
成分（Ｄ）（ｉｉ）として、場合によっては親水性に変性された、１，６−ジイソシアナトヘキサンの三量体が使用されることを特徴とする、請求項１から３までのいずれか１項に記載の組成物。
【請求項５】
成分（Ｅ）（ｉ）として、３−アミノプロピルトリメトキシシラン、および／または３−アミノプロピルトリエトキシシラン、および／またはＮ−（２−アミノエチル）−３−アミノプロピルトリメトキシシラン、および／またはＮ−（２−アミノエチル）−３−アミノプロピルトリエトキシシラン、および／またはＮ−［Ｎ’−（２−アミノエチル）−２−アミノエチル］−３−アミノプロピルトリメトキシシランが使用され、成分（Ｅ）（ｉｉｉ）として、一般式
Ｈ3Ｃ−Ｏ−（ＣＨ2ＣＨ2−Ｏ）z’−（ＣＨ2）3−Ｓｉ（ＯＲ1）3
［式中、ｚ’＝５〜１５であり、Ｒ1はＭｅ、Ｅｔである］のシランが使用されることを特徴とする、請求項１から４までのいずれか１項に記載の組成物。
【請求項６】
成分（Ｉ）として、クエン酸、および／またはヒドロキシピバリン酸、および／またはジメチロールプロピオン酸が使用されることを特徴とする、請求項１から５までのいずれか１項に記載の組成物。
【請求項７】
成分（Ｋ）として、ホスゲン、および／またはエチルクロロホルメート、および／またはジエチルカーボネート、および／または成分（Ｂ）（ｉ）および／または（Ｂ）（ｉｉ）および／または（Ｂ）（ｉｉｉ）のクロロホルメートまたはホスゲン誘導体、および／または成分（Ｅ）（ｉ）および／または（Ｅ）（ｉｉ）のカルバメートが使用されることを特徴とする、請求項１から６までのいずれか１項に記載の組成物。
【請求項８】
成分（Ｌ）（ｉ）として、３−メルカプトプロピルトリメトキシシランおよび／または３−メルカプトプロピルトリエトキシシランが使用されることを特徴とする、請求項１から７までのいずれか１項に記載の組成物。
【請求項９】
成分（Ｍ）として、４，４，５，５，６，６，７，７，８，８，９，９，９−トリデカフルオロノネン−１，２−オキシドおよび／または４，４，５，５，６，６，７，７，８，８，９，９，１０，１０，１１，１１，１１−ヘプタデカフルオロウンデセン−１，２−オキシドが使用されることを特徴とする、請求項１から８までのいずれか１項に記載の組成物。
【請求項１０】
成分（Ｎ）（ｉ）として、３−グリシジルオキシプロピルトリメトキシシランおよび／または３−グリシジルオキシプロピルトリエトキシシランが使用されることを特徴とする、請求項１から９までのいずれか１項に記載の組成物。
【請求項１１】
成分（Ｏ）として、エチレンジアミンが使用されることを特徴とする、請求項１から１０までのいずれか１項に記載の組成物。
【請求項１２】
成分（Ｑ）として、ジエタノールアミン、および／またはジイソプロパノールアミン、および／またはトリメチロールメチルアミン、および／またはアミノ糖が使用されることを特徴とする、請求項１から１１までのいずれか１項に記載の組成物。
【請求項１３】
成分（Ｒ）として、ジブチルスズオキシド、および／またはジブチルスズジラウレート（ＤＢＴＬ）、および／またはトリエチルアミン、および／またはスズ（ＩＩ）オクトエート、および／または１，４−ジアザビシクロ［２．２．２］オクタン（ＤＡＢＣＯ）、および／または１，４−ジアザビシクロ［３．２．０］−５−ノネン（ＤＢＮ）、および／または１，５−ジアザビシクロ［５．４．０］−７−ウンデセン（ＤＢＵ）、および／またはモルホリン誘導体、例えばＪＥＦＦＣＡＴ（登録商標）  Ａｍｉｎｅ  Ｃａｔａｌｙｓｔｓが使用されることを特徴とする、請求項１から１２までのいずれか１項に記載の組成物。
【請求項１４】
成分（Ｓ）（ｉ）として、アセトン、および／またはブタノン、および／またはＮ−メチル−２−ピロリドン、および／またはＮ−エチル−２−ピロリドン、および／またはジプロピレングリコールジメチルエーテル（Ｐｒｏｇｌｙｄｅ  ＤＭＭ（登録商標））が使用されることを特徴とする、請求項１から１３までのいずれか１項に記載の組成物。
【請求項１５】
成分（Ｓ）（ｉｉ）として、メタノール、および／またはエタノール、および／または２−プロパノールが使用されることを特徴とする、請求項１から１４までのいずれか１項に記載の組成物。
【請求項１６】
成分（Ｕ）（ｉ）として、アクリル酸が使用されることを特徴とする、請求項１から１５までのいずれか１項に記載の組成物。
【請求項１７】
成分（Ｕ）（ｉｉ）として、マレイン酸無水物が使用されることを特徴とする、請求項１から１６までのいずれか１項に記載の組成物。
【請求項１８】
成分（Ｕ）（ｉｉ）として、Ｄ−グルコノラクトンが使用されることを特徴とする、請求項１から１７までのいずれか１項に記載の組成物。
【請求項１９】
成分（Ｕ）（ｉｖ）として、ギ酸が使用されることを特徴とする、請求項１から１８までのいずれか１項に記載の組成物。
【請求項２０】
成分（Ｗ）として、トリエチルアミンが使用されることを特徴とする、請求項１から１９までのいずれか１項に記載の組成物。
【請求項２１】
成分（Ｙ）（ｉ）として、（官能化された）無機および／または有機の充填剤および／または軽量充填剤、（官能化された）無機および／または有機顔料、（官能化された）無機および／または有機担持材料、無機および／または有機繊維、グラファイト、カーボンブラック、炭素繊維、カーボンナノチューブ、金属繊維および金属粉、導電性有機ポリマー、さらなるポリマーおよび／または再分散可能なポリマー粉末、超吸収体、さらなる無機および／または有機化合物、消泡剤、脱気剤、潤滑剤およびレベリング添加剤、基体湿潤添加剤、湿潤添加剤および分散剤、疎水性化剤、レオロジー添加剤、凝集助剤、つや消し剤、接着促進剤、不凍剤、抗酸化剤、ＵＶ安定剤、殺生物剤、水、溶媒、触媒が使用されることを特徴とする、請求項１から２０までのいずれか１項に記載の組成物。
【請求項２２】
成分（Ｙ）（ｉｉ）として、二酸化ケイ素および／または二酸化チタンおよび／または酸化亜鉛に基づく（反応性）ナノ粒子であって、固体の形態で、および／または分散剤および／またはペーストの形態で存在するナノ粒子が使用されることを特徴とする、請求項１から２１までのいずれか１項に記載の組成物。
【請求項２３】
成分（Ｙ）（ｉｉ）全体の少なくとも５０質量％が、５００ｎｍ以下の粒径を有し（規格：ＤＩＮ  ５３２０６−１、顔料の試験；粒径分析、基礎概念）、この５００ｎｍ以下の粒径を有する粒子全体が、１０〜２００ｍ2／ｇの比表面積を有する（規格：ＤＩＮ  ６６１３１、ブルナウアー・エメット・テラー（ＢＥＴ）法を用いた気体吸着による固体の比表面積の測定）ことを特徴とする、請求項１から２２までのいずれか１項に記載の組成物。
【請求項２４】
成分（Ｙ）（ｉｉ）全体の少なくとも７０質量％、好ましくは少なくとも９０質量％が、１０〜３００ｎｍの粒径を有し（規格：ＤＩＮ  ５３２０６−１、顔料の試験；粒径分析、基礎概念）、この１０〜３００ｎｍの粒径を有する粒子全体が、３０〜１００ｍ2／ｇの比表面積を有する（規格：ＤＩＮ  ６６１３１、ブルナウアー・エメット・テラー（ＢＥＴ）法を用いた気体吸着による固体の比表面積の測定）ことを特徴とする、請求項１から２３までのいずれか１項に記載の組成物。
【請求項２５】
成分（Ｙ）（ｉ）および（Ｙ）（ｉｉ）が、被覆された形態、および／またはマイクロカプセル化された形態、および／または担持された形態、および／または親水性化された形態、および／または溶媒を含有する形態で存在し、また適切な場合には遅延して遊離されることを特徴とする、請求項１から２４までのいずれか１項に記載の組成物。
【請求項２６】
ａ）フルオロシラン成分（Ａ）（ｉ）が、成分
ａ1）（Ｂ）（ｉ）、（Ｂ）（ｉｉ）、（Ｂ）（ｉｉｉ）、および（Ｃ）、および／または
ａ2）（Ｂ）（ｉ）、（Ｂ）（ｉｉ）、（Ｂ）（ｉｉｉ）、（Ｄ）（ｉ）、（Ｅ）（ｉ）、および（Ｅ）（ｉｉ）、および／または
ａ3）（Ｂ）（ｉｖ）、（Ｅ）（ｉ）、および（Ｅ）（ｉｉ）、および／または
ａ4）（Ｂ）（ｖ）、（Ｅ）（ｉ）、および（Ｅ）（ｉｉ）、および／または
ａ5）（Ｆ）（ｉ）、（Ｅ）（ｉ）、および（Ｅ）（ｉｉ）、および／または
ａ6）（Ｆ）（ｉｉ）、（Ｅ）（ｉ）、および（Ｅ）（ｉｉ）、および／または
ａ7）（Ｂ）（ｉ）、（Ｂ）（ｉｉ）、（Ｂ）（ｉｉｉ）、（Ｅ）（ｉ）、（Ｅ）（ｉｉ）、および（Ｄ）（ｉｉ）、および／または
ａ8）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉ）、（Ｇ）（ｉｉ）、および（Ｄ）（ｉｉ）、および／または
ａ9）（Ｂ）（ｉ）、（Ｂ）（ｉｉ）、（Ｂ）（ｉｉｉ）、Ｅ）（ｉ）、（Ｅ）（ｉｉ）、および（Ｈ）、および／または
ａ10）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉ）、（Ｇ）（ｉｉ）、および（Ｈ）、および／または
ａ11）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉｉｉ）、（Ｇ）（ｉｖ）、および（Ｄ）（ｉ）、および／または
ａ12）（Ｂ）（ｉ）、（Ｂ）（ｉｉ）、（Ｂ）（ｉｉｉ）、（Ｅ）（ｉ）、（Ｅ）（ｉｉ）、（Ｉ）、および（Ｄ）（ｉｉ）、および／または
ａ13）（Ｂ）（ｉ）、（Ｂ）（ｉｉ）、（Ｂ）（ｉｉｉ）、（Ｅ）（ｉ）、（Ｅ）（ｉｉ）、（Ｊ）、および（Ｄ）（ｉｉ）、および／または
ａ14）（Ｂ）（ｉ）、（Ｂ）（ｉｉ）、（Ｂ）（ｉｉｉ）、（Ｅ）（ｉ）、（Ｅ）（ｉｉ）、および（Ｋ）、および／または
ａ15）成分（Ｅ）（ｉ）およびＥ（ｉｉ）を成分（Ｌ）（ｉ）および（Ｌ）（ｉｉ）に置き換えて、ａ2）〜ａ14）と同様、および／または
ａ16）（Ｍ）、（Ｅ）（ｉ）、およびＥ）（ｉｉ）、および／または
ａ17）（Ｍ）、（Ｎ）（ｉ）、（Ｎ）（ｉｉ）、および（Ｏ）、および／または
ａ18）（Ｐ）（ｉ）、（Ｅ）（ｉ）、および（Ｅ）（ｉｉ）、および／または
ａ19）（Ｐ）（ｉｉ）、（Ｃ）（ｉ）、および（Ｃ）（ｉｉ）、および／または
ａ20）（Ｐ）（ｉｉｉ）、（Ｑ）（ｉ）、および（Ｑ）（ｉｉ）を反応させることによって製造されるか、
あるいはａ21）〜ａ22）により、予備形成フルオロシラン（Ａ）（ｉｉ）が使用され
（このとき適切な場合には触媒成分（Ｒ）、さらに適切な場合には溶媒成分（Ｓ）（ｉ）が、前記純粋なフルオロシラン成分（Ａ）に加えて存在する）、続いて、
ｂ1）適切な場合には、ステップａ）の溶媒成分（Ｓ）（ｉ）が、前記反応の前、最中、または後に、蒸留によって部分的または完全に除去され、
ｂ2）適切な場合には、ステップａ）の触媒成分（Ｒ）が、前記反応後に、適切な吸収剤または別の手段によって、部分的または完全に除去され、
ｂ3）適切な場合には、ステップａ）のフルオロシラン成分（Ａ）が、前記反応の前、最中、または後に、溶媒成分（Ｓ）（ｉｉ）に溶解されるか、
あるいは
ｃ1）ステップａ）またはｂ）のフルオロシラン成分（Ａ）が、適切な場合には、アミノアルキルアルコキシシラン成分（Ｅ）（ｉ）、および／またはアミノシラン成分（Ｅ）（ｉｉ）、および／または成分
ｃ1.1）（Ｑ）（ｉ）、（Ｑ）（ｉｉ）、（Ｃ）（ｉ）、および（Ｃ）（ｉｉ）、および／または
ｃ1.2）（Ｑ）（ｉ）（Ｑ）（ｉｉ）、（Ｅ）（ｉ）、（Ｅ）（ｉｉ）、および（Ｄ）（ｉ）、および／または
ｃ1.3）（Ｉ）、（Ｃ）（ｉ）、および（Ｃ）（ｉｉ）、および／または
ｃ1.4）（Ｉ）、（Ｅ）（ｉ）、（Ｅ）（ｉｉ）、および（Ｄ）（ｉ）、および／または
ｃ1.5）（Ｊ）、（Ｃ）（ｉ）、および（Ｃ）（ｉｉ）、および／または
ｃ1.6）（Ｊ）、（Ｅ）（ｉ）、（Ｅ）（ｉｉ）、および（Ｄ）（ｉ）、および／または
ｃ1.7）（Ｅ）（ｉ）、（Ｅ）（ｉｉ）、および（Ｕ）（ｉ）、および／または
ｃ1.8）（Ｅ）（ｉ）、（Ｅ）（ｉｉ）、および（Ｕ）（ｉｉ）、および／または
ｃ1.9）（Ｅ）（ｉ）、（Ｅ）（ｉｉ）、および（Ｕ）（ｉｉｉ）の反応生成物を含む、安定化成分（Ｔ）（このとき、適切な場合には触媒成分（Ｒ）、適切な場合には溶媒成分（Ｓ）（ｉ）、さらに適切な場合には溶媒成分（Ｓ）（ｉｉ）が、前記純粋な安定化成分（Ｔ）に加えて存在する）、
および
ｃ1.10）（Ｅ）（ｉｉｉ）、および／または成分
ｃ1.11）（Ｇ）（ｉ）、（Ｇ）（ｉｉ）、（Ｇ）（ｉｉｉ）、（Ｇ）（ｉｖ）、（Ｃ）（ｉ）、および（Ｃ）（ｉｉ）、および／または
ｃ1.12）（Ｇ）（ｉ）および（Ｇ）（ｉｉ）（Ｇ）（ｉｉｉ）（Ｇ）（ｉｖ）、（Ｅ）（ｉ）（Ｅ）（ｉｉ）、および（Ｄ）（ｉ）、および／または
ｃ1.13）（Ｇ）（ｉｉ）、（Ｇ）（ｉｖ）、（Ｎ）（ｉ）、および（Ｎ）（ｉｉ）、および／または
ｃ1.14）（Ｇ）（ｉ）、（Ｇ）（ｉｉ）、（Ｅ）（ｉ）、（Ｅ）（ｉｉ）、および（Ｄ）（ｉｉ）、および／または
ｃ1.15）（Ｇ）（ｉ）、（Ｇ）（ｉｉ）、（Ｅ）（ｉ）、（Ｅ）（ｉｉ）、および（Ｈ）の反応生成物を含む、親水性シラン成分（Ｖ）（このとき、適切な場合には触媒成分（Ｒ）、適切な場合には溶媒成分（Ｓ）（ｉ）、さらに適切な場合には溶媒成分（Ｓ）（ｉｉ）が、前記純粋な親水性シラン成分（Ｖ）に加えて存在する）の存在下で、水を用いて、（部分的に）加水分解またはシラン化され、
ｃ2）前記（アミノ官能性）付加物が、酸成分（Ｕ）（ｉｖ）または別の中和成分（Ｗ）によって、部分的または完全に中和され、
ｃ3）適切な場合には、前記遊離したアルコール、および／または前記溶媒成分（Ｓ）（ｉ）および／または（Ｓ）（ｉｉ）が、前記反応の前、最中、または後に、蒸留によって部分的または完全に除去され、
ｄ1）ステップｃ）の反応生成物が、その後または同時に、水に溶解または分散されて、オリゴマー化され、
ｄ2）適切な場合には、０〜１質量部を上回る触媒成分（Ｒ）、０〜２５質量部を上回る溶媒成分（Ｓ）（ｉ）、および０〜２５質量部を上回る溶媒成分（Ｓ）（ｉｉ）が存在しないように、前記遊離したアルコールおよび／または前記溶媒成分（Ｓ）（ｉ）および／または（Ｓ）（ｉｉ）が、前記反応の前、最中、または後に、蒸留によって部分的または完全に除去され、さらに適切な場合には、前記触媒成分（Ｒ）が、前記反応の前、最中、または後に、適切な吸収剤または別の手段を用いて部分的または完全に除去され、
ｅ）適切な場合には、ステップａ）および／またはｂ）および／またはｃ）および／またはｄ）の最中または後に、配合成分（Ｙ）（ｉ）を添加してもよく、および／または成分
ｅ1）（Ｅ）（ｉｖ）、および／または
ｅ2）（Ｅ）（ｖ）、および／または
ｅ3）（Ｅ）（ｖｉ）、および／または
ｅ4）（Ｙ）（ｉｉ）を含む官能化成分（Ｚ）を添加しても、および／または共反応させてもよいことを特徴とする、請求項１から２５までのいずれか１項に記載のフッ素含有組成物を製造するための方法。
【請求項２７】
反応ステップａ）の成分（Ａ）（ｉ）と、反応ステップｃ）の成分（Ｖ）が、同時に製造または配合されることを特徴とする、請求項２６に記載の方法。
【請求項２８】
反応ステップｃ）およびｄ）、またはｂ）、ｃ）、およびｄ）が、任意の手段および順序で組み合わせられることを特徴とする、請求項２７に記載の方法。
【請求項２９】
前記フルオロシラン成分（Ａ）のアルコキシシラン基とアルコール溶媒成分（Ｓ）（ｉｉ）との（部分）エステル交換が、ステップｂ3）において付加的に実施されることを特徴とする、請求項２６から２８までのいずれか１項に記載の方法。
【請求項３０】
前記遊離したアルコール、および／または前記溶媒成分（Ｓ）（ｉ）および／または（Ｓ）（ｉｉ）が、ステップｃ3）およびｄ2）において、適切な場合には共沸による、蒸留によって除去され、さらに適切な場合には、その後または同時に、前記除去された水が補われることを特徴とする、請求項２６から２９までのいずれか１項に記載の方法。
【請求項３１】
ステップｃ）において、酸成分（Ｕ）（ｉｖ）が、水と一緒に装入されることを特徴とする、請求項２６から３０までのいずれか１項に記載の方法。
【請求項３２】
反応ステップａ）およびｂ）に記載のフッ素含有組成物または（ペル）フルオロアルキル官能性有機シランが、単一成分の形態で使用されることを特徴とする、請求項２６から３１までのいずれか１項に記載の方法。
【請求項３３】
反応ステップｃ）およびｄ）に記載のフッ素含有組成物、または（ペル）フルオロアルキル官能性有機シロキサン予備縮合物、または（ペル）フルオロアルキル官能性有機シロキサン縮合物が、単一成分の形態で使用されることを特徴とする、請求項２６から３２までのいずれか１項に記載の方法。
【請求項３４】
反応ステップａ）が、温度４０〜１２０℃、好ましくは５０〜１１０℃で実施されることを特徴とする、請求項２６から３３までのいずれか１項に記載の方法。
【請求項３５】
反応ステップｂ）〜ｅ）が、温度２０〜１２０℃、好ましくは５０〜１１０℃で実施されることを特徴とする、請求項２６から３４までのいずれか１項に記載の方法。
【請求項３６】
ステップｃ）およびｄ）の反応生成物中のフッ素原子と窒素原子の当量比が、１：５０〜５０：１、好ましくは１：２５〜２５：１、特に好ましくは１：１２．５〜１２．５：１とされることを特徴とする、請求項２６から３５までのいずれか１項に記載の方法。
【請求項３７】
ステップｃ）におけるアルコキシシラン基と水の当量比が、１：１０〜１０：１、好ましくは１：５〜５：１とされることを特徴とする、請求項２６から３６までのいずれか１項に記載の方法。
【請求項３８】
ステップｃ）におけるシリコン原子と水のモル比が、１：１０〜１０：１、好ましくは１：５〜５：１、特に好ましくは１：１．５とされることを特徴とする、請求項２６から３７までのいずれか１項に記載の方法。
【請求項３９】
反応ステップａ）およびｂ）において、成分（Ａ）、（Ｙ）（ｉ）、および（Ｚ）を含む前記フッ素含有組成物の固形分が、５〜１００質量％、好ましくは１００質量％とされることを特徴とする、請求項２６から３８までのいずれか１項に記載の方法。
【請求項４０】
反応ステップｃ）において、成分（Ａ）、（Ｅ）、（Ｕ）（ｉｖ）、（Ｔ）、（Ｖ）、（Ｙ）（ｉ）、および（Ｚ）を含む前記フッ素含有組成物の固形分が、２５〜１００質量％、好ましくは５０〜１００質量％とされることを特徴とする、請求項２６から３９までのいずれか１項に記載の方法。
【請求項４１】
反応ステップｄ）において、成分（Ａ）、（Ｅ）、（Ｕ）（ｉｖ）、（Ｔ）、（Ｖ）、（Ｙ）（ｉ）、および（Ｚ）を含む前記フッ素含有組成物の固形分が、０．００１〜１００質量％、好ましくは０．５〜５０質量％、特に好ましくは１〜１５質量％とされることを特徴とする、請求項２６から４０までのいずれか１項に記載の方法。
【請求項４２】
反応ステップｃ）およびｄ）において、前記フッ素含有組成物のｐＨが、１〜１４、好ましくは２〜６、特に好ましくは３〜５とされることを特徴とする、請求項２６から４１までのいずれか１項に記載の方法。
【請求項４３】
反応ステップｃ）およびｄ）において、前記フッ素含有組成物の粘度（Ｂｒｏｏｋｆｉｅｌｄ）が、１〜１００ｍＰａ・ｓとされることを特徴とする、請求項２６から４２までのいずれか１項に記載の方法。
【請求項４４】
建築分野または工業分野における、請求項１から４３までのいずれか１項に記載のフッ素含有組成物の使用であって、基体、特に鉱物および非鉱物基体、例えば、
・無機表面、
例えば、セメント（コンクリート、モルタル）、石灰、石膏プラスター、無水石膏、ジオポリマー、シリカおよびケイ酸塩、合成石（例えば、御影石、大理石、砂岩、粘板岩、蛇紋石）、天然石、粘土、セメント、さらにほうろう、充填剤および顔料、ガラスおよびガラス繊維、セラミック、金属および金属合金に基づく、多孔性および非多孔性の、吸収性および非吸収性の、未加工または研磨された建築材料および全ての種類の建設の材料、
・有機表面、
例えば、織物および布地、木材または木質材料、ゴム、ベニヤ板、ガラス強化プラスチック（ＧＦＫ）、プラスチック、皮革および合成皮革、天然繊維、紙、全ての種類のポリマー、
・適切な場合にはナノスケールの構成成分を有する、全ての種類の複合材料
の永久撥油、撥水、および撥塵表面処理もしくは変性のための使用。
【請求項４５】
建築および工業の現場および／または現場外の領域における、請求項４４に記載の使用であって、特に永久撥油、撥水、および撥塵表面処理もしくは変性のための、例えば、
・疎水性化および疎油性化
・耐落書き
・防汚
・易洗浄
・低い吸塵
・Ｌｏｔｕｓ−Ｅｆｆｅｋｔ（登録商標）を有するナノ構造表面
・建物保護
・防食
・シール剤
・被覆剤
・含浸
・表面シーリング
の応用例での使用。
【請求項４６】
請求項４４に記載の使用であって、
・塗料および被覆系のための添加剤
・自動車および動力車両産業
・コンクリート完成部品
・コンクリート成形部品
・場所打ちコンクリート
・吹付けコンクリート
・レディーミックストコンクリート
・屋根瓦
・電気および電子産業
・塗料およびワニス
・タイルおよびグラウト材
・織物および布地
・ガラスファサードおよびガラス表面
・木材の機械加工および加工（単板、含浸）
・セラミックおよび衛生陶器
・接着剤およびシーラント
・防食
・プラスチックフィルム
・防音壁
・皮革処理
・充填剤、顔料、ナノ粒子の表面変性
・紙および板紙被覆
・プラスターおよび装飾用プラスター
・断熱複合材料システム（ＷＤＶＳ）および断熱システム（ＷＤＳ）
・石綿セメント板
の応用分野での使用。
【請求項４７】
請求項４４に記載の使用であって、コンクリート材料およびコンクリート製品、例えば、
・現場コンクリート
・コンクリート製品（コンクリート完成部品、コンクリート品、コンクリートブロック）
・場所打ちコンクリート
・吹付けコンクリート
・レディーミックストコンクリート
の全体の疎水性化／疎油性化のための使用。
【請求項４８】
ゾル‐ゲル系のモノマーまたはマクロモノマーとしての、請求項４４に記載の使用。
【請求項４９】
前記被覆系が、１回の作業につき被覆される表面１ｍ2当たり０．００００１〜１ｋｇの量で使用されることを特徴とする、請求項４４から４８までのいずれか１項に記載の使用。
【請求項５０】
反応ステップｃ）およびｄ）に記載の（ペル）フルオロアルキル官能性有機シロキサン予備縮合物または（ペル）フルオロアルキル官能性有機シロキサン縮合物が、ＨＶＬＰ技術を用いて塗布されることを特徴とする、請求項４４から４９までのいずれか１項に記載の使用。
【発明の詳細な説明】
【技術分野】
【０００１】
本発明は、液状の、フッ素含有および単一成分の組成物およびその使用に関する。
【０００２】
鉱物および非鉱物基体の疎水性化と疎油性化とを同時に行なうために使用することができるフッ素含有有機シランとその共縮合物および重縮合物は、例えば、欧州特許公開公報第０  ８４６  ７１５（Ａ１）号、欧州特許公開公報第８４６  ７１６（Ａ１）号、欧州特許公開公報第８４６  ７１７（Ａ１）号、および欧州特許公開公報第０  ９６０  ９２１（Ａ１）号、ドイツ特許公開公報第１９９  ５５  ０４７号、ドイツ特許第８３  ４０  ０２号、米国特許第３  ０１３  ０６６号、英国特許第９３５  ３８０号、ドイツ特許公開公報第３１  ００  ６５５号、欧州特許公開公報第０  ３８２  ５５７（Ａ１）号、欧州特許第０  ４９３  ７４７（Ｂ１）号、欧州特許第０  ５８７  ６６７（Ｂ１）号、ならびにドイツ特許公開公報第１９５  ４４  ７６３号などから、十分に知られている。
【０００３】
上述の文書、欧州特許公開公報第０  ８４６  ７１５（Ａ１）号、欧州特許公開公報第８４６  ７１６（Ａ１）号、欧州特許公開公報第８４６  ７１７（Ａ１）号、欧州特許第０  ９６０  ９２１号、およびドイツ特許公開公報第１９９  ５５  ０４７号には、（ペル）フルオロアルキル官能性有機シランに基づく、水および／またはアルコールを主成分とする（ペル）フルオロアルキル官能性有機ポリシロキサンが記載されている。記載されている（ペル）フルオロアルキル官能性有機シラン、例えばトリデカフルオロ−１，１，２，２−テトラヒドロオクチルトリメトキシシランおよびトリデカフルオロ−１，１，２，２−テトラヒドロオクチルトリエトキシシランは、トリアルコキシシランと不飽和化合物、例えば（ペル）フルオロアルキルアルケンとの技術的に複雑なヒドロシリル化反応によってのみ得ることができる。
【０００４】
（ペル）フルオロアルキルアルケン、ひいては（ペル）フルオロアルキル官能性有機シランの工業的利用可能性が限定されていることから、（ペル）フルオロアルキル成分に関して合成の余地を広げることを可能にし、同時に既知の系よりも低いコストで製造できる代替のフッ素含有組成物が必要とされていた。特に建設化学において、建物保護のための安価で高性能かつ広く利用できる疎水性化および疎油性化組成物が必要とされている。
【０００５】
（ペル）フルオロアルキル官能性有機シランは、非常に高価な製品であるため、通常は濃縮された形態では使用されない。さらに、（ペル）フルオロアルキル官能性有機シランは、水溶性ではない。
【０００６】
（ペル）フルオロアルキル官能性有機シランとその共縮合物および重縮合物の十分に安定な溶液または調製液を得るために、有機溶媒または乳化剤が使用されてきた（例えば、ドイツ特許公開公報第３４  ４７  ６３６号、ドイツ特許第３６  １３  ３８４号、国際出願第９５／２３８３０（Ａ１）号、国際出願第９５／２  ３８０４（Ａ１）号、国際出願第９６／０６８９５（Ａ１）号、国際出願第９７／２３４３２（Ａ１）号、欧州特許公開公報第０  ８４６  ７１６（Ａ１）号）。
【０００７】
高い比率のアルコキシ基を有する、（ペル）フルオロアルキル官能性有機シランおよび（ペル）フルオロアルキル官能性有機ポリシロキサンの溶媒もしくは乳化剤含有調製液の不利点は、そのような系が、職業衛生の理由から、また環境上の見地から望ましくないことである。そのため、非常に低い比率の揮発性有機化合物（ＶＯＣ）を有する水性系を提供するため、更に努力がされている。
【０００８】
アルコキシ基を本質的に含まない、窒素含有またはアミノアルキルおよび（ペル）フルオロアルキル官能性有機ポリシロキサンは、表面を撥油性、撥水性、および撥塵性にするための、他の部分は乳化剤または界面活性剤を含まない組成物中の水溶性構成成分として知られている（例えば、ドイツ特許公開公報第１５  １８  ５５１号、欧州特許公開公報第０  ７３８  ７７１（Ａ１）号、欧州特許公開公報第０  ８４６  ７１７（Ａ１）号）。
【０００９】
上述の水性系の場合、良好な水溶性を確保するために、比較的高い比率のアミノ基またはプロトン化されたアミノ基が常に存在しなければならない。しかし、このことが実際には逆効果であるとわかっている。
【００１０】
アミノ基またはプロトン化されたアミノ基の親水性は、高疎水性という特性を有する系を提供するための努力を無効にする。さらに、アミノ基またはプロトン化されたアミノ基の酸化感受性（アミンオキシド形成）は、処理された表面の変色をもたらし、美観に悪影響を与える。
【００１１】
したがって、本発明の目的は、さまざまな応用例での鉱物および非鉱物基体の永久撥油および撥水表面処理もしくは変性のための、改良された表面特性を有する新規のフッ素含有組成物であって、上述の従来技術の不利点を有さず、その代わりに極めて良好な使用特性を有し、同時に環境、経済、および生理学的観点を考慮して製造することができる組成物を開発することであった。
【００１２】
この目的は、多孔性および非多孔性基体の永久表面処理のための、固体樹脂に対するフッ素含有量５〜７５質量％を有する液状のフッ素含有単一成分組成物を提供することにより、本発明によって達成される。この組成物は、第１に、
ａ）ポリマー結合フッ素含有量５〜９５質量％と、ポリマー結合シリコン含有量９５〜５質量％とを有するフルオロシラン成分（Ａ）（ｉ）を製造するステップであって、
ａ1）５〜９５質量％の、一般式
ＣＦ3−（ＣＦ2）x−（ＣＨ2）y−Ｏ−Ａz−Ｈ
または
ＣＲ3−（ＣＲ2）x−（ＣＨ2）y−Ｏ−Ａz−Ｈ
［式中、
ｘ＝３〜２０であり、ｙ＝１〜６であり、ｚ＝０〜１００であり、Ｒは、互いに独立して、Ｈ、Ｆ、ＣＦ3であり、Ａは、ＣＲiＲii−ＣＲiiiＲiv−Ｏまたは（ＣＲiＲii）a−ＯもしくはＣＯ−（ＣＲiＲii）b−Ｏ（式中、Ｒi、Ｒii、Ｒiii、Ｒivは、互いに独立して、Ｈ、アルキル、シクロアルキル、アリール、またはいずれの場合も１〜２５個の炭素原子を有する任意の有機基であり、ａ、ｂ＝３〜５である）であり、ポリアルキレンオキシド構造単位Ａzは、任意のアルキレンオキシドのホモポリマー、コポリマー、もしくはブロックコポリマー、あるいはポリオキシアルキレングリコールまたはポリラクトンである］の末端メチレン基（炭化水素スペーサ）を有するペルフルオロアルキルアルコールを含む、（ペル）フルオロアルキルアルコール成分（Ｂ）（ｉ）および／または（ペル）フルオロアルキルアルキレンアミン成分（Ｂ）（ｉｉ）、
および／または
一般式
ＣＦ3−ＣＦ2−ＣＦ2−［Ｏ−ＣＦ（ＣＦ3）−ＯＦ2］x−Ｏ−ＣＦ（ＣＦ3）−（ＣＨ2）y−Ｏ−Ａz−Ｈ
のヘキサフルオロプロペンオキシド（ＨＦＰＯ）オリゴマーアルコール、
および／または
ポリマー結合フッ素含有量が１〜９９質量％であり、分子量が１００〜１０，０００ダルトンであり、いずれの場合も１つまたは複数の反応性の（シクロ）脂肪族および／または芳香族ヒドロキシル基、および／または１級および／または２級アミノ基、および／またはメルカプト基を有し、主鎖および／または側鎖中で内部に、および／または側鎖に、および／または末端に配置された構造要素
−（ＣＦ2−ＣＦ2）x−
および／または
−（ＣＲ2−ＣＲ2）x−
および／または
−［ＣＦ2−ＣＦ（ＣＦ3）−Ｏ］x−
および／または
−（ＣＲ2−ＣＲ2−Ｏ）x−
を含有する、フッ素変性マクロモノマーまたはテレケリックポリマー（Ｂ）（ｉｉｉ）、例えば成分（Ｆ）（ｉ）および（Ｆ）（ｉｉ）と成分（Ｑ）（ｉ）および（Ｑ）（ｉｉ）とのヒドロキシ官能性反応生成物と、
９５〜５質量％の、３−イソシアナトプロピルトリアルコキシシランおよび／または３−イソシアナトプロピルアルコキシアルキルシラン、および／または一般式
ＯＣＮ−（ＣＲ22）y−Ｓｉ（ＯＲ1）3-x’Ｒ2x’
［式中、
ｘ’＝０〜２であり、ｙ’＝１〜３であり、Ｒ1、Ｒ2は、互いに独立して、アルキル、シクロアルキル、アリール、いずれの場合も１〜２５個の炭素原子を有する任意の有機基である］のイソシアナトアルキルアルコキシシランを含むイソシアナトアルキルアルコキシシラン成分（Ｃ）（ｉ）、
および／または分子量が２００〜２０００ダルトンであり、いずれの場合も１つまたは複数の（シクロ）脂肪族および／または芳香族イソシアナト基と１つまたは複数のアルコキシシラン基とを有する別のイソシアナトシラン成分（Ｃ）（ｉｉ）とを反応させるステップであって、前記反応は、好ましくはモル比１：１で、任意の手段で実施されるステップによって、
および／または
ａ2.1）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、同じまたは異なる反応性を有する２個以上の（シクロ）脂肪族および／または芳香族イソシアネート基を有する少なくとも１種のジイソシアネート、ポリイソシアネート、ポリイソシアネート誘導体、またはポリイソシアネート同族体を含むポリイソシアネート成分（Ｄ）（ｉ）７５〜５質量％とを反応させるステップであって、反応条件および成分（Ｂ）および（Ｄ）の選択性が、成分（Ｄ）（ｉ）の１つのみのイソシアネート基が成分（Ｂ）と反応するように選択されるステップと、
ａ2.2）続いて、ステップａ2.1）から得られる前付加物を、７５〜５質量％の、３−アミノプロピルトリアルコキシシランおよび／または一般式
Ｒ32Ｎ−（ＣＲ32）y’−Ｓｉ（ＯＲ1）3-x’Ｒ2x’
［式中、ｘ’＝０〜２であり、ｙ’＝１〜６であり、Ｒ1、Ｒ2は、互いに独立して、アルキル、シクロアルキル、アリール、いずれの場合も１〜２５個の炭素原子を有する任意の有機基であり、Ｒ3は、互いに独立して、アルキル、シクロアルキル、アリール、１〜２５個の炭素原子を有する任意の有機基、（Ｒ1Ｏ）3-x’Ｒ2x’Ｓｉ（ＣＲ32）y’、Ｒ3’2Ｎ−（ＣＲ3’2）y’［ＮＨ−（ＣＲ3’2）y’］n’（式中、ｎ’＝０〜１０であり、Ｒ3’は、互いに独立して、アルキル、シクロアルキル、アリール、いずれの場合も１〜２５個の炭素原子を有する任意の有機基である）である］の（置換）３−アミノプロピルアルコキシアルキルシランを含むアミノアルキルアルコキシシラン成分（Ｅ）（ｉ）、
および／または分子量が２００〜２０００ダルトンであり、いずれの場合も１つまたは複数の１級および／または２級および／または３級アミノ基と、１つまたは複数のアルコキシシラン基とを有する、（Ｅ）（ｉ）とは異なるアミノシラン成分（Ｅ）（ｉｉ）と反応させるステップであって、前記反応は、好ましくはモル比１：１：１で、任意の手段で実施されるステップによって、
および／または
ａ3）分子量が２００〜２０００ダルトンであり、１つまたは複数の（シクロ）脂肪族および／または芳香族イソシアナト基を有する、一般式
ＣＦ3−（ＣＦ2）x−（ＣＨ2）y−ＮＣＯ
または
ＣＲ3−（ＣＲ2）x−（ＣＨ2）y−ＮＣＯ
の（ペル）フルオロアルキルアルキレンイソシアネート成分（Ｂ）（ｉｖ）５〜９５質量％を、アミノシラン成分（Ｅ）（ｉ）および／または（Ｅ）（ｉｉ）９５〜５質量％と反応させて、一般式
（Ｂ）（ｉｖ）−（Ｅ）
［式中、（Ｂ）（ｉｖ）はプロトン化された成分（Ｂ）（ｉｖ）であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ4）分子量が２００〜２００ダルトンであり、１つまたは複数のカルボン酸（誘導体）基を有する、一般式
ＣＦ3−（ＣＦ2）x−（ＣＨ2）y−ＣＯＲ4
または
ＣＲ3−（ＣＲ2）x−（ＣＨ2）y−ＣＯＲ4
［式中、Ｒ4はＦ、Ｃｌ、Ｂｒ、Ｉ、ＯＨ、ＯＭｅ、ＯＥｔである］の（ペル）フルオロアルキルアルカンカルボン酸（誘導体）成分（Ｂ）（ｖ）５〜９５質量％と、アミノシラン成分（Ｅ）（ｉ）および／または（Ｅ）（ｉｉ）９５〜５質量％との、２個以上のヒドロキシル基を有する反応生成物であって、結果としてＨＲ4を除去して、一般式
（Ｂ）（ｖ）−（Ｅ）
［式中、（Ｂ）（ｖ）は成分（Ｂ）（ｖ）のカルボニル基であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ5）一般式
ＣＦ3−ＣＦ2−ＣＦ2−Ｏ−（ＣＦ（ＣＦ3）−ＣＦ2−Ｏ）n−ＣＦ（ＣＦ3）−ＣＯＲ4
［式中、ｍ＝１〜２０である］の単官能性ヘキサフルオロプロペンオキシドオリゴマーを含むヘキサフルオロプロペンオキシド成分（Ｆ）（ｉ）５〜９５質量％と、アミノシラン成分（Ｅ）（ｉ）および／または（Ｅ）（ｉｉ）９５〜５質量％とを反応させ、結果としてＨＲ4を除去して、一般式
（Ｆ）（ｉ）−（Ｅ）
［式中、（Ｆ）（ｉ）は成分（Ｆ）（ｉ）のカルボニル基であり、（Ｅ）は脱プロトン化された成分（Ｅ）（ｉ）および／または（Ｅ）（ｉｉ）である］の付加物を形成するステップであって、前記反応は、好ましくはモル比１：１で、任意の手段で実施されるステップによって、
および／または
ａ6）一般式
Ｒ4ＯＣ−ＣＦ（ＣＦ3）−（Ｏ−ＣＦ2−ＣＦ（ＣＦ3））n−Ｏ−（ＣＦ2）o−Ｏ−ＣＦ（ＣＦ3）−ＣＦ2−Ｏ）n−ＣＦ（ＣＦ3）−ＣＯＲ4
［式中、ｎ＝１〜１０であり、ｏ＝２〜６である］の二官能性ヘキサフルオロプロペンオキシドオリゴマーを含むヘキサフルオロプロペンオキシド成分（Ｆ）（ｉｉ）５〜９５質量％と、アミノアルキルアルコキシシラン成分（Ｅ）（ｉ）および／または（Ｅ）（ｉｉ）９５〜５質量％とを反応させ、結果としてＨＲ4を除去して、一般式
（Ｅ）＝（Ｆ）（ｉｉ）−（Ｅ）
［式中、（Ｆ）（ｉｉ）は成分（Ｆ）（ｉ）のカルボニル基であり、（Ｅ）は脱プロトン化された成分（Ｅ）（ｉ）および／または（Ｅ）（ｉｉ）である］の付加物を得るステップであって、前記反応は、好ましくはモル比１：１で、任意の手段で実施されるステップによって、
および／または
ａ7）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、アミノアルキルアルコキシシラン成分（Ｅ）（ｉ）および／または（Ｅ）（ｉｉ）７５〜５質量％と、同じまたは異なる反応性を有する少なくとも３個の（シクロ）脂肪族および／または芳香族イソシアネート基を有するトリイソシアネート、ポリイソシアネート、ポリイソシアネート誘導体、またはポリイソシアネート同族体を含むポリイソシアネート成分（Ｄ）（ｉｉ）７５〜５質量％とを反応させるステップであって、三官能性イソシアネートの場合、前記反応は、好ましくはモル比２：１：１または１：２：１で、任意の手段で実施されるステップによって、
および／または
ａ8）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と；アミノアルキルアルコキシシラン成分（Ｅ）（ｉ）および／または（Ｅ）（ｉｉ）５０〜５質量％と；エチレンオキシド２５〜９９．９質量％と、一般式
Ｒ5−Ｏ−Ａz’−Ｈ
［式中、ｚ’＝５〜１５０であり、Ｒ5はアルキル、シクロアルキル、アリール、１〜２５個の炭素原子を有する任意の有機基である］の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはそれらの混合物を含む、３〜２０個の炭素原子を有する別のアルキレンオキシド０〜７５質量％とを含む、モノヒドロキシ官能性のアルキル／シクロアルキル／アリールポリエチレングリコール、および／またはアルキル／シクロアルキル／アリールポリ（エチレンオキシド−ｂｌｏｃｋ−アルキレンオキシド）、および／またはアルキル／シクロアルキル／アリールポリ（エチレンオキシド−ｃｏ−アルキレンオキシド）、および／またはアルキル／シクロアルキル／アリールポリ（エチレンオキシド−ｒａｎ−アルキレンオキシド）を含む、
および／または
エチレンオキシド２５〜９９．９質量％と、一般式
Ｒ5−Ｏ−（ＣＲiＲii−ＣＲiiiＲiv−Ｏ）z’-1−ＣＲiＲii−ＣＲiiiＲiv−ＮＨ2
の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、モノアミノ官能性のアルキル／シクロアルキル／アリールポリエチレングリコール、および／またはアルキル／シクロアルキル／アリールポリ（エチレンオキシド−ｂｌｏｃｋ−アルキレンオキシド）、および／またはアルキル／シクロアルキル／アリールポリ（エチレンオキシド−ｃｏ−アルキレンオキシド）、および／またはアルキル／シクロアルキル／アリールポリ（エチレンオキシド−ｒａｎ−アルキレンオキシド）を含む、単官能性ポリアルキレングリコール成分（Ｇ）（ｉ）および／または単官能性ポリオキシアルキレンアミン成分（Ｇ）（ｉｉ）５０〜５質量％と；ポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ9）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜９５質量％と、アミノアルキルアルコキシシラン成分（Ｅ）（ｉ）および／または（Ｅ）（ｉｉ）７５〜５質量％と、塩化シアヌルまたは２，４，６−トリクロロ−１，３，５−トリアジンを含むトリアジン成分（Ｈ）７５〜５質量％とを反応させるステップであって、前記反応は、好ましくはモル比２：１：１または１：２：１で、任意の手段で実施されるステップによって、
および／または
ａ10）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、単官能性ポリアルキレングリコール成分（Ｇ）（ｉ）および／または単官能性ポリオキシアルキレンアミン成分（Ｇ）（ｉｉ）５０〜５質量％と、塩化シアヌルまたは２，４，６−トリクロロ−１，３，５−トリアジンを含むトリアジン成分（Ｈ）５０〜５質量％とを反応させるステップであって、前記反応は、好ましくはモル比１：１：１：１で、任意の手段で実施されるステップによって、
および／または
ａ11）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と；アミノアルキルアルコキシシラン成分（Ｅ）（ｉ）および／または（Ｅ）（ｉｉ）５０〜５質量％と；エチレンオキシド２５〜９９．９質量％と、一般式
Ｒ6（−Ｏ−Ａz’−Ｈ）z’’
［式中ｚ’’＝２〜６であり、Ｒ6はアルキル、シクロアルキル、アリール、１〜２５個の炭素原子を有する任意の有機基である］の、プロピレンオキシド、ブチレンオキシド、ドデシルオキシド、イソアミルオキシド、オキセタン、置換オキセタン、α−ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、ポリヒドロキシ官能性ポリエチレングリコール、および／またはポリ（エチレングリコール−ｂｌｏｃｋ−ポリアルキレングリコール）、および／またはポリ（エチレングリコール−ｃｏ−ポリアルキレングリコール）、および／またはポリ（エチレングリコール−ｒａｎ−ポリアルキレングリコール）を含む、
および／または
エチレンオキシド２５〜９９．９質量％と、一般式
Ｒ6（−Ｏ−Ａz’-1−ＣＲiＲii−ＣＲiiiＲiv−ＮＨ２）z’’
の、プロピレンオキシド、ブチレンオキシド、ドデシルオキシド、イソアミルオキシド、オキセタン、置換オキセタン、α‐ピネンオキシド、スチレンオキシド、テトラヒドロフラン、またはアルキレンオキシド１個当たり４〜２０個の炭素原子を有する別の脂肪族もしくは芳香族アルキレンオキシド、あるいはこれらの混合物を含む、３〜２０個の炭素原子を有する別のアルキレンオキシド０〜７５質量％とを含む、ポリヒドロキシ官能性ポリエチレングリコール、および／またはポリ（エチレングリコール−ｂｌｏｃｋ−ポリアルキレングリコール）、および／またはポリ（エチレングリコール−ｃｏ−ポリアルキレングリコール）、および／またはポリ（エチレングリコール−ｒａｎ−ポリアルキレングリコール）を含む、多官能性ポリアルキレングリコール成分（Ｇ）（ｉｉｉ）および／または多官能性ポリオキシアルキレンアミン成分（Ｇ）（ｉｖ）５０〜５質量％と；ポリイソシアネート成分（Ｄ）（ｉ）５０〜５質量％とを反応させるステップであって、ジヒドロキシ官能性グリコールの場合、前記反応は、好ましくはモル比１：１：１：２で、任意の手段で実施されるステップによって、
および／または
ａ12）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、イソシアネートに対して反応性の１個および／または２個のヒドロキシル基とポリイソシアネートに対して不活性のカルボキシル基とを有する、モノヒドロキシカルボン酸および／またはジヒドロキシカルボン酸を含むヒドロキシカルボン酸成分（Ｉ）５０〜５質量％と、同じまたは異なる反応性を有する少なくとも３個の（シクロ）脂肪族および／または芳香族イソシアネート基を有する、少なくとも１種のトリイソシアネート、ポリイソシアネート、ポリイソシアネート誘導体、またはポリイソシアネート同族体を含むポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ13）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー（Ｂ）（ｉｉｉ）５〜７５質量％と、アミノアルキルアルコキシシラン成分（Ｅ）（ｉ）および／または（Ｅ）（ｉｉ）５０〜５質量％と、ポリイソシアネートに対して反応性のＮＨ−酸アミノ基を有するシアナミドを含むＮＣＮ成分（Ｊ）５０〜５質量％と、同じまたは異なる反応性を有する少なくとも３個の（シクロ）脂肪族および／または芳香族イソシアネート基を有する、少なくとも１種のトリイソシアネート、ポリイソシアネート、ポリイソシアネート誘導体、またはポリイソシアネート同族体を含むポリイソシアネート成分（Ｄ）（ｉｉ）５０〜５質量％とを反応させるステップであって、三官能性イソシアネートの場合、前記反応は、好ましくはモル比１：１：１：１で、任意の手段で実施されるステップによって、
および／または
ａ14）（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー成分（Ｂ）（ｉｉｉ）５〜９５質量％と、一般式
Ｘ−ＣＯ−Ｙ
［式中、Ｘ、Ｙは、互いに独立して、Ｆ、Ｃｌ、Ｂｒ、Ｉ、ＣＣｌ3、Ｒ7、ＯＲ7である（式中、Ｒ7は、アルキル、シクロアルキル、アリール、１〜２５個の炭素原子と０〜１０個のＮ原子と０〜１０個のＯ原子とを有する任意の有機基である）］のカルボニル成分（Ｋ）７５〜５質量％と、アミノアルキルアルコキシシラン成分（Ｅ）（ｉ）および／または（Ｅ）（ｉｉ）７５〜５質量％とを反応させ、結果として、第１段階において、ＨＸおよび／またはＨＹを除去して、一般式
（Ｂ）−ＣＯ−Ｙおよび／またはＸ−ＣＯ−（Ｂ）
または
（Ｅ）−ＣＯ−Ｙおよび／またはＸ−ＣＯ−（Ｅ）
［式中、（Ｂ）は脱プロトン化された成分（Ｂ）（ｉ）および／または（Ｂ）（ｉｉ）および／または（Ｂ）（ｉｉｉ）であり、（Ｅ）は脱プロトン化された成分（Ｅ）（ｉ）および／または（Ｅ）（ｉｉ）である］の付加物を得、
第２段階において、ＨＸおよび／またはＨＹを除去して、一般式
（Ｂ）−ＣＯ−（Ｅ）
の付加物を得るステップであって、前記反応は、好ましくはモル比１：１：１で、任意の手段で実施されるステップによって、
あるいは
一般式
（Ｂ）−ＣＯ−Ｙおよび／またはＸ−ＣＯ−（Ｂ）
の予備形成付加物５〜９５質量％と、アミノアルキルアルコキシシラン成分（Ｅ）（ｉ）および／または（Ｅ）（ｉｉ）９５〜５質量％とを反応させ、結果としてＨＸおよび／またはＨＹを除去して、一般式
（Ｂ）−ＣＯ−（Ｅ）
の付加物を得るステップであって、前記反応は、好ましくはモル比１：１で、任意の手段で実施されるステップによって、
あるいは
一般式
（Ｅ）−ＣＯ−Ｙおよび／またはＸ−ＣＯ−（Ｅ）
の予備形成付加物５〜９５質量％と、（ペル）フルオロアルキルアルコール成分（Ｂ）（ｉ）および／または（ペル）フルオロアルキルアルキレンアミン成分（Ｂ）（ｉｉ）および／またはフッ素変性マクロモノマーもしくはテレケリックポリマー成分（Ｂ）（ｉｉｉ）９５〜５質量％とを反応させ、結果としてＨＸおよび／またはＨＹを除去して、一般式
（Ｂ）−ＣＯ−（Ｅ）
の付加物を得るステップであって、前記反応は、好ましくはモル比１：１で、任意の手段で実施されるステップによって、
および／または
ａ15）反応生成物ａ2）〜ａ14）の場合に、アミノアルキルアルコキシシラン成分（Ｅ）（ｉ）および／またはアミノシラン成分（Ｅ）（ｉｉ）を、一般式
ＨＳ−（ＣＲ32）y’−Ｓｉ（ＯＲ1）3-x’Ｒ2x’
の３−メルカプトプロピルトリアルコキシシランを含むメルカプトアルキルアルコキシシラン成分（Ｌ）（ｉ）、および／または分子量が２００〜２０００ダルトンであり、１つまたは複数のメルカプト基と１つまたは複数のアルコキシシラン基とを有する別のメルカプトシラン成分（Ｌ）（ｉｉ）に置き換えるステップによって、
および／または
ａ16）分子量が２００〜２０００ダルトンであり、１つまたは複数のエポキシ基を有する、一般式
ＣＦ3−（ＣＦ2）x−（ＣＨ2）y−ＣＨＯＣＨ2
または
ＣＲ3−（ＣＲ2）x−（ＣＨ2）y−ＣＨＯＣＨ2
または
ＣＲ3−（ＣＲ2）x−（ＣＨ2）y−Ｏ−ＣＨ2−ＣＨＯＣＨ2
の（ペル）フルオロアルキルアルキレンオキシド成分（Ｍ）５〜９５質量と、アミノシラン成分（Ｅ）（ｉ）および／または（Ｅ）（ｉｉ）９５〜５質量％とを反応させるステップであって、前記反応は、好ましくはモル比１：１または１：２で、任意の手段で実施されるステップによって、
および／または
ａ17）（ペル）フルオロアルキルアルキレンオキシド成分（Ｍ）５〜９５質量％と、エポキシアルキロールアルコキシシラン成分（Ｎ）（ｉ）および／または分子量が２００〜２０００ダルトンであり、１つまたは複数のエポキシ基を有する、一般式
ＣＨ2ＯＣＨ−ＣＨ2−Ｏ−（ＣＲ32）y’−Ｓｉ（ＯＲ1）3-x’Ｒ2x’
の（置換）３−グリシジルオキシプロピルトリアルコキシシランを含む、（Ｎ）（ｉ）とは異なる成分（Ｎ）（ｉｉ）７５〜５質量％と、分子量が６０〜５０００ダルトンであり、エポキシド基に対して反応性の１つまたは複数の（シクロ）脂肪族および／または芳香族の一級および／または２級アミノ基と、さらに適切な場合には１つまたは複数のヒドロキシル基とを有するポリアミン成分（Ｏ）７５〜５質量％とを反応させるステップであって、前記反応は、好ましくはモル比１：１：１または２：２：１で、任意の手段で実施されるステップによって、
および／または
ａ18）一般式
（Ｒ8uＲ9vＲ10wＳｉＯ1.5）p
［式中、０＜ｕ＜１であり、０＜ｖ＜１であり、０＜ｗ＜１であり、ｕ＋ｖ＋ｗ＝１であり、ｐ＝４、６、８、１０、１２であり、Ｒ8、Ｒ9、Ｒ10は、互いに独立して、１〜２５０個の炭素原子と、０〜５０個のＮ原子および／または１〜５０個のＯ原子および／または３〜１００個のＦ原子および／または０〜５０個のＳｉ原子および／または０〜５０個のＳ原子を有する、任意の無機および／または有機でありかつ適切な場合にはポリマー性の基である］の、１つまたは複数のエポキシ基と１つまたは複数のペルフルオロアルキル基とを有するエポキシ官能性多面体オリゴマーポリシラセスキオキサン成分（ＰＯＳＳ）（Ｐ）（ｉ）５〜９５質量％と、アミノシラン成分（Ｅ）（ｉ）および／または（Ｅ）（ｉｉ）９５〜５質量％とを反応させるステップであって、前記反応は、好ましくはモル比１：（＞）１で、任意の手段で実施されるステップによって、
および／または
ａ19）一般式
（Ｒ8uＲ9vＲ10wＳｉＯ1.5）p
の、１つまたは複数のアミノ基と１つまたは複数のペルフルオロアルキル基とを有するアミノ官能性多面体オリゴマーポリシラセスキオキサン成分（ＰＯＳＳ）（Ｐ）（ｉｉ）５〜９５質量％と、イソシアナトアルキルアルコキシシラン成分（Ｃ）（ｉ）および／または（Ｃ）（ｉ）とは異なる成分（Ｃ）（ｉｉ）９５〜５質量％とを反応させるステップであって、前記反応は、好ましくはモル比１：（＞）１で、任意の手段で実施されるステップによって、
および／または
ａ20）一般式
（Ｒ8uＲ9vＲ10wＳｉＯ1.5）p
の、１つまたは複数の（メタ）アクリロイル基と１つまたは複数のペルフルオロアルキル基とを有する（メタ）アクリロイル官能性多面体オリゴマーポリシラセスキオキサン成分（ＰＯＳＳ）（Ｐ）（ｉｉｉ）５〜９５質量％と、分子量が６０〜５０００ダルトンであり、エポキシド基に対して反応性の１つまたは複数の（シクロ）脂肪族および／または芳香族の１級および／または２級アミノ基と、１つまたは複数のヒドロキシル基とを有するアミノアルコール成分（Ｑ）（ｉ）、および／または別のアミノアルコール成分（Ｑ）（ｉｉ）９５〜５質量％とを反応させるステップであって、前記反応は、好ましくはモル比１：（＞）１で、任意の手段で実施されるステップによって、
あるいは、予備形成フルオロシラン（Ａ）（ｉｉ）、例えば、
ａ21）一般式
ＣＦ3−（ＣＦ2）x−（ＣＨ2）y−Ｓｉ（ＯＲ1）3-x’Ｒ2x’
または
ＣＲ3−（ＣＲ2）x−（ＣＨ2）y−Ｓｉ（ＯＲ1）3-x’Ｒ2x’
の（ペル）フルオロアルキルアルコキシシラン、
および／または
ａ22）構造要素
−（ＣＦ2−ＣＦ2）x−
および／または
−（ＣＲ2−ＣＲ2）x−
および／または
−［ＣＦ2−ＣＦ（ＣＦ3）−Ｏ］x−
および／または
−（ＣＲ2−ＣＲ2−Ｏ）x−
および
−Ｓｉ（ＯＲ1）3-x’Ｒ2x’
を含有する別の反応生成物を用いるステップによって、
フルオロシラン成分（Ａ）（ｉ）を製造するステップと（このとき純粋なフルオロシラン成分（Ａ）２．５〜２５０質量部、ならびに触媒成分（Ｒ）０〜１０質量部、および溶媒成分（Ｓ）（ｉ）０〜２５０質量部が存在する）、
ｂ1）適切な場合には、ステップａ）の溶媒成分（Ｓ）（ｉ）を、前記反応の前、最中、または後に、蒸留によって部分的または完全に除去するステップと、
ｂ2）適切な場合には、ステップａ）の触媒成分（Ｒ）を、前記反応後に、適切な吸収剤または別の手段によって、部分的または完全に除去するステップと、
ｂ3）ステップａ）の混合物を、前記反応の前、最中、または後に、溶媒成分（Ｓ）（ｉｉ）０〜２５０質量部に溶解させるステップと、
ｃ1）アミノシラン成分（Ｅ）（ｉ）および／または（Ｅ）（ｉｉ）０〜１００質量部と、
ｃ1.1）アミノアルコール成分（Ｑ）（ｉ）および／または別のアミノアルコール成分（Ｑ）（ｉｉ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.2）アミノアルコール成分（Ｑ）（ｉ）および／または別のアミノアルコール成分（Ｑ）（ｉｉ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.3）ヒドロキシカルボン酸成分（Ｉ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.4）ヒドロキシカルボン酸成分（Ｉ）５〜７５質量％、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.5）ＮＣＮ成分（Ｊ）５〜９５質量％と、イソシアナトシラン成分（Ｃ）（ｉ）および／または（Ｃ）（ｉｉ）９５〜５質量％との反応生成物であって、好ましくはモル比１：１で、任意の手段で実施される反応による反応生成物、
および／または
ｃ1.6）ＮＣＮ成分（Ｊ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、好ましくはモル比１：１：１で、任意の手段で実施される反応による反応生成物、
および／または
ｃ1.7）アミノシラン成分（Ｅ）（ｉ）および／または（Ｅ）（ｉｉ）５〜９５質量％と、不飽和カルボン酸を含む酸成分（Ｕ）（ｉ）９５〜５質量％との反応生成物であって、好ましくはモル比１：＞１で、任意の手段で実施される反応による反応生成物、
および／または
ｃ1.8）アミノシラン成分（Ｅ）（ｉ）および／または（Ｅ）（ｉｉ）５〜９５質量％と、不飽和カルボン酸無水物を含む酸成分（Ｕ）（ｉｉ）９５〜５質量％との反応生成物であって、好ましくはモル比１：＞１で、任意の手段で実施される反応による反応生成物、
および／または
ｃ1.9）アミノシラン成分（Ｅ）（ｉ）および／または（Ｅ）（ｉｉ）５〜９５質量％と、オン酸または糖酸またはポリヒドロキシ（ジ）カルボン酸またはポリヒドロキシカルボン酸アルデヒドのγ−および／またはδ−ラクトンを含む酸成分（Ｕ）（ｉｉｉ）９５〜５質量％との反応生成物であって、モノラクトンの場合は好ましくはモル比１：１で実施され、ジラクトンの場合は好ましくはモル比２：１で、任意の手段で実施される、一般式
（Ｅ）−ＣＯ−［ＣＨ（ＯＨ）4］−ＣＨ2ＯＨ
および／または
（Ｅ）−ＣＯ−［ＣＨ（ＯＨ）4］−ＣＨＯ
および／または
（Ｅ）−ＣＯ−［ＣＨ（ＯＨ）4］−ＣＯ−（Ｅ）
の親水性シランを生じる反応による反応生成物（このとき、反応生成物ｃ1.1）〜ｃ1.9）は、触媒成分（Ｒ）０〜１０質量部と、溶媒成分（Ｓ）（ｉ）０〜２５０質量部と、溶媒成分（Ｓ）（ｉｉ）０〜２５０質量部とを含有する）を含む、安定化成分（Ｔ）０．１〜１００質量部と、
ｃ1.10）一般式
Ｒ11−Ｏ−Ａz’−（ＣＨ2）y’−Ｓｉ（ＯＲ1）3-x’Ｒ2x’
および／または
ＨＯ−Ａz’−（ＣＨ2）y’−Ｓｉ（ＯＲ1）3-x’Ｒ2x’
［式中、Ｒ11は、アルキル、シクロアルキル、アリール、いずれの場合も１〜２５個の炭素原子を有する任意の有機基である］の非イオン性シラン成分（Ｅ）（ｉｉｉ）、
および／または
ｃ1.11）単官能性ポリアルキレングリコール成分（Ｇ）（ｉ）および／または単官能性ポリオキシアルキレンアミン成分（Ｇ）（ｉｉ）および／または多官能性ポリアルキレングリコール成分（Ｇ）（ｉｉｉ）および／または多官能性ポリオキシアルキレンアミン成分（Ｇ）（ｉｖ）５〜９５質量％と、イソシアナトシラン成分（Ｃ）（ｉ）および／または（Ｃ）（ｉｉ）９５〜５質量％との反応生成物であって、モノヒドロキシ官能性グリコールまたはモノアミノ官能性グリコールの場合は、好ましくはモル比１：１で、任意の手段で実施される反応による反応生成物、
および／または
ｃ1.12）単官能性ポリアルキレングリコール成分（Ｇ）（ｉ）および／または単官能性ポリオキシアルキレンアミン成分（Ｇ）（ｉｉ）および／または多官能性ポリアルキレングリコール成分（Ｇ）（ｉｉｉ）および／または多官能性ポリオキシアルキレンアミン成分（Ｇ）（ｉｖ）５〜７５質量％と、アミノシラン成分（Ｅ）（ｉ）および／または（Ｅ）（ｉｉ）７５〜５質量％と、ポリイソシアネート成分（Ｄ）（ｉ）７５〜５質量％との反応生成物であって、モノヒドロキシ官能性グリコールまたはモノアミノ官能性グリコールの場合は、好ましくはモル比１：１：１で、任意の手段で実施される反応による反応生成物、
および／または
ｃ1.13）ポリオキシアルキレンアミン成分（Ｇ）（ｉｉ）および／または多官能性ポリオキシアルキレンアミン成分（Ｇ）（ｉｖ）５〜９５質量％と、エポキシアルキロールアルコキシシラン成分（Ｎ）（ｉ）および／または（Ｎ）（ｉ）とは異なるエポキシシラン成分（Ｎ）（ｉｉ）９５〜５質量％との反応生成物であって、モノアミノ官能性グリコールの場合は、好ましくはモル比１：１または１：２で、任意の手段で実施される反応による反応生成物、
および／または
ｃ1.14）単官能性ポリアルキレングリコール成分（Ｇ）（ｉ）および／または単官能性ポリオキシアルキレンアミン成分（Ｇ）（ｉｉ）５〜７５質量％と、アミノシラン成分（Ｅ）（ｉ）および／または（Ｅ）（ｉｉ）５０〜５質量％と、ポリイソシアネート成分（Ｄ）（ｉｉ）５０〜５質量％との反応生成物であって、三官能性イソシアネートの場合は、好ましくはモル比１：２：１または２：１：１で、任意の手段で実施される反応による反応生成物、
および／または
ｃ1.15）単官能性ポリアルキレングリコール成分（Ｇ）（ｉ）および／または単官能性ポリオキシアルキレンアミン成分（Ｇ）（ｉｉ）５〜７５質量％と、アミノシラン成分（Ｅ）（ｉ）および／または（Ｅ）（ｉｉ）５０〜５質量％と、塩化シアヌルまたは２，４，６−トリクロロ−１，３，５−トリアジンを含むトリアジン成分（Ｈ）５０〜５質量％との反応生成物であって、好ましくはモル比１：２：１または２：１：１で、任意の手段で実施される反応による反応生成物（このとき、反応生成物ｃ1.10）〜ｃ1.15）は、触媒成分（Ｒ）０〜１０質量部と、溶媒成分（Ｓ）（ｉ）０〜２５０質量部と、溶媒成分（Ｓ）（ｉｉ）０〜２５０質量部とを含有する）を含む、親水性シラン成分（Ｖ）０．１〜１００質量部とを含むステップａ）またはｂ）の混合物を、水０．２５〜２５質量部によって（部分的に）加水分解またはシラン化するステップと、
ｃ2）酸成分（Ｕ）（ｉｖ）０〜７５質量部または別の中和成分（Ｗ）０〜７５質量部を用いて、前記（アミノ官能性）付加物を部分的または完全に中和するステップと、
ｃ3）適切な場合には、前記遊離したアルコールおよび／または溶媒成分（Ｓ）（ｉ）および／または（Ｓ）（ｉｉ）を、前記反応の前、最中、または後に、蒸留によって部分的または完全に除去するステップと、
ｄ1）その後あるいは同時に、ステップｃ）の反応生成物を水９９７．０５〜１２４質量部に溶解または分散させて、オリゴマー化するステップと、
ｄ2）適切な場合には、前記遊離したアルコールおよび／または溶媒成分（Ｓ）（ｉ）および／または（Ｓ）（ｉｉ）を、前記反応の前、最中、または後に、蒸留によって部分的または完全に除去することによって、また適切な場合には、前記反応の前、最中、または後に、適切な吸収剤または別の手段を用いて前記触媒成分（Ｒ）を部分的または完全に除去することによって、０〜１質量部を上回る触媒成分（Ｒ）、０〜２５質量部を上回る溶媒成分（Ｓ）（ｉ）、および０〜２５質量部を上回る溶媒成分（Ｓ）（ｉｉ）が存在しないようにするステップと、
ｅ）適切な場合には、ステップａ）および／またはｂ）および／またはｃ）および／またはｄ）の最中または後に、配合成分（Ｙ）（ｉ）０〜５０質量部または０〜６０質量部を任意の手段で添加する、および／または
ｅ1）一般式
ＨＯ−［Ｓｉ（ＣＨ3）2−Ｏ］c−Ｓｉ（ＣＨ3）［（ＣＨ2）3ＮＨ（ＣＨ2）2ＮＨ2］−Ｏ−［Ｓｉ（ＣＨ3）2−Ｏ］c−Ｈ
または
Ｒ’Ｏ−［Ｓｉ（ＣＨ3）2−Ｏ］c−Ｓｉ（ＣＨ3）［（ＣＨ2）3ＮＨ（ＣＨ2）2ＮＨ2］−Ｏ−［Ｓｉ（ＣＨ3）2−Ｏ］c−Ｒ’
または
（Ｈ3ＣＯ）2Ｓｉ［（ＣＨ2）3ＮＨ（ＣＨ2）2ＮＨ2］−［Ｓｉ（ＣＨ3）2−Ｏ］c−Ｓｉ［（ＣＨ2）3ＮＨ（ＣＨ2）2ＮＨ2］（ＯＣＨ3）2
［式中、ｃ＝１〜１００であり、Ｒ’は、Ｈ、Ｍｅ、Ｅｔである］のアミノシリコンオイル成分（Ｅ）（ｉｖ）、
および／または
ｅ2）一般式
Ｒ12−Ｓｉ（ＯＲ1）3-x’Ｒ2x’
［式中、Ｒ12はＯＲ1であり、Ｒ2は、互いに独立して、アルキル、シクロアルキル、アリール、１〜２５個の炭素原子を有する任意の有機基である］の低分子シラン成分（Ｅ）（ｖ）、
および／または
ｅ3）（アルコール非含有）アミノシラン加水分解物、および／または（ジ／トリ）アミノ／アルキル官能性シロキサンコオリゴマー、および／またはアミノ／ビニル官能性シロキサンコオリゴマー、および／またはエポキシ官能性シロキサンコオリゴマーを含む、親水性化された水性シラン成分（Ｅ）（ｖｉ）、
および／または
ｅ4）一次粒子および／または凝集物および／または集塊物の形態の無機および／または有機ナノ粒子またはナノコンポジットを含む（反応性）ナノ粒子成分（Ｙ）（ｉｉ）であって、前記ナノ粒子は、疎水性化および／またはドープおよび／または被覆されていてもよく、さらに一般式−Ｓｉ（ＯＲ1）3-x’Ｒ2x’の反応性のアミノ基および／またはヒドロキシル基および／またはメルカプト基および／またはイソシアナト基および／またはエポキシ基および／またはメタクリロイル基および／またはシラン基で表面変性されていてもよい（反応性）ナノ粒子成分（Ｙ）（ｉｉ）、
を含む、官能化成分（Ｚ）０〜５０質量部または０〜６０質量部を添加する、および／または共反応させるステップと、
によって得ることができる。
【００１３】
驚くべきことに、本発明の液状フッ素含有組成物は、鉱物および非鉱物基体の永久撥油、撥水、および撥塵表面処理もしくは変性のための、水蒸気透過性の被覆系または含浸系を得ることを可能にするだけでなく、従来技術と比較して、同じあるいはより低いフッ素含有量で、著しく改良された使用特性を有することが認められた。適切なフルオロシラン成分を適切な安定化成分および親水性シラン成分と組み合わせて使用すると、本発明によるフッ素含有組成物の臨界表面張力γcおよび接触角θを最適にすることが可能となり、それによって非常に少量の活性組成物または非常に低いフッ素含有量であっても、それぞれの応用例において疎水性、疎油性、および撥塵性が与えられる。さらに、本発明の液状フッ素含有組成物が、溶媒を用いずに、あるいは低い溶媒含有量で製造できることは予測できなかった。（ペル）フルオロアルキル官能性有機シランのほかに、さまざまな応用分野のための単一成分（ペル）フルオロアルキル官能性有機ポリシロキサン予備縮合物および単一成分（ペル）フルオロアルキル官能性有機ポリシロキサン縮合物も得ることができる。適切な安定化成分を使用すると、遊離アミノ基を含まない（ペル）フルオロアルキル官能性有機ポリシロキサン予備縮合物および（ペル）フルオロアルキル官能性有機ポリシロキサン縮合物もを得られる。また、適切な親水性シラン成分を使用すると、改良された流出挙動および改良された保存安定性を有する（ペル）フルオロアルキル官能性有機ポリシロキサン予備縮合物および（ペル）フルオロアルキル官能性有機ポリシロキサン縮合物が得られる。
【００１４】
適切なフルオロシラン成分（Ａ）（ｉ）として、例えば、（重）付加反応および／または付加／脱離反応によって製造された、（ペル）フルオロアルキル−および／またはポリヘキサフルオロプロペンオキシド−変性およびシラン−変性反応生成物が使用可能である。
【００１５】
適切な予備形成フルオロシラン成分（Ａ）（ｉｉ）は、例えば、Ｄｅｇｕｓｓａ  ＡＧ社から市販されている製品であるＤＹＮＡＳＩＬＡＮ（登録商標）  Ｆ８１６１（トリデカフルオロオクチルトリメトキシシラン）、ＤＹＮＡＳＩＬＡＮ（登録商標）  Ｆ８２６１（トリデカフルオロオクチルトリエトキシシラン）、ＤＹＮＡＳＩＬＡＮ（登録商標）  Ｆ８２６３（イソプロパノール中にすぐに使用できるフルオロアルキルシラン配合物）、ＤＹＮＡＳＩＬＡＮ（登録商標）  Ｆ８８００（変性フルオロアルキルシロキサン、水溶性）、ＤＹＮＡＳＩＬＡＮ（登録商標）  Ｆ８８１５（水性の変性フルオロアルキルシロキサン）、またはこれらの適切な組み合わせである。
【００１６】
適切な（ペル）フルオロアルキルアルコール成分（Ｂ）（ｉ）として、例えば、３，３，４，４，５，５，６，６，７，７，８，８，８−トリデカフルオロオクタン−１−オール、３，３，４，４，５，５，６，６，７，７，８，８，９，９，１０，１０，１０−ヘプタデカフルオロデカン−１−オール、３，３，４，４，５，５，６，６，７，７，８，８，９，９，１０，１０，１１，１１，１２，１２，１２−ヘンエイコサフルオロドデカン−１−オール、３，３，４，４，５，５，６，６，７，７，８，８，９，９，１０，１０，１１，１１，１２，１２，１３，１３，１４，１４，１４−ペンタコサフルオロテトラデカン−１−オール、３，３，４，４，５，５，６，６，７，７，８，８，９，９，１０，１０，１１，１１，１２，１２，１３，１３，１４，１４，１５，１５，１６，１６，１６−ノナコサフルオロヘキサデカン−１−オール、３，３，４，４，５，５，６，６，７，７，８，８−ドデカフルオロヘプタン−１−オール、３，３，４，４，５，５，６，６，７，７，８，８，９，９，１０，１０−ヘキサデカフルオロノナン−１−オール、３，３，４，４，５，５，６，６，７，７，８，８，９，９，１０，１０，１１，１１，１２，１２−エイコサフルオロウンデカン−１−オール、３，３，４，４，５，５，６，６，７，７，８，８，９，９，１０，１０，１１，１１，１２，１２，１３，１３，１４，１４−テトラコサフルオロトリデカン−１−オール、３，３，４，４，５，５，６，６，７，７，８，８，９，９，１０，１０，１１，１１，１２，１２，１３，１３，１４，１４，１５，１５，１６，１６−オクタコサフルオロペンタデカン−１−オール、Ｃｌａｒｉａｎｔ  ＧｍｂＨ社から市販されている製品であるＦｌｕｏｗｅｔ（登録商標）  ＥＡ  ６００、Ｆｌｕｏｗｅｔ（登録商標）  ＥＡ  ８００、Ｆｌｕｏｗｅｔ（登録商標）  ＥＡ  ０９３、Ｆｌｕｏｗｅｔ（登録商標）  ＥＡ  ６１２、Ｆｌｕｏｗｅｔ（登録商標）  ＥＡ  ６１２  Ｎ、Ｆｌｕｏｗｅｔ（登録商標）  ＥＡ  ８１２  ＡＣ、Ｆｌｕｏｗｅｔ（登録商標）  ＥＡ  ８１２  ＩＷ、Ｆｌｕｏｗｅｔ（登録商標）  ＥＡ  ８１２  ＥＰ、Ｆｌｕｏｗｅｔ（登録商標）  ＥＡ  ６／１０２０（ペルフルオロアルキルエタノール混合物を含む）、Ｆｌｕｏｗｅｔ（登録商標）  ＯＴＬ、Ｆｌｕｏｗｅｔ（登録商標）  ＯＴＮ（エトキシル化ペルフルオロアルキルエタノール混合物を含む）、ダイキン工業株式会社から市販されている製品であるＡ−１６２０、Ａ−１６３０、Ａ−１６６０、Ａ−１８２０、Ａ−１８３０、Ａ−１８６０、Ａ−２０２０、Ａ−３６２０、Ａ−３８２０、Ａ−５６１０、Ａ−５８１０、ＤｕＰｏｎｔ  ｄｅ  Ｎｅｍｏｕｒｓ社から市販されている製品であるＺｏｎｙｌ（登録商標）  ＢＡ、Ｚｏｎｙｌ（登録商標）  ＢＡ  Ｌ、Ｚｏｎｙｌ（登録商標）  ＢＡ  ＬＤ（ペルフルオロアルキルエタノール混合物を含む）、Ｚｏｎｙｌ（登録商標）  ＯＴＬ、Ｚｏｎｙｌ（登録商標）  ＯＴＮ（エトキシル化ペルフルオロアルキルエタノール混合物を含む）、Ｚｏｎｙｌ（登録商標）  ＦＳＨ、Ｚｏｎｙｌ（登録商標）  ＦＳＯ、Ｚｏｎｙｌ（登録商標）  ＦＳＮ、Ｚｏｎｙｌ（登録商標）  ＦＳ−３００、Ｚｏｎｙｌ（登録��標）  ＦＳＮ−１００、Ｚｏｎｙｌ（登録商標）  ＦＳＯ−１００、ＤｕＰｏｎｔ  ｄｅ  Ｎｅｍｏｕｒｓ社から市販されている製品であるＫｒｙｔｏｘ（登録商標）（ヘキサフルオロプロペンオキシド（ＨＦＰＯ）オリゴマーアルコール混合物を含む）、またはこれらの適切な組み合わせが使用可能である。３，３，４，４，５，５，６，６，７，７，８，８，８−トリデカフルオロオクタン−１−オール３０〜４９．９質量％と３，３，４，４，５，５，６，６，７，７，８，８，９，９，１０，１０，１０−ヘプタデカフルオロデカン−１−オール３０〜４９．９質量％とを含むペルフルオロアルキルエタノール混合物、例えば市販製品のＦｌｕｏｗｅｔ（登録商標）  ＥＡ  ６１２およびＦｌｕｏｗｅｔ（登録商標）  ＥＡ  ８１２の使用が好ましい。
【００１７】
適切な（ペル）フルオロアルキルアルキレンアミン成分（Ｂ）（ｉｉ）は、例えば、３，３，４，４，５，５，６，６，７，７，８，８，８−トリデカフルオロオクチルアミン、３，３，４，４，５，５，６，６，７，７，８，８，９，９，１０，１０，１０−ヘプタデカフルオロデシルアミン、３，３，４，４，５，５，６，６，７，７，８，８，９，９，１０，１０，１１，１１，１２，１２，１２−ヘンエイコサフルオロドデシルアミン、３，３，４，４，５，５，６，６，７，７，８，８，９，９，１０，１０，１１，１１，１２，１２，１３，１３，１４，１４，１４−ペンタコサフルオロテトラデシルアミン、３，３，４，４，５，５，６，６，７，７，８，８，９，９，１０，１０，１１，１１，１２，１２，１３，１３，１４，１４，１５，１５，１６，１６，１６−ノナコサフルオロヘキサデシルアミン、１，１，１，２，２，３，３，４，４，５，５，６，６−トリデカフルオロ−８−ヨードオクタン、１，１，１−２，２，３，３，４，４，５，５，６，６，７，７，８，８−ヘプタデカフルオロ−１０−ヨードデカン、１，１，１，２，２，３，３，４，４，５，５，６，６，７，７，８，８，９，９，１０，１０−ヘンエイコサフルオロ−１２−ヨードドデカン、１，１，１，２，２，３，３，４，４，５，５，６，６，７，７，８，８，９，９，１０，１０，１１，１１，１２，１２−ペンタコサフルオロ−１４−ヨードテトラデカン、１，１，１，２，２，３，３，４，４，５，５，６，６，７，７，８，８，９，９，１０，１０，１１，１１，１２，１２，１３，１３，１４，１４−ノナコサフルオロ−１６−ヨードヘキサデカンの反応生成物、Ｃｌａｒｉａｎｔ  ＧｍｂＨ社から市販されている製品であるＦｌｕｏｗｅｔ（登録商標）  Ｉ  ６００、Ｆｌｕｏｗｅｔ（登録商標）  Ｉ  ８００、Ｆｌｕｏｗｅｔ（登録商標）  Ｉ  ６１２、Ｆｌｕｏｗｅｔ（登録商標）  Ｉ  ８１２、Ｆｌｕｏｗｅｔ（登録商標）  Ｉ  ６／１０２０、Ｆｌｕｏｗｅｔ（登録商標）  Ｉ  １０２０（ペルフルオロアルキルヨウ化物混合物を含む）、Ｆｌｕｏｗｅｔ（登録商標）  ＥＩ  ６００、Ｆｌｕｏｗｅｔ（登録商標）  ＥＩ  ８００、Ｆｌｕｏｗｅｔ（登録商標）  ＥＩ  ８１２、Ｆｌｕｏｗｅｔ（登録商標）  ＥＩ  ６／１０２０（ペルフルオロアルキルエチルヨウ化物混合物を含む）、および適切なアミノ化試薬、ダイキン工業株式会社から市販されている製品であるＵ−１６１０、Ｕ−１７１０、Ｕ−１８１０、またはこれらの適切な組み合わせである。３，３，４，４，５，５，６，６，７，７，８，８，８−トリデカフルオロオクチルアミン３０〜４９．９質量％と３，３，４，４，５，５，６，６，７，７，８，８，９，９，１０，１０，１０−ヘプタデカフルオロデシルアミン３０〜４９．９質量％とを含むペルフルオロアルキルエタノール混合物の使用が好ましい。
【００１８】
適切なフッ素変性マクロモノマーまたはテレケリックポリマー（Ｂ）（ｉｉｉ）として、例えば、４−（３，３，４，４，５，５，６，６，７，７，８，８，８−トリデカフルオロオクチル）ベンジルアルコール、４−（３，３，４，４，５，５，６，６，７，７，８，８，９，９，１０，１０，１０−ヘプタデカフルオロデシル）ベンジルアルコール、４−（３，３，４，４，５，５，６，６，７，７，８，８，８−トリデカフルオロオクチルチオ）フェノール、４−（３，３，４，４，５，５，６，６，７，７，８，８，９，９，１０，１０，１０−ヘプタデカフルオロデシルチオ）フェノール、４−（４，４，５，５，６，６，７，７，８，８，９，９，９−トリデカフルオロノニルオキシ）ベンジルアルコール、４−（４，４，５，５，６，６，７，７，８，８，９，９，１０，１０，１１，１１，１１−ヘプタデカフルオロウンデシルオキシ）ベンジルアルコール、４−（３，３，４，４，５，５，６，６，７，７，８，８，８−トリデカフルオロオクチル）ベンジルアミン、４−（３，３，４，４，５，５，６，６，７，７，８，８，９，９，１０，１０，１０−ヘプタデカフルオロデシル）ベンジルアミン、３，３，４，４，５，５，６，６，７，７，８，８，８−トリデカフルオロオクタン−１−チオール、３，３，４，４，５，５，６，６，７，７，８，８，９，９，１０，１０，１０−ヘプタデカフルオロデカン−１−チオール、３，３，４，４，５，５，６，６，７，７，８，８，９，９，１０，１０，１１，１１，１２，１２，１２−ヘンエイコサフルオロドデカン−１−チオール、３，３，４，４，５，５，６，６，７，７，８，８，９，９，１０，１０，１１，１１，１２，１２，１３，１３，１４，１４，１４−ペンタコサフルオロテトラデカン−１−チオール、３，３，４，４，５，５，６，６，７，７，８，８，９，９，１０，１０，１１，１１，１２，１２，１３，１３，１４，１４，１５，１５，１６，１６，１６−ノナコサフルオロヘキサデカン−１−チオール、テトラフルオロエチレンおよびヒドロキシアルキル（メタ）アクリレートに基づくヒドロキシル官能性コポリマー、例えばダイキン工業株式会社から市販されている製品であるＺｅｆｆｌｅ（登録商標）  ＧＫ−５００、ＧＫ−５１０、ＧＫ  ５５０、またはこれらの適切な組み合わせが使用可能である。
【００１９】
３，３，４，４，５，５，６，６，７，７，８，８，８−トリデカフルオロ−１−イソシアナトオクタン、３，３，４，４，５，５，６，６，７，７，８，８，９，９，１０，１０，１０−ヘプタデカフルオロ−１−イソシアナトデカン、３，３，４，４，５，５，６，６，７，７，８，８，９，９，１０，１０，１１，１１，１２，１２，１２−ヘンエイコサフルオロ−１−イソシアナトドデカン、３，３，４，４，５，５，６，６，７，７，８，８，９，９，１０，１０，１１，１１，１２，１２，１３，１３，１４，１４，１４ペンタコサフルオロ−１−イソシアナトテトラデカン、３，３，４，４，５，５，６，６，７，７，８，８，９，９，１０，１０，１１，１１，１２，１２，１３，１３，１４，１４，１５，１５，１６，１６，１６−ノナコサフルオロ−１−イソシアナトヘキサデカン、またはこれらの適切な組み合わせは、（ペル）フルオロアルキルアルキレンイソシアネート成分（Ｂ）（ｉｖ）の典型的な例である。
【００２０】
適切な（ペル）フルオロアルキルアルカンカルボン酸誘導体成分（Ｂ）（ｖ）は、例えば、トリデカフルオロヘプタン酸、ペンタデカフルオロオクタン酸、ヘプタデカフルオロノナン酸、ノナデカフルオロデカン酸、ヘンエイコサフルオロウンデカン酸、ダイキン工業株式会社から市販されている製品であるＣ−１６００、Ｃ−１７００、Ｃ−１８００、Ｃ−１９００、Ｃ−２０００、Ｃ−５６００、Ｃ−５８００、トリデカフルオロヘプタノイルクロリド、ペンタデカフルオロオクタノイルクロリド、ヘプタデカフルオロノナノイルクロリド、ノナデカフルオロデカノイルクロリド、ヘンエイコサフルオロウンデカノイルクロリド、（メチルまたは）エチルトリデカフルオロヘプタノエート、（メチルまたは）エチルペンタデカフルオロオクタノエート、（メチルまたは）エチルヘプタデカフルオロノナノエート、（メチルまたは）エチルノナデカフルオロデカノエート、（メチルまたは）エチルヘンエイコサフルオロウンデカノエート、ダイキン工業株式会社から市販されている製品であるＣ−１７０８、Ｃ−５６０８、Ｃ−５８０８、Ｓ−１７０１、Ｓ−１７０２、Ｓ−５６０２、Ｓ−５８０２、またはこれらの適切な組み合わせである。
【００２１】
適切なイソシアナトアルキルアルコキシシラン成分（Ｃ）（ｉ）および／または別のイソシアナトシラン成分（Ｃ）（ｉｉ）として、例えば、ＧＥ  Ｓｉｌｉｃｏｎｅｓ社から市販されている製品であるＳｉｌｑｕｅｓｔ（登録商標）  Ａ−１３１０  Ｓｉｌａｎｅ、Ｓｉｌｑｕｅｓｔ（登録商標）  Ａ−Ｌｉｎｋ（商標）  ２５  Ｓｉｌａｎｅ（３−イソシアナトプロピルトリエトキシシラン）、Ｓｉｌｑｕｅｓｔ（登録商標）  Ａ−Ｌｉｎｋ（商標）  ３５  Ｓｉｌａｎｅ（（３−イソシアナトプロピル）トリメトキシシラン）、Ｓｉｌｑｕｅｓｔ（登録商標）  Ａ−Ｌｉｎｋ（商標）  ５９７  Ｓｉｌａｎｅ、Ｓｉｌｑｕｅｓｔ（登録商標）  ＦＲ−５２２  Ｓｉｌａｎｅ、およびＳｉｌｑｕｅｓｔ（登録商標）  Ｙ−５１８７  Ｓｉｌａｎｅ、Ｗａｃｋｅｒ−Ｃｈｅｍｉｅ  ＧｍｂＨ社から市販されている製品であるＧＥＮＩＯＳＩＬ（登録商標）  ＧＦ  ４０（３−イソシアナトプロピルトリメトキシシラン）、ＧＥＮＩＯＳＩＬ（登録商標）  ＸＬ  ４２（イソシアナトメチルメチルジメトキシシラン）、およびＧＥＮＩＯＳＩＬ（登録商標）  ＸＬ  ４３（イソシアナトメチルトリメトキシシラン）、またはこれらの適切な組み合わせを使用することができる。本発明の目的で、３−イソシアナトプロピルトリメトキシシランおよび／または３−イソシアナトプロピルトリエトキシシランが好ましい。
【００２２】
ポリイソシアネート成分（Ｄ）（ｉ）および／または別のポリイソシアネート成分（Ｄ）（ｉｉ）として適切な化合物は、例えば、同じまたは異なる反応性を有する、２個以上の脂肪族もしくは芳香族イソシアネート基を有するポリイソシアネート、ポリイソシアネート誘導体、またはポリイソシアネート同族体、またはこれらの適切な組み合わせ、特にポリウレタン化学において十分に知られているポリイソシアネート、またはこれらの組み合わせである。適切な脂肪族ポリイソシアネートは、例えば、１，６−ジイソシアナトヘキサン（ＨＤＩ）、１−イソシアナト−５−イソシアナトメチル−３，３，５−トリメチルシクロヘキサン、またはイソホロンジイソシアネート（ＩＰＤＩ、市販製品のＶＥＳＴＡＮＡＴ（登録商標）  ＩＰＤＩ、Ｄｅｇｕｓｓａ  ＡＧ社）、ビス（４−イソシアナトシクロヘキシル）メタン（Ｈ12ＭＤＩ、市販製品のＶＥＳＴＡＮＡＴ（登録商標）  Ｈ１２ＭＤＩ、Ｄｅｇｕｓｓａ  ＡＧ社）、１，３−ビス（１−イソシアナト−１−メチルエチル）ベンゼン（ｍ−ＴＭＸＤＩ）、２，２，４−トリメチル‐１，６−ジイソシアナトヘキサン、または２，４，４−トリメチル−１，６−ジイソシアナトヘキサン（ＴＭＤＩ、市販製品のＶＥＳＴＡＮＡＴ（登録商標）  ＴＭＤＩ、Ｄｅｇｕｓｓａ  ＡＧ社）、二量体脂肪酸に基づくジイソシアネート（市販製品のＤＤＩ（登録商標）  １４１０  ＤＩＩＳＯＣＹＡＮＡＴＥ、Ｃｏｇｎｉｓ  Ｄｅｕｔｓｃｈｌａｎｄ  ＧｍｂＨ  ＆  Ｃｏ．  ＫＧ社）、または個々の脂肪族ポリイソシアネートの工業用異性体混合物である。適切な芳香族ポリイソシアネートとして、例えば、２，４−ジイソシアナトトルエンまたはトリレンジイソシアネート（ＴＤＩ）、ビス（４−イソシアナトフェニル）メタン（ＭＤＩ）およびその高級同族体（ポリマーＭＤＩ）、または個々の芳香族ポリイソシアネートの工業用異性体混合物が使用可能である。さらに、ビス（４−イソシアナトシクロヘキシル）メタン（Ｈ12ＭＤＩ）、１，６−ジイソシアナトヘキサン（ＨＤＩ）、１−イソシアナト−５−イソシアナトメチル−３，３，５−トリメチルシクロヘキサン（ＩＰＤＩ）に基づく「表面被覆用ポリイソシアネート」も原則として適している。「表面被覆用ポリイソシアネート」という用語は、アロファネート基、ビウレット基、カルボジイミド基、イミノオキサジアジンジオン基、イソシアヌレート基、オキサジアジントリオン基、ウレトジオン基、ウレタン基を有するイソシアネートの誘導体であって、従来技術によりモノマージイソシアネートの残留含有量が最小限に抑えられたものを指す。さらに、例えば、モノヒドロキシ官能性ポリエチレングリコールまたはアミノスルホン酸ナトリウム塩を用いた、ビス（４−イソシアナトシクロヘキシル）メタン（Ｈ12ＭＤＩ）、１，６−ジイソシアナトヘキサン（ＨＤＩ）、１−イソシアナト−５−イソシアナトメチル−３，３，５−トリメチルシクロヘキサン（ＩＰＤＩ）の親水性変性によって得られる、変性ポリイソシアネートも使用可能である。適切な「表面被覆用ポリイソシアネート」として、例えば、Ｄｅｇｕｓｓａ  ＡＧ社から市販されている製品であるＶＥＳＴＡＮＡＴ（登録商標）  Ｔ  １８９０  Ｅ、ＶＥＳＴ��ＮＡＴ（登録商標）  Ｔ  １８９０  Ｌ、ＶＥＳＴＡＮＡＴ（登録商標）  Ｔ  １８９０  Ｍ、ＶＥＳＴＡＮＡＴ（登録商標）  Ｔ  １８９０  ＳＶ、ＶＥＳＴＡＮＡＴ（登録商標）  Ｔ  １８９０／１００（ＩＰＤＩ三量体に基づくポリイソシアネート）、ＶＥＳＴＡＮＡＴ（登録商標）  ＨＢ  ２６４０  ＭＸ、ＶＥＳＴＡＮＡＴ（登録商標）  ＨＢ  ２６４０／１００、ＶＥＳＴＡＮＡＴ（登録商標）  ＨＢ  ２６４０／ＬＶ（ＨＤＩ−ビウレットに基づくポリイソシアネート）、ＶＥＳＴＡＮＡＴ（登録商標）  ＨＴ  ２５００  Ｌ、ＶＥＳＴＡＮＡＴ（登録商標）  ＨＢ  ２５００／１００、ＶＥＳＴＡＮＡＴ（登録商標）  ＨＢ  ２５００／ＬＶ（ＨＤＩ−イソシアヌレートに基づくポリイソシアネート）、ＢＡＳＦ  ＡＧ社から市販されている製品であるＢａｓｏｎａｔ（登録商標）  ＨＷ  １００、Ｂａｙｅｒ  ＡＧ社から市販されている製品であるＢａｙｈｙｄｕｒ（登録商標）  ３１００、Ｂａｙｈｙｄｕｒ（登録商標）  ＶＰ  ＬＳ  ２１５０  ＢＡ、Ｂａｙｈｙｄｕｒ（登録商標）  ＶＰ  ＬＳ  ２３０６、Ｂａｙｈｙｄｕｒ（登録商標）  ＶＰ  ＬＳ  ２３１９、Ｂａｙｈｙｄｕｒ（登録商標）  ＶＰ  ＬＳ  ２３３６、Ｂａｙｈｙｄｕｒ（登録商標）  ＸＰ  ２４５１、Ｂａｙｈｙｄｕｒ（登録商標）  ＸＰ  ２４８７、Ｂａｙｈｙｄｕｒ（登録商標）  ＸＰ  ２４８７／１、Ｂａｙｈｙｄｕｒ（登録商標）  ＸＰ  ２５４７、Ｂａｙｈｙｄｕｒ（登録商標）  ＸＰ  ２５７０、Ｄｅｓｍｏｄｕｒ（登録商標）  ＸＰ  ２５６５、ならびにＲｈｏｄｉａ社から市販されている製品であるＲｈｏｄｏｃｏａｔ（登録商標）  Ｘ  ＥＺ−Ｍ  ５０１、Ｒｈｏｄｏｃｏａｔ（登録商標）  Ｘ  ＥＺ−Ｍ  ５０２、Ｒｈｏｄｏｃｏａｔ（登録商標）  ＷＴ  ２１０２が使用可能である。本発明によると、成分（Ｄ）（ｉ）としてイソホロンジイソシアネートおよび／またはトリレンジイソシアネートを、成分（Ｄ）（ｉｉ）として１，６−ジイソシアナトヘキサンの（場合によっては親水性に変性された）三量体を使用することが好ましい。反応生成物ａ7）、ａ8）、ａ11）、ａ12）、ｃ12）、およびｃ1.14）の場合、親水性に変性されたポリイソシアネートも使用可能である。モノヒドロキシ官能性ポリエチレングリコールを用いて変性したポリイソシアネートを使用する際には、反応生成物ａ8）およびｃ1.14）の場合、単官能性ポリアルキレングリコール成分（Ｇ）（ｉ）および／または単官能性ポリオキシアルキレンアミン成分（Ｇ）（ｉｉ）の使用を省くこともできる。
【００２３】
適切なアミノアルキルアルコキシシラン成分（Ｅ）（ｉ）および／または別のアミノシラン成分（Ｅ）（ｉｉ）の例は、Ｄｅｇｕｓｓａ  ＡＧ社から市販されている製品であるＤＹＮＡＳＩＬＡＮ（登録商標）  ＡＭＭＯ（３−アミノプロピルトリメトキシシラン）、ＤＹＮＡＳＩＬＡＮ（登録商標）  ＡＭＥＯ（ＡＭＥＯ−Ｐ）（３−アミノプロピルトリエトキシシラン）、ＤＹＮＡＳＩＬＡＮ（登録商標）  ＡＭＥＯ−Ｔ（独占権を有するアミノシランの組み合わせ）、ＤＹＮＡＳＩＬＡＮ（登録商標）  ＤＡＭＯ（ＤＡＭＯ−Ｐ）（Ｎ−（２−アミノエチル）−３−アミノプロピルトリメトキシシラン）、ＤＹＮＡＳＩＬＡＮ（登録商標）  ＤＡＭＯ−Ｔ（独占権を有するアミノシランの組み合わせ）、ＤＹＮＡＳＩＬＡＮ（登録商標）  ＴＲＩＡＭＯ（Ｎ−［Ｎ’−（２−アミノエチル）−２−アミノエチル］−３−アミノプロピルトリメトキシシラン）、ＤＹＮＡＳＩＬＡＮ（登録商標）  １１２２（ビス（３−トリエトキシシリルプロピル）アミン）、ＤＹＮＡＳＩＬＡＮ（登録商標）  １１２６（独占権を有するアミノシランの組み合わせ）、ＤＹＮＡＳＩＬＡＮ（登録商標）  １１４６（ジアミノ／アルキル官能性シロキサンコオリゴマー）、ＤＹＮＡＳＩＬＡＮ（登録商標）  １１８９（Ｎ−ブチル−３−アミノプロピルトリメトキシシラン）、ＤＹＮＡＳＩＬＡＮ（登録商標）  １２０４（独占権を有するアミノシランの組み合わせ）、ＤＹＮＡＳＩＬＡＮ（登録商標）  １４１１（Ｎ−（２−アミノエチル）−３−アミノプロピルメチルジメトキシシラン）、ＤＹＮＡＳＩＬＡＮ（登録商標）  １５０５（３−アミノプロピルメチルジエトキシシラン）、ＤＹＮＡＳＩＬＡＮ（登録商標）  １５０６（溶媒中の３−アミノプロピルメチルジエトキシシラン調製液）、ＤＹＮＡＳＩＬＡＮ（登録商標）  ２２０１（３−ウレイドプロピルトリエトキシシラン、メタノール中５０％）、ＧＥ  Ｓｉｌｉｃｏｎｅｓ社から市販されている製品であるＳｉｌｑｕｅｓｔ（登録商標）  Ａ−１１００  Ｓｉｌａｎｅ、Ｓｉｌｑｕｅｓｔ（登録商標）  Ａ−１１０１  Ｓｉｌａｎｅ、Ｓｉｌｑｕｅｓｔ（登録商標）  Ａ−１１０２  Ｓｉｌａｎｅ、Ｓｉｌｑｕｅｓｔ（登録商標）  Ａ−１１０６  Ｓｉｌａｎｅ、Ｓｉｌｑｕｅｓｔ（登録商標）  Ａ−１１１０  Ｓｉｌａｎｅ、Ｓｉｌｑｕｅｓｔ（登録商標）  Ａ−１１２０  Ｓｉｌａｎｅ、Ｓｉｌｑｕｅｓｔ（登録商標）  Ａ−１１３０  Ｓｉｌａｎｅ、Ｓｉｌｑｕｅｓｔ（登録商標）  Ａ−１１６０  Ｓｉｌａｎｅ、Ｓｉｌｑｕｅｓｔ（登録商標）  Ａ−１１７０  Ｓｉｌａｎｅ、Ｓｉｌｑｕｅｓｔ（登録商標）  Ａ−１６３７  Ｓｉｌａｎｅ、Ｓｉｌｑｕｅｓｔ（登録商標）  Ａ−２１２０  Ｓｉｌａｎｅ、Ｓｉｌｑｕｅｓｔ（登録商標）  Ａ−２６３９  Ｓｉｌａｎｅ、Ｓｉｌｑｕｅｓｔ（登録商標）  Ａ−Ｌｉｎｋ（商標）  １５  Ｓｉｌａｎｅ、Ｓｉｌｑｕｅｓｔ（登録商標）  Ｙ−９６６９  Ｓｉｌａｎｅ、およびＷａｃｋｅｒ  Ｃｈｅｍｉｅ  ＧｍｂＨ社から市販されている製品であるＧＥＮＩＯＳＩＬ（登録商標）  ＧＦ  ９（Ｎ−２−アミノエチル−３−アミノプロピルトリメトキシシラン）、ＧＥＮＩＯＳＩＬ（登録商標）  ＧＦ  ９１（Ｎ−２−アミノエチル−３−アミノプロピルトリ���トキシシラン）、ＧＥＮＩＯＳＩＬ（登録商標）  ＧＦ  ９３（３−アミノプロピルトリエトキシシラン）、ＧＥＮＩＯＳＩＬ（登録商標）  ＧＦ  ９５（Ｎ−２−アミノエチル−３−アミノプロピルメチルジメトキシシラン）、ＧＥＮＩＯＳＩＬ（登録商標）  ＧＦ  ９６（３−アミノプロピルトリメトキシシラン）、ＧＥＮＩＯＳＩＬ（登録商標）  ＸＬ  ９２４（Ｎ−シクロヘキシルアミノメチルメチルジエトキシシラン）、ＧＥＮＩＯＳＩＬ（登録商標）  ＸＬ  ９２６（Ｎ−シクロヘキシルアミノメチルトリエトキシシラン）、ＧＥＮＩＯＳＩＬ（登録商標）  ＸＬ  ９７２（Ｎ−フェニルアミノメチルメチルジメトキシシラン）、ＧＥＮＩＯＳＩＬ（登録商標）  ＸＬ  ９７３（Ｎ−フェニルアミノメチルトリメトキシシラン）、またはこれらの適切な組み合わせである。本発明の目的で、好適な成分（Ｅ）（ｉ）は、３−アミノプロピルトリメトキシシラン、および／または３−アミノプロピルトリエトキシシラン、および／またはＮ−（２−アミノエチル）−３−アミノプロピルトリメトキシシラン、および／またはＮ−（２−アミノエチル）−３−アミノプロピルトリエトキシシラン、および／またはＮ−［Ｎ’−（２−アミノエチル）−２−アミノエチル］−３−アミノプロピルトリメトキシシランである。
【００２４】
適切な非イオン性シラン成分（Ｅ）（ｉｉｉ）として、例えば、Ｄｅｇｕｓｓａ  ＡＧ社から市販されている製品であるＤＹＮＡＳＩＬＡＮ（登録商標）  ４１４０（４１４０−Ａ）（トリメトキシシリルプロピルメチルポリエチレングリコール）、ＤＹＮＡＳＩＬＡＮ（登録商標）  １２１１（ポリグリコールエーテル変性アミノシラン）、ＧＥ  Ｓｉｌｉｃｏｎｅｓ社から市販されている製品であるＳｉｌｑｕｅｓｔ（登録商標）  Ａ−１２３０  Ｓｉｌａｎｅ（トリメトキシシリルプロピルメチルポリエチレングリコール）、またはこれらの適切な組み合わせが使用可能であり、一般式
Ｈ3Ｃ−Ｏ−（ＣＨ2ＣＨ2−Ｏ）z，−（ＣＨ2）3−Ｓｉ（ＯＲ1）3
（式中、ｚ’＝５〜１５であり、Ｒ1はＭｅ、Ｅｔである）のシランが、成分Ｅ（ｉｉｉ）として特に適している。
【００２５】
適切なアミノシリコンオイル成分（Ｅ）（ｉｖ）として、例えば、Ｎｉｔｒｏｃｈｅｍｉｅ  Ａｓｃｈａｕ  ＧｍｂＨ社から市販されている製品であるＡＯ  ２０１、ＡＯ  ２０２、ＡＯ  １０００、ＡＯ  １００１、ＡＯ  １００２、ＡＯ  ４０００、ＡＯ  ４００１、ＡＯ  ４５００、ＡＯ  ６５００（アミノシリコンオイルまたはヒドロキシ−および／またはアルコキシ末端ポリ［３−（（２−アミノエチル）アミノ）プロピル］メチル（ジメチル）シロキサンを含む）、あるいはこれらの適切な組み合わせが使用可能である。
【００２６】
Ｄｅｇｕｓｓａ  ＡＧ社から市販されている製品であるＤＹＮＡＳＩＬＡＮ（登録商標）  ＭＴＭＳ（メチルトリメトキシシラン）、ＤＹＮＡＳＩＬＡＮ（登録商標）  ＭＴＥＳ（メチルトリエトキシシラン）、ＤＹＮＡＳＩＬＡＮ（登録商標）  ＰＴＭＯ（プロピルトリメトキシシラン）、ＤＹＮＡＳＩＬＡＮ（登録商標）  ＰＴＥＯ（プロピルトリエトキシシラン）、ＤＹＮＡＳＩＬＡＮ（登録商標）  ＩＢＴＭＯ（イソブチルトリメトキシシラン）、ＤＹＮＡＳＩＬＡＮ（登録商標）  ＩＢＴＥＯ（イソブチルトリエトキシシラン）、ＤＹＮＡＳＩＬＡＮ（登録商標）  ＯＣＴＭＯ（オクチルトリメトキシシラン）、ＤＹＮＡＳＩＬＡＮ（登録商標）  ＯＣＴＥＯ（オクチルトリエトキシシラン）、ＤＹＮＡＳＩＬＡＮ（登録商標）  ９１１６（ヘキサデシルトリメトキシシラン）、ＤＹＮＡＳＩＬＡＮ（登録商標）  ９１６５（フェニルトリメトキシシラン、旧ＣＰ  ０３３０）、ＤＹＮＡＳＩＬＡＮ（登録商標）  ９２６５（フェニルトリエトキシシラン、旧ＣＰ  ０３２０）、ＤＹＮＡＳＩＬＡＮ（登録商標）  Ａ（テトラエチルオルトシリケート）  ＤＹＮＡＳＩＬＡＮ（登録商標）  Ａ  ＳＱ（テトラエチルオルトシリケート、高純度）、ＤＹＮＡＳＩＬＡＮ（登録商標）  Ｍ（テトラメチルオルトシリケート）、ＤＹＮＡＳＩＬＡＮ（登録商標）  Ｐ（テトラ−ｎ−プロピルシリケート）、ＤＹＮＡＳＩＬＡＮ（登録商標）  ＢＧ（テトラブチルグリコールシリケート）  ＤＹＮＡＳＩＬＡＮ（登録商標）  ４０（エチルポリシリケート）、またはこれらの適切な組み合わせは、適切な低分子シラン成分（Ｅ）（ｖ）である。
【００２７】
特に適切な親水性化された水性シラン成分（Ｅ）（ｖｉ）は、例えば、Ｄｅｇｕｓｓａ  ＡＧ社から市販されている製品であるＤＹＮＡＳＩＬＡＮ（登録商標）  １１６１（カチオン性、ベンジルアミノ官能性シラン、ヒドロクロリド、メタノール中５０質量％）、ＤＹＮＡＳＩＬＡＮ（登録商標）  １１７２（カチオン性、ベンジルアミノ官能性シラン、ヒドロアセテート、メタノール中５０質量％）、ＤＹＮＡＳＩＬＡＮ（登録商標）  １１５１（アミノシラン加水分解物、アルコール非含有）、ＤＹＮＡＳＩＬＡＮ（登録商標）  ＨＳ  ２６２７（ＨＹＤＲＯＳＩＬ（登録商標）  ２６２７）（アミノ／アルキル官能性シロキサンコオリゴマー、アルコール非含有）、ＤＹＮＡＳＩＬＡＮ（登録商標）  ＨＳ  ２７７５（ＨＹＤＲＯＳＩＬ（登録商標）  ２７７５）（トリアミノ／アルキル官能性シロキサンコオリゴマー、アルコール非含有）、ＤＹＮＡＳＩＬＡＮ（登録商標）  ＨＳ  ２７７６（ＨＹＤＲＯＳＩＬ（登録商標）  ２７７６、アルコール非含有）（ジアミノ／アルキル官能性シロキサンコオリゴマー）、ＤＹＮＡＳＩＬＡＮ（登録商標）  ＨＳ  ２７８１（ＨＹＤＲＯＳＩＬ（登録商標）  ２７８１）（アミノ／ビニル官能性シロキサンコオリゴマー、アルコール非含有）、ＤＹＮＡＳＩＬＡＮ（登録商標）  ＨＳ  ２９０７（ＨＹＤＲＯＳＩＬ（登録商標）  ２９０７）（アミノ／ビニル官能性シロキサンコオリゴマー、アルコール非含有）、ＤＹＮＡＳＩＬＡＮ（登録商標）  ＨＳ  ２９０９（ＨＹＤＲＯＳＩＬ（登録商標）  ２９０９）（アミノ／アルキル官能性シロキサンコオリゴマー、アルコール非含有）、ＤＹＮＡＳＩＬＡＮ（登録商標）  ＨＳ  ２９２６（ＨＹＤＲＯＳＩＬ（登録商標）  ２９２６）（エポキシ官能性シロキサンコオリゴマー、アルコール非含有）、またはこれらの適切な組み合わせである。
【００２８】
単官能性ヘキサフルオロプロペンオキシド成分（Ｆ）（ｉ）の適切な代表例は、例えば、単官能性ポリヘキサフルオロプロペンオキシドカルボン酸、ポリヘキサフルオロプロペンオキシドカルボン酸フッ化物、ポリヘキサフルオロプロペンオキシドカルボン酸のメチルエステル（Ｄｙｎｅｏｎ  ＧｍｂＨ  ＆  Ｃｏ．  ＫＧ社）、またはこれらの適切な組み合わせである。
【００２９】
適切な二官能性ヘキサフルオロプロペンオキシド成分（Ｆ）（ｉｉ）として、例えば、二官能性ポリヘキサフルオロプロペンオキシドカルボン酸、ポリヘキサフルオロプロペンオキシドカルボン酸フッ化物、ポリヘキサフルオロプロペンオキシドカルボン酸のメチルエステル（Ｄｙｎｅｏｎ  ＧｍｂＨ  ＆  Ｃｏ．  ＫＧ社）、またはこれらの適切な組み合わせが使用可能である。
【００３０】
Ｃｌａｒｉａｎｔ  ＧｍｂＨ社から市販されている製品であるＭ  ２５０、Ｍ  ３５０、Ｍ  ３５０  ＰＵ、Ｍ  ５００、Ｍ  ５００  ＰＵ、Ｍ  ７５０、Ｍ  １１００、Ｍ  ２０００  Ｓ、Ｍ  ２０００  ＦＬ、Ｍ  ５０００  Ｓ、Ｍ  ５０００  ＦＬ（単官能性メチルポリエチレングリコールを含む）、Ｂ１１／５０、Ｂ１１／７０、Ｂ１１／１００、Ｂ１１／１５０、Ｂ１１／１５０Ｋ、Ｂ１１／３００、Ｂ１１／７００（単官能性ブチルポリ（エチレンオキシド−ｒａｎ−プロピレンオキシド）を含む）、およびＤｅｇｕｓｓａ  ＡＧ社から市販されている製品であるＬＡ−Ｂ  ７２９（単官能性メチルポリ（エチレンオキシド−ｂｌｏｃｋ／ｃｏ−プロピレンオキシド）を含む）、またはこれらの適切な組み合わせは、適切な単官能性ポリアルキレングリコール成分（Ｇ）（ｉ）である。
【００３１】
適切な単官能性ポリオキシアルキレンアミン成分（Ｇ）（ｉｉ）は、例えば、Ｈｕｎｔｓｍａｎ  Ｃｏｒｐｏｒａｔｉｏｎ社から市販されている製品であるＪＥＦＦＡＭＩＮＥ（登録商標）  ＸＴＪ−５０５（Ｍ−６００）、ＪＥＦＦＡＭＩＮＥ（登録商標）  ＸＴＪ−５０６（Ｍ−１０００）、ＪＥＦＦＡＭＩＮＥ（登録商標）  ＸＴＪ−５０７（Ｍ−２００５）、ＪＥＦＦＡＭＩＮＥ（登録商標）  Ｍ−２０７０（エチレンオキシドおよびプロピレンオキシドに基づく単官能性ポリオキシアルキレンアミンを含む）、またはこれらの適切な組み合わせである。
【００３２】
多官能性ポリアルキレングリコール成分（Ｇ）（ｉｉｉ）の典型的な例は、例えば、Ｃｌａｒｉａｎｔ社から市販されている製品である２００、２００  Ｇ、３００、３００  Ｇ、４００、４００  Ｇ、６００、６００  Ａ、６００  ＰＵ、９００、１０００、１０００  ＷＡ、１５００  Ｓ、１５００  ＦＬ、１５００  ＰＳ、２０００  Ｓ、２０００  ＦＬ、３０００  Ｓ、３０００  Ｐ、３０００  ＦＬ、３３５０  Ｓ、３３５０  Ｐ、３３５０  ＦＬ、３３５０  ＰＳ、３３５０  ＰＴ、４０００  Ｓ、４０００  Ｐ、４０００  ＦＬ、４０００  ＰＳ、４０００  ＰＦ、５０００  ＦＬ、６０００  Ｓ、６０００  Ｐ、６０００  ＰＳ、６０００  ＦＬ、６０００  ＰＦ、８０００  Ｓ、８０００  Ｐ、８０００  ＦＬ、８０００  ＰＦ、１００００  Ｓ、１００００  Ｐ、１２０００  Ｓ、１２０００  Ｐ、２００００  Ｓ、２００００  Ｐ、２００００  ＳＲ、２００００  ＳＲＵ、３５０００  Ｓ（二官能性ポリエチレングリコールを含む）、ＰＲ  ３００、ＰＲ  ４５０、ＰＲ  ６００、ＰＲ  １０００、ＰＲ  １０００  ＰＵ、ＶＰＯ  １９６２（二官能性ポリ（エチレンオキシド−ｂｌｏｃｋ−プロピレンオキシド−ｂｌｏｃｋ−エチレンオキシド）を含む）、Ｄ２１／１５０、Ｄ２１／３００、Ｄ２１／７００（二官能性ポリ（エチレンオキシド−ｒａｎ−プロピレンオキシド）を含む）、およびＰ４１／２００  Ｋ、Ｐ４１／３００、Ｐ４１／３０００、Ｐ４１／１２００００（四官能性ポリ（エチレンオキシド−ｒａｎ−プロピレンオキシド）を含む）、またはこれらの適切な組み合わせである。
【００３３】
多官能性ポリオキシアルキレンアミン成分（Ｇ）（ｉｖ）として、例えば、Ｈｕｎｔｓｍａｎ  Ｃｏｒｐｏｒａｔｉｏｎ社から市販されている製品であるＪＥＦＦＡＭＩＮＥ（登録商標）  ＨＫ−５１１（ＸＴＪ−５１１）；ＪＥＦＦＡＭＩＮＥ（登録商標）  ＸＴＪ−５００（ＥＤ−６００）、ＪＥＦＦＡＭＩＮＥ（登録商標）  ＸＴＪ−５０２（ＥＤ−２００３）（エチレンオキシドおよびプロピレンオキシドに基づく二官能性ポリオキシアルキレンアミン）、またはこれらの適切な組み合わせが使用可能である。
【００３４】
塩化シアヌルまたは２，４，６−トリクロロ−１，３，５−トリアジン（Ｄｅｇｕｓｓａ  ＡＧ社）は、適切なトリアジン成分（Ｈ）である。
【００３５】
ヒドロキシカルボン酸成分（Ｉ）として、例えば、２−ヒドロキシメチル−３−ヒドロキシプロパン酸もしくはジメチロール酢酸、２−ヒドロキシメチル−２−メチル−３−ヒドロキシプロパン酸もしくはジメチロールプロピオン酸、２−ヒドロキシメチル−２−エチル−３−ヒドロキシプロパン酸もしくはジメチロール酪酸、２−ヒドロキシメチル−２−プロピル−３−ヒドロキシプロパン酸もしくはジメチロール吉草酸、ヒドロキシピバル酸（ＨＰＡ）、クエン酸、酒石酸、またはこれらの適切な組み合わせが使用可能である。本発明によると、クエン酸、および／またはヒドロキシピバル酸、および／またはジメチロールプロピオン酸の使用が好ましい。必要であれば、アミノ官能性カルボン酸、また適切な場合には、ヒドロ官能性カルボン酸、例えば２−ヒドロキシエタン酸、またはアミノ官能性スルホン酸および／またはヒドロ官能性スルホン酸、例えば２−アミノエタン酸、トリス（ヒドロキシメチル）メチル］−３−アミノプロパンスルホン酸も使用可能である。
【００３６】
ＮＣＮ成分（Ｊ）として、例えば、シアナミド（Ｄｅｇｕｓｓａ  ＡＧ社）も使用可能である。
【００３７】
カルボニル成分（Ｋ）に関しては、適切な例は、ホスゲン、ジホスゲン、トリホスゲン、脂肪族および／または芳香族クロロギ酸エステル、例えばメチルクロロホルメート、エチルクロロホルメート、イソプロピルクロロホルメート、フェニルクロロホルメート、脂肪族および／または芳香族の炭酸エステル、例えばジメチルカーボネート、ジエチルカーボネート、ジイソプロピルカーボネート、ジフェニルカーボネート、またはこれらの適切な組み合わせである。本発明の目的で、ホスゲン、および／またはエチルクロロホルメート、および／またはジエチルカーボネートの使用が好ましい。使用可能なさらなる適切なカルボニル成分（Ａ8）は、例えば、成分（Ｋ）と成分（Ｂ）（ｉ）および／または（Ｂ）（ｉｉ）および／または（Ｂ）（ｉｉｉ）との予備形成付加物、または成分（Ｋ）と成分（Ｅ）（ｉ）および／または（Ｅ）（ｉｉ）との予備形成付加物、例えば、Ｗａｃｋｅｒ−Ｃｈｅｍｉｅ  ＧｍｂＨ社から市販されている製品であるＧＥＮＩＯＳＩＬ（登録商標）  ＸＬ  ６３（Ｎ−（トリメトキシシリルメチル）−Ｏ−メチルカルバメート）、Ｎ−（トリエトキシシリルメチル）−Ｏ−メチルカルバメート、Ｎ−（トリメトキシシリルメチル）−Ｏ−エチルカルバメート、Ｎ−（トリエトキシシリルメチル）−Ｏ−エチルカルバメート、Ｎ−（トリメトキシシリルプロピル）−Ｏ−メチルカルバメート、Ｎ−（トリエトキシシリルプロピル）−Ｏ−メチルカルバメート、Ｎ−（トリメトキシシリルプロピル）−Ｏ−エチルカルバメート、Ｎ−（トリエトキシシリルプロピル）−Ｏ−エチルカルバメート、またはこれらの適切な組み合わせである。成分（Ｂ）（ｉ）および／または（Ｂ）（ｉｉ）および／または（Ｂ）（ｉｉｉ）のクロロホルメートまたはホスゲン誘導体、および／または成分（Ｅ）（ｉ）および／または（Ｅ）（ｉｉ）のカルバメートが好ましい。
【００３８】
適切なメルカプトアルキルアルコキシシラン成分（Ｌ）（ｉ）および／または別のメルカプトシラン成分（Ｌ）（ｉｉ）は、例えば、Ｄｅｇｕｓｓａ  ＡＧ社から市販されている製品であるＤＹＮＡＳＩＬＡＮ（登録商標）  ＭＴＭＯ（３−メルカプトプロピルトリメトキシシラン）、ＤＹＮＡＳＩＬＡＮ（登録商標）  ＭＴＥＯ（３−メルカプトプロピルトリエトキシシラン）、またはこれらの適切な組み合わせである。３−メルカプトプロピルトリメトキシシランおよび／または３−メルカプトプロピルトリエトキシシランの使用が好ましい。
【００３９】
適切な（ペル）フルオロアルキルアルキレンオキシド成分（Ｍ）として、例えば、４，４，５，５，６，６，７，７，８，８，９，９，９−トリデカフルオロノネン１，２−オキシド、４，４，５，５，６，６，７，７，８，８，９，９，１０，１０，１１，１１，１１−ヘプタデカフルオロウンデセン１，２−オキシド、４，４，５，５，６，６，７，７，８，８，９，９，１０，１０，１１，１１，１２，１２，１３，１３，１３−ヘンエイコサフルオロトリデセン１，２−オキシド、グリシジル２，２，３，３，４，４，５，５，６，６，７，７−ドデカフルオロヘプチルエーテル、グリシジル２，２，３，３，４，４，５，５，６，６，７，７，８，８，９，９−ヘキサデカフルオロノニルエーテル、グリシジル２，２，３，３，４，４，５，５，６，６，７，７，８，８，９，９，１０，１０，１１，１１−エイコサフルオロウンデシルエーテル、ダイキン工業株式会社から市販されている製品であるＥ−１８３０、Ｅ−２０３０、Ｅ−３６３０、Ｅ−３８３０、Ｅ−５６４４、Ｅ−５８４４、またはこれらの適切な組み合わせが使用可能である。特に好適な化合物は、４，４，５，５，６，６，７，７，８，８，９，９，９−トリデカフルオロノネン１，２−オキシドおよび／または４，４，５，５，６，６，７，７，８，８，９，９，１０，１０，１１，１１，１１−ヘプタデカフルオロウンデセン１，２−オキシドである。
【００４０】
適切なエポキシアルキロールアルコキシシラン成分（Ｎ）（ｉ）および／または別のエポキシシラン成分（Ｎ）（ｉｉ）の例は、Ｄｅｇｕｓｓａ  ＡＧ社から市販されている製品であるＤＹＮＡＳＩＬＡＮ（登録商標）  ＧＬＹＭＯ（（３−グリシジルオキシプロピル）トリメトキシシラン）、ＤＹＮＡＳＩＬＡＮ（登録商標）  ＧＬＹＥＯ（（３−グリシジルオキシプロピル）トリエトキシシラン）、ＧＥ  Ｓｉｌｉｃｏｎｅｓ社から市販されている製品であるＣｏａｔＯＳｉｌ（登録商標）  １７７０、Ｓｉｌｑｕｅｓｔ（登録商標）  Ａ−１８７  Ｓｉｌａｎｅ、Ｓｉｌｑｕｅｓｔ（登録商標）  Ａ−１８６  Ｓｉｌａｎｅ、Ｓｉｌｑｕｅｓｔ（登録商標）  ＷｅｔＬｉｎｋ  ７８  Ｓｉｌａｎｅ、Ｗａｃｋｅｒ−Ｃｈｅｍｉｅ  ＧｍｂＨ社から市販されている製品であるＧＥＮＩＯＳＩＬ（登録商標）  ＧＦ  ８０（（３−グリシジルオキシプロピル）トリメトキシシラン）、ＧＥＮＩＯＳＩＬ（登録商標）  ＧＦ  ８２（（３−グリシジルオキシプロピル）トリエトキシシラン）、またはこれらの適切な組み合わせであり、３−グリシジルオキシプロピルトリメトキシシランおよび／または３−グリシジルオキシプロピルトリエトキシシランが特に適している。
【００４１】
適切なポリアミン成分（Ｏ）は、例えば、アジピン酸ジヒドラジド、エチレンジアミン、ジエチレントリアミン、トリエチレンテトラミン、テトラエチレンペンタミン、ペンタエチレンヘキサミン、ジプロピレントリアミン、ヘキサメチレンジアミン、ヒドラジン（水和物）、イソホロンジアミン、Ｎ−（２−アミノエチル）−２−アミノエタノール、Ｎ，Ｎ’−ビス（２−ヒドロキシエチル）エチレンジアミン、またはこれらの適切な組み合わせであり、エチレンジアミンが好ましい。
【００４２】
適切な多面体オリゴマーポリシラセスキオキサン成分（Ｐ）（ｉ）および／または（Ｐ）（ｉｉ）および／または（Ｐ）（ｉｉｉ）として、例えば、１つまたは複数のアミノ基および／またはヒドロキシル基および／またはイソシアナト基および／またはメルカプト基と、１つまたは複数のペルフルオロアルキル基とを有する一般式
（Ｒ8uＲ9vＲ10wＳｉＯ1.5）8
［式中、０＜ｕ＜１であり、０＜ｖ＜１であり、０＜ｗ＜１であり、ｕ＋ｖ＋ｗ＝１であり、Ｒ8、Ｒ9、Ｒ10は、互いに独立して、１〜２５０個の炭素原子と、０〜５０個のＮ原子および／または１〜５０個のＯ原子および／または３〜１００個のＦ原子および／または０〜５０個のＳｉ原子および／または０〜５０個のＳ原子とを有する、任意の無機および／または有機でありかつ適切な場合にはポリマー性の基である］のポリシラセスキオキサン、
ならびにＤｅｇｕｓｓａ  ＡＧ社から市販されている製品であるＣｒｅａｓｉｌ（登録商標）、Ｈｙｂｒｉｄ  Ｐｉａｓｔｒｉｃｓ、Ｉｎｃ．社から市販されている製品であるＰＯＳＳ（登録商標）、またはこれらの適切な組み合わせが使用可能である。
【００４３】
本発明の目的で、可能なアミノアルコール成分（Ｑ）（ｉ）および／または別のアミノアルコール成分（Ｑ）（ｉｉ）は、例えば、エタノールアミン、Ｎ−メチルエタノールアミン、ジエタノールアミン、ジイソプロパノールアミン、３−（（２−ヒドロキシエチル）アミノ）−１−プロパノール、トリメチロールメチルアミン、アミノ糖、例えばガラクトサミン、グルカミン、グルコサミン、ノイラミン酸、または適切な組み合わせであり、ジエタノールアミン、および／またはジイソプロパノールアミン、および／またはトリメチロールメチルアミン、および／またはアミノ糖が特に好適な化合物である。
【００４４】
適切な触媒成分（Ｒ）は、例えば、ジブチルスズオキシド、ジブチルスズジラウレート（ＤＢＴＬ）、トリエチルアミン、スズ（ＩＩ）オクトエート、１，４−ジアザビシクロ［２．２．２］オクタン（ＤＡＢＣＯ）、１，４−ジアザビシクロ［３．２．０］−５−ノネン（ＤＢＮ）、１，５−ジアザビシクロ［５．４．０］−７−ウンデセン（ＤＢＵ）、モルホリン誘導体、例えばＪＥＦＦＣＡＴ（登録商標）  Ａｍｉｎｅ  Ｃａｔａｌｙｓｔｓ、またはこれらの適切な組み合わせである。
【００４５】
溶媒成分（Ｓ）（ｉ）に関しては、本発明は、低沸点溶媒、例えばアセトン、ブタノン、または高沸点溶媒、例えばＮ−メチル−２−ピロリドン、Ｎ−エチル−２−ピロリドン、ジプロピレングリコールジメチルエーテル（Ｐｒｏｇｌｙｄｅ  ＤＭＭ（登録商標））、またはこれらの適切な組み合わせを提示する。溶媒成分（Ｓ）（ｉ）は、イソシアネート基に対して不活性である。
【００４６】
溶媒成分（Ｓ）（ｉｉ）として、例えば、低沸点溶媒、好ましくはエタノール、メタノール、２−プロパノール、またはこれらの適切な組み合わせが使用される。
【００４７】
適切な安定化成分（Ｔ）は、例えば、通常は（重）付加反応および／または付加／脱離反応によって製造される、アニオン性および／またはカチオン性および／または非イオン性の親水性に変性され、かつシラン変性された反応生成物である。
【００４８】
適切な酸成分（Ｕ）（ｉ）は、特に、アクリル酸、メタクリル酸、マレイン酸、フマル酸、イタコン酸、２−アクリルアミド−２−メチルプロパン−１−スルホン酸（ＡＭＰＳ（登録商標））、またはこれらの適切な組み合わせであり、アクリル酸が好ましい。
【００４９】
適切な酸成分（Ｕ）（ｉｉ）として、例えば、アクリル酸無水物、メタクリル酸無水物、マレイン酸無水物、イタコン酸無水物、またはこれらの適切な組み合わせが使用可能であり、マレイン酸無水物が好適な例である。
【００５０】
適切な酸成分（Ｕ）（ｉｉｉ）は、糖酸またはポリヒドロキシ（ジ）カルボン酸またはポリヒドロキシカルボン酸アルデヒドのγ−および／またはδ−ラクトン、例えば、Ｄ−グルコノ−δ−ラクトン、Ｄ−グルクロノ−δ−ラクトン、アスコルビン酸、アルドン酸γ／δ−ラクトン、ウロン酸γ／δ−ラクトン、Ｄ−グルカル酸γ／δ−ラクトン、またはこれらの適切な組み合わせであり、Ｄ−グルコノ−δ−ラクトンが好適である。
【００５１】
典型的な酸成分（Ｕ）（ｉｖ）としては、ギ酸が使用される。しかしながら、別の一塩基もしくは多塩基有機酸、例えば酢酸、シュウ酸、マロン酸、クエン酸、一塩基もしくは多塩基無機酸、例えばアミドスルホン酸、塩酸、硫酸、リン酸、またはこれらの適切な組み合わせも適している。
【００５２】
（重）付加反応および／または付加／脱離反応によって製造された、ポリアルキレングリコール変性およびシラン変性反応生成物は、適切な親水性シラン成分（Ｖ）である。
【００５３】
本発明の目的で、中和成分（Ｗ）として、トリエチルアミンが好ましく使用される。しかしながら、３級アミン全般、例えばトリメチルアミン、Ｎ−メチルジエタノールアミン、Ｎ，Ｎ−ジメチルエタノールアミン、トリエタノールアミン、Ｎ−メチルモルホリン、Ｎ−エチルモルホリン、無機塩基、例えばアンモニア、水酸化リチウム、水酸化ナトリウム、水酸化カリウム、またはこれらの適切な組み合わせも同様に可能である。
【００５４】
適切な活性化成分（Ｘ）は、例えば、水含有酸および溶媒含有酸である。
【００５５】
適切な配合成分（Ｙ）（ｉ）には多数の例がある。（官能化された）無機および／または有機充填剤および／または軽量充填剤、（官能化された）無機および／または有機顔料、（官能化された）無機および／または有機担持材料、無機および／または有機繊維、グラファイト、カーボンブラック、炭素繊維、カーボンナノチューブ、金属繊維および金属粉、導電性有機ポリマー、さらなるポリマーおよび／または再分散可能なポリマー粉末、超吸収体、さらなる無機および／または有機化合物、消泡剤、脱気剤、潤滑剤およびレベリング添加剤、基体湿潤添加剤、湿潤添加剤および分散剤、疎水性化剤、レオロジー添加剤、凝集助剤、つや消し剤、接着促進剤、不凍剤、抗酸化剤、ＵＶ安定剤、殺生物剤、水、溶媒、触媒、またはこれらの適切な組み合わせは、本発明の目的で適切である。
【００５６】
本発明による（反応性）ナノ粒子成分（Ｙ）（ｉｉ）は、焼成シリカ（ＳｉＯ2）、例えばＡＥＲＯＳＩＬ（登録商標）焼成シリカ、希土類（ＲＥ）をドープした焼成シリカ、例えばＡＥＲＯＳＩＬ（登録商標）焼成シリカ／ＲＥドープ、銀をドープした焼成シリカ、例えばＡＥＲＯＳＩＬ（登録商標）焼成シリカ／Ａｇドープ、二酸化ケイ素−酸化アルミニウム混合物（ムライト）、例えばＡＥＲＯＳＩＬ（登録商標）焼成シリカ＋Ａｌ2Ｏ3、二酸化ケイ素−二酸化チタン混合物、例えばＡＥＲＯＳＩＬ（登録商標）焼成シリカ＋ＴｉＯ2、酸化アルミニウム（Ａｌ2Ｏ3）、例えばＡＥＲＯＸＩＤＥ（登録商標）  ＡｌｕＣ、二酸化チタン（ＴｉＯ2）、例えばＡＥＲＯＸＩＤＥ（登録商標）  ＴｉＯ2  Ｐ２５、二酸化ジルコニウム（ＺｒＯ2）、例えばＶＰ  Ｚｉｒｋｏｎｏｘｉｄ  ＰＨ、イットリウム安定化二酸化ジルコニウム、例えばＶＰ  Ｚｉｒｋｏｎｏｘｉｄ  ３ＹＳＺ、二酸化セリウム（ＣｅＯ2）、例えばＡｄＮａｎｏ（登録商標）  Ｃｅｒｉａ、インジウム−酸化スズ（ＩＴＯ、Ｉｎ2Ｏ3／ＳｎＯ2）、例えばＡｄｎａｎｏ（登録商標）  ＩＴＯ、焼成シリカマトリックス中のナノサイズ酸化鉄（Ｆｅ2Ｏ3）、例えばＡｄＮａｎｏ（登録商標）  ＭａｇＳｉｌｉｃａ、酸化亜鉛（ＺｎＯ）、例えばＡｄＮａｎｏ（登録商標）  Ｚｉｎｃ  Ｏｘｉｄｅ（Ｄｅｇｕｓｓａ  ＡＧ社）に代表される。二酸化ケイ素および／または二酸化チタンおよび／または酸化亜鉛の使用が好ましい。
【００５７】
ナノ粒子分散液は、適切な分散装置と高エネルギー入力とを用いて、ナノ粒子を水または分散液（例えばポリマー分散液）に導入することによって製造することができる。この目的で適切な装置は、具体的には、高エネルギー入力をもたらす分散装置、例えば高速撹拌機、プラネタリーニーダー、回転子−固定子機、超音波装置、または高圧ホモジナイザーであり、例としては、Ｎａｎｏｍｉｚｅｒ（登録商標）またはＵｌｔｉｍｉｚｅｒ（システム）を挙げることができる。
【００５８】
（反応性）ナノ粒子成分（Ｙ）（ｉｉ）全体の少なくとも５０質量％は、５００ｎｍ以下の粒径を有し（規格：ＤＩＮ  ５３２０６−１、顔料の試験；粒径分析、基礎概念）、この５００ｎｍ以下の粒径を有する粒子全体が、１０〜２００ｍ2／ｇの比表面積を有する（規格：ＤＩＮ  ６６１３１、ブルナウアー・エメット・テラー（ＢＥＴ）法を用いた気体吸着による固体の比表面積の測定）。
【００５９】
同様に、（反応性）ナノ粒子成分（Ｙ）（ｉｉ）全体の少なくとも７０質量％、好ましくは少なくとも９０質量％が、１０〜３００ｎｍの粒径を有し（規格：ＤＩＮ  ５３２０６−１、顔料の試験；粒径分析、基礎概念）、この１０〜３００ｎｍの粒径を有する粒子全体は、本発明によると、３０〜１００ｍ2／ｇの比表面積を有するべきである（規格：ＤＩＮ  ６６１３１、ブルナウアー・エメット・テラー（ＢＥＴ）法を用いた気体吸着による固体の表面積の測定）。
【００６０】
配合成分（Ｙ）（ｉ）および（反応性）ナノ粒子成分（Ｙ）（ｉｉ）は、本発明によると、被覆された形態、および／またはマイクロカプセル化された形態、および／または担持された形態、および／または親水性化された形態、および／または溶媒を含有する形態で存在してもよく、また適切な場合には遅延して遊離されてもよい。
【００６１】
適切な官能化成分（Ｚ）として、例えば、官能化されたシランおよび／またはシロキサンおよびナノ粒子が使用可能である。
【００６２】
本発明は、本発明のフッ素含有組成物を製造するための方法をさらに提供する。この方法において、
ａ）フルオロシラン成分（Ａ）（ｉ）は、成分
ａ１）（Ｂ）（ｉ）、（Ｂ）（ｉｉ）、（Ｂ）（ｉｉｉ）、および（Ｃ）、および／または
ａ2）（Ｂ）（ｉ）、（Ｂ）（ｉｉ）、（Ｂ）（ｉｉｉ）、（Ｄ）（ｉ）、（Ｅ）（ｉ）、および（Ｅ）（ｉｉ）、および／または
ａ3）（Ｂ）（ｉｖ）、（Ｅ）（ｉ）、および（Ｅ）（ｉｉ）、および／または
ａ4）（Ｂ）（ｖ）、（Ｅ）（ｉ）、および（Ｅ）（ｉｉ）、および／または
ａ5）（Ｆ）（ｉ）、（Ｅ）（ｉ）、および（Ｅ）（ｉｉ）、および／または
ａ6）（Ｆ）（ｉｉ）、（Ｅ）（ｉ）、および（Ｅ）（ｉｉ）、および／または
ａ7）（Ｂ）（ｉ）、（Ｂ）（ｉｉ）、（Ｂ）（ｉｉｉ）、（Ｅ）（ｉ）、（Ｅ）（ｉｉ）、および（Ｄ）（ｉｉ）、および／または
ａ8）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉ）、（Ｇ）（ｉｉ）、および（Ｄ）（ｉｉ）、および／または
ａ9）（Ｂ）（ｉ）、（Ｂ）（ｉｉ）、（Ｂ）（ｉｉｉ）、（Ｅ）（ｉ）、（Ｅ）（ｉｉ）、および（Ｈ）、および／または
ａ10）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉ）、（Ｇ）（ｉｉ）、および（Ｈ）、および／または
ａ11）（Ｂ）（ｉ）、（Ｂ）（ｉｉ）、（Ｂ）（ｉｉｉ）、（Ｅ）（ｉ）、（Ｅ）（ｉｉ）、（Ｇ）（ｉｉｉ）、（Ｇ）（ｉｖ）、および（Ｄ）（ｉ）、および／または
ａ12）（Ｂ）（ｉ）、（Ｂ）（ｉｉ）、（Ｂ）（ｉｉｉ）、（Ｅ）（ｉ）、（Ｅ）（ｉｉ）、（Ｉ）、および（Ｄ）（ｉｉ）、および／または
ａ13）（Ｂ）（ｉ）、（Ｂ）（ｉｉ）、（Ｂ）（ｉｉｉ）、（Ｅ）（ｉ）、（Ｅ）（ｉｉ）、（Ｊ）、および（Ｄ）（ｉｉ）、および／または
ａ14）（Ｂ）（ｉ）、（Ｂ）（ｉｉ）、（Ｂ）（ｉｉｉ）、（Ｅ）（ｉ）、（Ｅ）（ｉｉ）、および（Ｋ）、および／または
ａ15）成分（Ｅ）（ｉ）およびＥ（ｉｉ）を成分（Ｌ）（ｉ）および（Ｌ）（ｉｉ）に置き換えて、ａ2）〜ａ14）と同様、および／または
ａ16）（Ｍ）、（Ｅ）（ｉ）、および（Ｅ）（ｉｉ）、および／または
ａ17）（Ｍ）、（Ｎ）（ｉ）、（Ｎ）（ｉｉ）、および（Ｏ）、および／または
ａ18)（Ｐ）（ｉ）、（Ｅ）（ｉ）、および（Ｅ）（ｉｉ）、および／または
ａ19）（Ｐ）（ｉｉ）、（Ｃ）（ｉ）、および（Ｃ）（ｉｉ）、および／または
ａ20）（Ｐ）（ｉｉｉ）、（Ｑ）（ｉ）、および（Ｑ）（ｉｉ）を反応させることによって製造されるか、
あるいは別の方法として、ａ21）〜ａ22）により、予備形成フルオロシラン（Ａ）（ｉｉ）が使用され
（このとき適切な場合には触媒成分（Ｒ）、さらに適切な場合には溶媒成分（Ｓ）（ｉ）が、純粋なフルオロシラン成分（Ａ）に加えて存在する）、続いて、
ｂ1）適切な場合には、ステップａ）の溶媒成分（Ｓ）（ｉ）が、反応の前、最中、または後に、蒸留によって部分的または完全に除去され、
ｂ2）適切な場合には、ステップａ）の触媒成分（Ｒ）が、反応後に、適切な吸収剤または別の手段によって、部分的または完全に除去され、
ｂ3）適切な場合には、ステップａ）のフルオロシラン成分（Ａ）が、反応の前、最中、または後に、溶媒成分（Ｓ）（ｉｉ）に溶解されるか、
あるいは
ｃ1）ステップａ）またはｂ）のフルオロシラン成分（Ａ）が、適切な場合には、アミノアルキルアルコキシシラン成分（Ｅ）（ｉ）、および／またはアミノシラン成分（Ｅ）（ｉｉ）、および／または成分
ｃ1.1）（Ｑ）（ｉ）、（Ｑ）（ｉｉ）、（Ｃ）（ｉ）、および（Ｃ）（ｉｉ）、および／または
ｃ1.2）（Ｑ）（ｉ）（Ｑ）（ｉｉ）、（Ｅ）（ｉ）、（Ｅ）（ｉｉ）、および（Ｄ）（ｉ）、および／または
ｃ1.3）（Ｉ）、（Ｃ）（ｉ）、および（Ｃ）（ｉｉ）、および／または
ｃ1.4）（Ｉ）、（Ｅ）（ｉ）、（Ｅ）（ｉｉ）、および（Ｄ）（ｉ）、および／または
ｃ1.5）（Ｊ）、（Ｃ）（ｉ）、および（Ｃ）（ｉｉ）、および／または
ｃ1.6）（Ｊ）、（Ｅ）（ｉ）、（Ｅ）（ｉｉ）、および（Ｄ）（ｉ）、および／または
ｃ1.7）（Ｅ）（ｉ）、（Ｅ）（ｉｉ）、および（Ｕ）（ｉ）、および／または
ｃ1.8）（Ｅ）（ｉ）、（Ｅ）（ｉｉ）、および（Ｕ）（ｉｉ）、および／または
ｃ1.9）（Ｅ）（ｉ）、（Ｅ）（ｉｉ）、および（Ｕ）（ｉｉｉ）の反応生成物を含む、安定化成分（Ｔ）（このとき、適切な場合には触媒成分（Ｒ）、適切な場合には溶媒成分（Ｓ）（ｉ）、さらに適切な場合には溶媒成分（Ｓ）（ｉｉ）が、純粋な安定化成分（Ｔ）に加えて存在する）、
および
ｃ1.10）（Ｅ）（ｉｉｉ）、および／または成分
ｃ1.11）（Ｇ）（ｉ）、（Ｇ）（ｉｉ）、（Ｇ）（ｉｉｉ）、（Ｇ）（ｉｖ）、（Ｃ）（ｉ）、および（Ｃ）（ｉｉ）、および／または
ｃ1.12）（Ｇ）（ｉ）および（Ｇ）（ｉｉ）（Ｇ）（ｉｉｉ）（Ｇ）（ｉｖ）、（Ｅ）（ｉ）（Ｅ）（ｉｉ）、および（Ｄ）（ｉ）、および／または
ｃ1.13）（Ｇ）（ｉｉ）、（Ｇ）（ｉｖ）、（Ｎ）（ｉ）、および（Ｎ）（ｉｉ）、および／または
ｃ1.14）（Ｇ）（ｉ）、（Ｇ）（ｉｉ）、（Ｅ）（ｉ）、（Ｅ）（ｉｉ）、および（Ｄ）（ｉｉ）、および／または
ｃ1.15）（Ｇ）（ｉ）、（Ｇ）（ｉｉ）、（Ｅ）（ｉ）、（Ｅ）（ｉｉ）、および（Ｈ）の反応生成物を含む、親水性シラン成分（Ｖ）（このとき、適切な場合には触媒成分（Ｒ）、適切な場合には溶媒成分（Ｓ）（ｉ）、さらに適切な場合には溶媒成分（Ｓ）（ｉｉ）が、純粋な親水性シラン成分（Ｖ）に加えて存在する）の存在下で、水を用いて、（部分的に）加水分解またはシラン化され、
ｃ2）（アミノ官能性）付加物が、酸成分（Ｕ）（ｉｖ）または別の中和成分（Ｗ）によって、部分的または完全に中和され、
ｃ3）適切な場合には、遊離したアルコール、および／または溶媒成分（Ｓ）（ｉ）および／または（Ｓ）（ｉｉ）が、反応の前、最中、または後に、蒸留によって部分的または完全に除去され、
ｄ1）ステップｃ）の反応生成物が、その後または同時に、水に溶解または分散されて、オリゴマー化され、
ｄ2）適切な場合には、０〜１質量部を上回る触媒成分（Ｒ）、０〜２５質量部を上回る溶媒成分（Ｓ）（ｉ）、および０〜２５質量部を上回る溶媒成分（Ｓ）（ｉｉ）が存在しないように、遊離したアルコールおよび／または溶媒成分（Ｓ）（ｉ）および／または（Ｓ）（ｉｉ）が、反応の前、最中、または後に、蒸留によって部分的または完全に除去され、また適切な場合には、触媒成分（Ｒ）が、反応の前、最中、または後に、適切な吸収剤または別の手段によって、部分的または完全に除去される。
【００６３】
適切な場合には、ｆ）ステップａ）および／またはｂ）および／またはｃ）および／またはｄ）の最中または後に、配合成分（Ｙ）（ｉ）を添加してもよく、および／または成分
ｅ1）（Ｅ）（ｉｖ）、および／または
ｅ2）（Ｅ）（ｖ）、および／または
ｅ3）（Ｅ）（ｖｉ）、および／または
ｅ4）（Ｙ）（ｉｉ）を含む官能化成分（Ｚ）を添加しても、および／または共反応させてもよい。
【００６４】
さらなる変形方法では、反応ステップａ）の成分（Ａ）（ｉ）と反応ステップｃ）の（Ｖ）とを同時に製造または配合することができる。さらに、反応ステップｃ）およびｄ）、またはｂ）、ｃ）、およびｄ）は、本発明によると、任意の手段および順序で組み合わせることができる。
【００６５】
また、ステップｂ3）において、フルオロシラン成分（Ａ）のアルコキシシラン基とアルコール溶媒成分（Ｓ）（ｉｉ）との（部分）エステル交換を追加的に実施することもできる。
【００６６】
さらに、ステップｃ3）およびｄ2）において、遊離したアルコール、および／または溶媒成分（Ｓ）（ｉ）および／または（Ｓ）（ｉｉ）を（共沸）蒸留によって除去し、さらに適切な場合には、その後または同時に、除去した水を補うことは有利となりうる。
【００６７】
ステップｃ）において、酸成分（Ｕ）（ｉｖ）は、水と一緒に最初に添加してもよい。
【００６８】
本発明は、同様に、反応ステップｃ）およびｄ）のとおりのフッ素含有組成物、または（ペル）フルオロアルキル官能性有機ポリシロキサン予備縮合物、または（ペル）フルオロアルキル官能性有機シロキサン縮合物と同様に、単一成分形態での、反応ステップａ）およびｂ）のとおりのフッ素含有組成物または（ペル）フルオロアルキル官能性有機シランの使用も包含する。
【００６９】
反応温度に関しては、反応ステップａ）は、温度４０〜１２０℃、好ましくは５０〜１１０℃で実施され、反応ステップｂ）〜ｅ）は、温度２０〜１２０℃、好ましくは５０〜１１０℃で実施されることが勧められる。
【００７０】
ステップｃ）およびｄ）の反応生成物中のフッ素原子と窒素原子の当量比は、好ましくは、１：５０〜５０：１、好ましくは１：２５〜２５：１、特に好ましくは１：１２．５〜１２．５：１とする。ステップｃ）におけるアルコキシシラン基と水の当量比は、１：１０〜１０：１、好ましくは１：５〜５：１とすべきである。
【００７１】
ステップｃ）におけるシリコン原子と水のモル比は、好ましくは１：１０〜１０：１、より好ましくは１：５〜５：１、特に好ましくは１：１．５とする。
【００７２】
反応ステップａ）およびｂ）において、成分（Ａ）、（Ｙ）（ｉ）、および（Ｚ）を含むフッ素含有組成物の固形分は、５〜１００質量％、好ましくは１００質量％とすべきである。反応ステップｃ）において、成分（Ａ）、（Ｅ）、（Ｕ）（ｉｖ）、（Ｔ）、（Ｖ）、（Ｙ）（ｉ）、および（Ｚ）を含むフッ素含有組成物の固形分は、２５〜１００質量％、好ましくは５０〜１００質量％とすべきである。反応ステップｄ）において、成分（Ａ）、（Ｅ）、（Ｕ）（ｉｖ）、（Ｔ）、（Ｖ）、（Ｙ）（ｉ）、および（Ｚ）を含むフッ素含有組成物の固形分は、０．００１〜１００質量％、好ましくは０．５〜５０質量％、特に好ましくは１〜１５質量％とされる。
【００７３】
反応ステップｃ）およびｄ）において、本発明は、互いに独立して１〜１４、好ましくは２〜６、特に好ましくは３〜５とされる、フッ素含有組成物のｐＨ値を提供する。
【００７４】
これらの反応ステップにおいて、フッ素含有組成物の粘度（Ｂｒｏｏｋｆｉｅｌｄ）は、１〜１００ｍＰａ・ｓとしておくべきである。
【００７５】
一般的に、本発明の方法における反応ステップｃ）およびｄ）は、シラン成分（Ａ）、（Ｅ）、（Ｔ）、および（Ｖ）を混合し、適切な場合にはアルコールを添加し、その混合物を一緒に加水分解および共縮合し、加水分解アルコールを含むアルコールを蒸留により除去することによって実施される。
【００７６】
本発明の方法で使用されるアルコキシシランは、好ましくはメトキシシランおよび／またはエトキシシランである。本発明の方法の実施中にアルコールを添加する場合、これは好ましくはメタノールおよび／またはエタノールである。
【００７７】
シラン成分（Ａ）、（Ｅ）、（Ｔ）、および（Ｖ）の混合は、使用するシラン成分の凝固点から沸点までの温度範囲で実施することができる。一般的に、過剰の水をシラン混合物に添加して加水分解を行ない、その結果、一般にヒドロキシ官能性有機シロキサンが得られる。しかしながら、加水分解または共縮合は、化学量論的量またはほぼ化学量論的量の水を用いて実施することもできる。反応中に導入される水の量が、使用するシラン成分１モル当たり水３モル未満に制限される場合、本発明によって、本質的にアルコキシ基を含有する（ペル）フルオロアルキル官能性有機ポリシロキサン縮合物を製造することが可能である。この反応において、本発明による（ペル）フルオロアルキル官能性有機ポリシロキサン縮合物は、通常は混合物として得られる。
【００７８】
本発明の方法において、アルコールまたは加水分解アルコールは、通常は蒸留によって除去されるが、これは好ましくは＜９０℃、特に好ましくは＜６０℃の温度で、また生成物の損傷を防ぐために減圧下で実施すべきである。ここで、組成物中のアルコール含有量を、５質量％未満、好ましくは１質量％未満、特に好ましくは０．５質量％未満まで、適切に減少させる。蒸留は、有利には、蒸留塔を用いて実施してよく、塔の上部にそれ以上アルコールが認められなくなるまで継続してよい。塔の底部に得られる所望の生成物に、適切な場合には、さらなるワークアップを行なってもよい。濁りをもたらす物質が生じた場合、これらは濾過、沈殿、遠心分離、または類似の標準的な方法を用いて、生成物から除去してもよい。
【００７９】
触媒として、特に、プロトン酸またはプロトン酸の混合物が使用可能である。さらに、前記の酸は、本発明による（ペル）フルオロアルキル官能性有機ポリシロキサン縮合物のｐＨを調整するためにも使用可能である。
【００８０】
本発明の（ペル）フルオロアルキル官能性有機ポリシロキサン縮合物は、一般に、当業者は理解するであろう［Ｍ］、［Ｄ］、および［Ｔ］の構造単位に基づき、オリゴマーまたはポリマーの有機シロキサン構造単位が凝集体を形成することも可能である。このような有機シロキサンは、通常は、本発明による官能基だけでなく、さらなる官能基としてアルコキシ基および／またはヒドロキシル基を担持し、その比率は、一般に製造時に添加する水の量、およびアルコール除去の完全性によって調節することができる。
【００８１】
さらに、水性溶液中の本発明の（ペル）フルオロアルキル官能性有機ポリシロキサン縮合物の濃度は、活性成分含有量を＜５０質量％とすることが推奨される。５０質量％を上回る活性成分含有量は、ゲル形成または重度の濁りを生じる可能性がある。
【００８２】
本発明の（ペル）フルオロアルキル官能性有機ポリシロキサン縮合物は、制限なく任意の率で、水で希釈することができる。完全に加水分解された系の場合、一般にさらなる加水分解アルコールの形成はない。一般的に、低粘度のわずかに乳白光を発する液体が得られる。しかしながら、本発明の（ペル）フルオロアルキル官能性有機ポリシロキサン縮合物をアルコールに溶解させるか、あるいはこれらを水溶性の乳剤中に組み込むことも可能である。
【００８３】
本発明の（ペル）フルオロアルキル官能性有機ポリシロキサン縮合物、およびこれらが含まれる希釈された系は、一般に、６ヶ月を超える期間にわたり優れた保存安定性を示す。
【００８４】
最後に、本発明は、鉱物および非鉱物基体、例えば、
・無機表面、
例えば、セメント（コンクリート、モルタル）、石灰、石膏プラスター、無水石膏、ジオポリマー、シリカおよびケイ酸塩、合成石、天然石（例えば、御影石、大理石、砂岩、粘板岩、蛇紋石）、粘土、さらにほうろう、充填剤および顔料、ガラスおよびガラス繊維、セラミック、金属および金属合金に基づく、多孔性および非多孔性であり吸収性および非吸収性の未加工または研磨された建築材料および全ての種類の建設の材料、
・有機表面、
例えば、織物および布地、木材または木製材料、ゴム、ベニヤ板、ガラス強化プラスチック（ＧＦＫ）、プラスチック、皮革および合成皮革、天然繊維、紙、全ての種類のポリマー、
・適切な場合にはナノサイズの構成要素を有する、全ての種類の複合材料
の永久撥油、撥水、および撥塵表面処理もしくは変性のための、建築分野または工業分野における、本発明のフッ素含有組成物の使用をさらに提供する。
【００８５】
また、本発明のフッ素含有組成物は、特に建築および工業の現場および／または現場外の分野における、例えば、
・疎水性化および疎油性化
・耐落書き
・防汚
・易洗浄
・低い吸塵
・Ｌｏｔｕｓ−Ｅｆｆｅｋｔ（登録商標）を有するナノ構造表面
・建物保護
・防食
・シール剤
・被覆剤
・含浸
・表面シーリング
などの応用例での、永久撥油、撥水、および撥塵表面処理もしくは変性に特に適している。
【００８６】
さらに、本発明のフッ素含有組成物は、上述の建築および工業分野（現場および／または現場外）における、以下の応用分野に使用することもできる。
・塗料および被覆系のための添加剤
・自動車および動力車両産業
・コンクリート完成部品
・コンクリート成形品
・場所打ちコンクリート
・吹付けコンクリート
・レディーミックストコンクリート
・屋根瓦
・電気および電子産業
・塗料およびワニス
・タイルおよびグラウト材
・織物および布地
・ガラスファサードおよびガラス表面
・木材の機械加工および加工（単板、含浸）
・セラミックおよび衛生陶器
・接着剤およびシーラント
・防食
・防音壁
・プラスチックフィルム
・皮革処理
・充填剤、顔料、ナノ粒子の表面変性
・紙および板紙被覆
・装飾用プラスターおよび下塗りを含む、プラスターおよび下塗り
・断熱複合材料システム（ＷＤＶＳ）および断熱システム（ＷＤＳ）
・石綿セメント板
【００８７】
この関連で、本発明のフッ素含有組成物が、建築または工業分野（現場および／または現場外）におけるコンクリート、例えば、
・現場コンクリート
・コンクリート製品（コンクリート完成部品、コンクリート品、コンクリート煉瓦／ブロック）
・場所打ちコンクリート
・吹付けコンクリート
・レディーミックストコンクリート
の全体の疎水性化／疎油性化に適していることを特に重視すべきである。
【００８８】
さらに、本発明のフッ素含有組成物は、ゾル‐ゲル系のモノマーまたはマクロモノマーとして非常に適している。
【００８９】
本発明の（ペル）フルオロアルキル官能性有機ポリシロキサン縮合物は、したがって、表面の疎水性化および／または疎油性化のための組成物として、建物保護組成物として、コンクリート、鉱物天然材料、さらに施釉または非施釉セラミック製品の処理のための組成物として、「耐落書き」応用例のための、および「耐落書き」応用例のための組成物中の、「易洗浄」応用例のための、および「易洗浄」応用例のための組成物中の表面処理用調製液中の添加剤として、水溶性結合剤として、表面の殺生物処理、木材の処理、皮革、皮革製品、および生皮の処理、ガラス表面の処理、板ガラスの処理、プラスチック表面の処理、医薬品および化粧品の製造、ガラスおよび鉱物表面、ならびにガラスおよび鉱物繊維表面の変性、合成煉瓦の製造、汚水の処理、顔料の表面変性および処理のための被覆系および防食剤中の構成要素として、さらに塗料およびワニスの構成要素として使用し、優れた結果を得ることができる。
【００９０】
本発明による（ペル）フルオロアルキル官能性有機ポリシロキサン縮合物は、５０％濃度の溶液から、または希釈溶液から塗布することができ、例えば水を希釈剤として用いることができる。原則として、本発明の組成物を適当なアルコールで希釈することも可能である。
【００９１】
さらに、記載されている（ペル）フルオロアルキル官能性有機ポリシロキサン縮合物は、親水性および疎水性の両標準試験液を用いたときに（ＤｕＰｏｎｔ  ｄｅ  Ｎｅｍｏｕｒｓ社の「Ｔｅｆｌｏｎ（登録商標）  Ｓｐｅｃｉｆｉｃａｔｉｏｎ  Ｔｅｓｔ  Ｋｉｔ」に従った試験）、対応して処理された鉱物表面のさらに改良された水玉形成挙動をもたらす。
【００９２】
本発明の組成物は、有利には、１回の作業につき被覆される表面１ｍ2当たり０．００００１〜１ｋｇの量で使用される。
【００９３】
さらに、反応ステップｃ）およびｄ）のとおりの本発明の（ペル）フルオロアルキル官能性有機シロキサン予備縮合物または（ペル）フルオロアルキル官能性有機シロキサン縮合物を、ＨＶＬＰ技術を用いて塗布することが有利であることが認められた。一般的に、記載されている組成物の塗布は、表面被覆技術から既知の方法、例えば、フラッド法、流し込み法、ＨＶＬＰプロセス、ドクターブレードコーティング、ローリング法、スプレー法、ペイント法、ディップ法、およびローラー塗布を用いて実施することができる。
【００９４】
本発明のフッ素含有組成物は、そのオリゴマー構造により、好ましくは高濃度のシラノール官能基を有するが、これはヒドロキシル含有基体表面と反応する優れた能力を有する。種々の基体の被覆物および含浸物は、熱処理、界面活性剤処理、およびＵＶ処理後でさえ、優れた撥油性、および同時に撥水性を示す。対応する研究では、種々の基体において、本発明のフッ素含有組成物の効果の低下または不安定化が６ヶ月経過後も認められなかったことを示すこともできた。本発明のフッ素含有組成物の使用は、単純かつ有利な形で、種々の基体表面上の疎水性化、疎油性化、撥塵および耐塗料効果を同時に達成することを可能にする。
【００９５】
本発明の組成物から製造された被覆物の乾燥および硬化は、一般に、０〜５０℃の範囲の通常（屋外および屋内）温度で行なう。すなわち、被覆物の特別な加熱は行なわない。しかしながら、応用例によっては、最高１５０℃の温度で実施することもできる。
【００９６】
以下の実施例は、本発明を説明している。
【実施例】
【００９７】
使用する化学物質：
Ｆｌｕｏｗｅｔ（登録商標）  ＥＡ  ６１２：フルオロアルコール混合物（Ｃｌａｒｉａｎｔ  ＧｍｂＨ社）
Ｆｌｕｏｗｅｔ（登録商標）  ＥＡ  ８１２  ＡＣ：フルオロアルコール混合物（Ｃｌａｒｉａｎｔ  ＧｍｂＨ社）
Ｄａｉｋｉｎ  Ａ−１８２０：フルオロアルコール（ダイキン工業株式会社）
Ｓｉｌｑｕｅｓｔ（登録商標）  Ａ−１２３０  Ｓｉｌａｎｅ：ポリエーテル変性アルコキシシラン（ＧＥ−Ｓｉｌｉｃｏｎｅｓ社）
ＨＦＰＯオリゴマーメチルエステル：ポリヘキサフルオロプロペンオキシドカルボン酸の単官能性メチルエステル（Ｄｙｎｅｏｎ  ＧｍｂＨ  ＆  Ｃｏ．  ＫＧ社）
ＤＹＮＡＳＩＬＡＮ（登録商標）  ＡＭＥＯ：３−アミノプロピルトリエトキシシラン（Ｄｅｇｕｓｓａ  ＡＧ社）
ＤＹＮＡＳＩＬＡＮ（登録商標）  ＡＭＭＯ：３−アミノプロピルトリメトキシシラン（Ｄｅｇｕｓｓａ  ＡＧ社）
ＤＹＮＡＳＩＬＡＮ（登録商標）  ＴＲＩＡＭＯ：Ｎ−［Ｎ’−（２−アミノエチル）−２−アミノエチル］−３−アミノプロピルトリメトキシシラン（Ｄｅｇｕｓｓａ  ＡＧ社）
ＭＰＥＧ  ３００、５００、１０００：モル質量３００、５００、１０００ｇ／ｍｏｌのモノヒドロキシ官能性メチルポリエチレングリコール
ＤＢＴＬ：ジブチルスズジラウレート
【００９８】
実施例１：フルオロシラン（１）
２００．００ｇ（５６１．９６ｍｍｏｌ）のＦｌｕｏｗｅｔ（登録商標）  ＥＡ  ６１２と１４３．３１ｇ（５６１．９８ｍｍｏｌ）の３−（トリエトキシシリル）プロピルイソシアネートとの混合物を、内部温度計と、精密ガラススターラーと、Ｄｉｍｒｏｔｈコンデンサーとを備えた５００ｍｌの三口丸底フラスコに入れた。触媒として０．３４ｇのＤＢＴＬを添加後、この反応混合物を７０℃まで加熱し、この温度で、反応が完了するまで約２時間攪拌した。いくらかの固形分を含有し、残留ＮＣＯ含有量０．１８質量％を有する粘性液体が、生成物として得られた。
【００９９】
イソシアネート含有量：計算値：０質量％、実測値：０．１８質量％
【０１００】
実施例２：フルオロシラン（２）
４４．００ｇ（８４．４２ｍｍｏｌ）のＦｌｕｏｗｅｔ（登録商標）  ＥＡ  ８１２  ＡＣを、内部温度計と、滴下漏斗と、空冷コンデンサーと、マグネチックスターラーバーとを備えた１００ｍｌの三口丸底フラスコに入れ、触媒として０．０７ｇのＤＢＴＬを添加後、７０℃まで加熱した。この温度で、２１．７５ｇ（８４．４１ｍｍｏｌ）の３−（トリエトキシシリル）プロピルイソシアネートを１時間かけて滴下した。反応を完了させるために、この混合物を室温でさらに２時間攪拌した。いくらかの固形分を含有し、残留ＮＣＯ含有量０．０８質量％を有する粘性液体が、生成物として得られた。
【０１０１】
イソシアネート含有量：計算値：０質量％、実測値：０．０８質量％
【０１０２】
実施例３：フルオロシラン（３）
１００ｇのＨＦＰＯオリゴマーメチルエステル（Ｍｎ＝１００８ｇ／ｍｏｌ、０．０９９ｍｏｌ）を、滴下漏斗と、精密ガラススターラーと、還流コンデンサーとを備えた２５０ｍｌの三口丸底フラスコに入れた。１７．７５ｇのＤＹＮＡＳＩＬＡＮ（登録商標）  ＡＭＭＯ（Ｍ＝１７９．２９ｇ／ｍｏｌ、０．０９９ｍｏｌ）を攪拌しながらゆっくりと添加し、この混合物をさらに３０分間攪拌した。反応を完了させるために、続いて混合物を６０℃でさらに３時間攪拌し、形成した加水分解アルコールを減圧下で留去した。無色のわずかに粘性の液体が、生成物として得られた。
【０１０３】
実施例４：安定化成分
親水性安定化成分として使用するポリヒドロキシシラン（「糖シラン」）の合成を、すでに公開されている調製法（例えば、ドイツ特許第３６００７１４（Ｃ２）号）に基づく方法で実施した。
【０１０４】
６２．１４ｇのＤＹＮＡＳＩＬＡＮ（登録商標）  ＡＭＥＯ（Ｍ＝２２１．３７ｇ／ｍｏｌ、２８０．７ｍｍｏｌ）を１５０ｍｌの無水エタノール中に含む溶液を、１００，０１ｇのδ−グルコノラクトン（Ｍ＝１７８．１４ｇ／ｍｏｌ、２８０．７ｍｍｏｌ）を２５０ｍｌの無水エタノール中に含む懸濁液に攪拌しながら添加し、この混合物をさらに短時間攪拌した。反応を完了させるために、この澄明溶液をさらに６０分間還流させた。ロータリエバポレータで溶媒を留去すると、澄明な水溶性の固体が、生成物として得られた。
【０１０５】
実施例５：親水性シラン成分
使用する親水性シラン成分は、何よりもまずポリエチレングリコール変性アルコキシシランである。市販製品として、Ｓｉｌｑｕｅｓｔ（登録商標）  Ａ−１２３０  Ｓｉｌａｎｅを使用した。
【０１０６】
実施例６〜１１：フルオロシラン
第２表のとおりのＦｌｕｏｗｅｔ（登録商標）  ＥＡ  ６１２と、ＭＰＥＧと、３−（トリエトキシシリル）プロピルイソシアネートとの混合物を、内部温度計と、精密ガラススターラーと、還流コンデンサーとを備えた５００ｍｌの三口丸底フラスコに入れた。触媒として約０．１質量％のＤＢＴＬを添加後、この反応混合物を７０℃まで加熱し、全てのイソシアネート基の完全な反応が生じるまで約２〜６時間攪拌した。全ての例において、残留ＮＣＯ濃度０．２質量％未満の粘性液体／懸濁液が、生成混合物として得られた。さらにこの生成物を安定化させるために、続いてこの混合物に実施例１６のとおりのポリヒドロキシシランを添加した。
【０１０７】
【表１】
2011511113.tif 000002
【０１０８】
実施例１２：（ペル）フルオロアルキル官能性有機ポリシロキサン縮合物
４０．６ｇ（６２．２ｍｍｏｌのＳｉ）の実施例２０で得たシラン混合物と、１２．１７ｇ（５４．９８ｍｍｏｌ）のＤＹＮＡＳＩＬＡＮ（登録商標）  ＡＭＥＯとを、内部温度計と、滴下漏斗と、マグネチックスターラーバーとを備えた２５０ｍｌの三口丸底フラスコに入れた。３．１３ｇ（１７４．３ｍｍｏｌ）の水を滴下漏斗から添加した後、この反応混合物を６０℃で３時間攪拌し、その後室温まで冷却した。アミンを中和するために、次に４．６４ｇ（８５．６８ｍｍｏｌ）の８５％濃度のギ酸水溶液を添加し、この混合物を短時間攪拌した。粘性の澄明溶液が、生成物として得られた。
【０１０９】
得られた予備縮合物をオリゴマー化するために、得られた生成物１５．００ｇを８５．００ｇの水と混合し、形成された加水分解アルコールを減圧蒸留によって完全に除去した。その後、留去した量の加水分解アルコールを水で補った。固形分１５質量％の水性溶液が、生成物として得られた。
【０１１０】
実施例１３：（ペル）フルオロアルキル官能性有機ポリシロキサン縮合物
１３．０５ｇ（２１．３４ｍｍｏｌ）のフルオロシラン（１）と、１２．１７ｇ（５４．９８ｍｍｏｌ）のＤＹＮＡＳＩＬＡＮ（登録商標）  ＡＭＥＯと、１２．２５ｇのＳｉｌｑｕｅｓｔ（登録商標）  Ａ−１２３０  Ｓｉｌａｎｅ（２３．３８ｍｍｏｌ）と、０．３７ｇ（０．９ｍｍｏｌ）のポリヒドロキシシラン（実施例１６による）との混合物を、内部温度計と、精密ガラススターラーと、還流コンデンサーとを備えた２５０ｍｌの三口丸底フラスコに入れた。２．７２ｇ（１５０．９ｍｍｏｌ）の水を添加した後、この反応混合物を６０℃で３時間攪拌した。アミンを中和するために、この混合物を室温まで冷却し、４．６４ｇ（８５．６８ｍｍｏｌ）の８５％濃度のギ酸水溶液を混ぜ、さらに短時間攪拌した。粘性の、わずかに帯黄色の液体／懸濁液が、生成物として得られた。
【０１１１】
オリゴマー化するために、得られた生成物に１９７．８９ｇの水を混ぜ、形成された加水分解アルコールを減圧蒸留によって除去した。乳白光を発する水性溶液が、生成物として得られた。
【０１１２】
成分の概要
（Ａ）（ｉ）フルオロシラン成分
（Ａ）（ｉｉ）予備形成フルオロシラン成分
（Ｂ）（ｉ）（ペル）フルオロアルキルアルコール成分
（Ｂ）（ｉｉ）（ペル）フルオロアルキルアルキレンアミン成分
（Ｂ）（ｉｉｉ）フッ素変性マクロモノマーもしくはテレケリックポリマー
（Ｂ）（ｉｖ）（ペル）フルオロアルキルアルキレンイソシアネート成分
（Ｂ）（ｖ）（ペル）フルオロアルキルカルボン酸誘導体成分
（Ｃ）（ｉ）イソシアナトアルキルアルコキシシラン成分
（Ｃ）（ｉｉ）別のイソシアナトシラン成分
（Ｄ）（ｉ）ポリイソシアネート成分
（Ｄ）（ｉｉ）ポリイソシアネート成分
（Ｅ）（ｉ）アミノアルキルアルコキシシラン成分
（Ｅ）（ｉｉ）別のアミノシラン成分
（Ｅ）（ｉｉｉ）非イオン性シラン成分
（Ｅ）（ｉｖ）アミノシリコンオイル成分
（Ｅ）（ｖ）低分子シラン成分
（Ｅ）（ｖｉ）親水性化された水性シラン成分
（Ｆ）（ｉ）単官能性ヘキサフルオロプロペンオキシド成分
（Ｆ）（ｉｉ）二官能性ヘキサフルオロプロペンオキシド成分
（Ｇ）（ｉ）単官能性ポリアルキレングリコール成分
（Ｇ）（ｉｉ）単官能性ポリオキシアルキレンアミン成分
（Ｇ）（ｉｉｉ）多官能性ポリアルキレングリコール成分
（Ｇ）（ｉｖ）多官能性ポリオキシアルキレンアミン成分
（Ｈ）トリアジン成分
（ｌ）ヒドロキシカルボン酸成分
（Ｊ）ＮＣＮ成分
（Ｋ）カルボニル成分
（Ｌ）（ｉ）メルカプトアルキルアルコキシシラン成分
（Ｌ）（ｉｉ）別のメルカプトシラン成分
（Ｍ）（ペル）フルオロアルキルアルキレンオキシド成分
（Ｎ）（ｉ）エポキシアルキロールアルコキシシラン成分
（Ｎ）（ｉｉ）別のエポキシシラン成分
（Ｏ）ポリアミン成分
（Ｐ）（ｉ）エポキシ官能性多面体オリゴマーポリシラセスキオキサン成分
（Ｐ）（ｉｉ）アミノ官能性多面体オリゴマーポリシラセスキオキサン成分
（Ｐ）（ｉｉｉ）（メタ）アクリロイル官能性多面体オリゴマーポリシラセスキオキサン成分
（Ｑ）（ｉ）アミノアルコール成分
（Ｑ）（ｉｉ）別のアミノアルコール成分
（Ｒ）触媒成分
（Ｓ）（ｉ）溶媒成分
（Ｓ）（ｉｉ）溶媒成分
（Ｔ）安定化成分
（Ｕ）（ｉ）酸成分
（Ｕ）（ｉｉ）酸成分
（Ｕ）（ｉｉｉ）酸成分
（Ｕ）（ｉｖ）酸成分
（Ｖ）親水性シラン成分
（Ｗ）中和成分
（Ｙ）（ｉ）配合成分
（Ｙ）（ｉｉ）（反応性）ナノ粒子成分
（Ｚ）官能化成分
【国際調査報告】
2011511113.tif 000003
2011511113.tif 000004
2011511113.tif 000005
2011511113.tif 000006
2011511113.tif 000007
2011511113.tif 000008
2011511113.tif 000009
2011511113.tif 000010